(57)【要約】  この出願は、通信方式、通信デバイス、及びネットワークデバイスを提供する。本方法は、端末デバイスによって、ランダムアクセスプリアンブルを決定することであって、ランダムアクセスプリアンブルが６つのシンボルグループを含む、決定することと、端末デバイスによって、ランダムアクセス設定情報及び事前設定ルールに基づいて、ランダムアクセスプリアンブルの周波数位置を決定することであって、第１のシンボルグループと第２のシンボルグループとの間の周波数ホッピング間隔、及び第５のシンボルグループと第６のシンボルグループとの間の周波数ホッピング間隔は等しく、両方とも第１の間隔であり、第２のシンボルグループと第３のシンボルグループとの間の周波数ホッピング間隔、及び第４のシンボルグループと第５のシンボルグループとの間の周波数ホッピング間隔は等しく、両方とも第２の間隔であり、第３のシンボルグループと第４のシンボルグループとの間の周波数ホッピング間隔は第３の間隔である、決定することと、端末デバイスによって、周波数位置に基づいてランダムアクセスプリアンブルを送信することと、を含む。
2021513790.tif 000002
【特許請求の範囲】
【請求項１】
通信方法であって、
端末デバイスによって、ランダムアクセスプリアンブルを決定することであって、前記ランダムアクセスプリアンブルは、６つのシンボルグループを含み、前記６つのシンボルグループは、第１のシンボルグループ、第２のシンボルグループ、第３のシンボルグループ、第４のシンボルグループ、第５のシンボルグループ、及び第６のシンボルグループを含む、決定することと、
前記端末デバイスによって、ランダムアクセス設定情報及び事前設定ルールに基づいて、前記ランダムアクセスプリアンブルの周波数位置を決定することであって、
前記６つのシンボルグループにおける全ての２つの隣接するシンボルグループの間の周波数間隔は、周波数ホッピング間隔であり、前記第１のシンボルグループと前記第２のシンボルグループとの間の周波数ホッピング間隔、及び前記第５のシンボルグループと前記第６のシンボルグループとの間の周波数ホッピング間隔は等しく、両方とも第１の間隔であり、前記第２のシンボルグループと前記第３のシンボルグループとの間の周波数ホッピング間隔、及び前記第４のシンボルグループと前記第５のシンボルグループとの間の周波数ホッピング間隔は等しく、両方とも第２の間隔であり、前記第３のシンボルグループと前記第４のシンボルグループとの間の周波数ホッピング間隔は第３の間隔であり、前記第１の間隔、前記第２の間隔、及び前記第３の間隔は等しくなく、ゼロに等しくない、決定することと、
前記端末デバイスによって、前記周波数位置に基づいてネットワークデバイスにランダムアクセスプリアンブルを送信することと、を含む方法。
【請求項２】
前記第１の間隔が１．２５ｋＨｚであり、前記第２の間隔が３．７５ｋＨｚであり、前記第３の間隔が２２．５ｋＨｚである、請求項１に記載の方法。
【請求項３】
前記第１のシンボルグループから前記第２のシンボルグループへの周波数ホッピング方向は、前記第５のシンボルグループから前記第６のシンボルグループへの周波数ホッピング方向と反対であり、前記第２のシンボルグループから前記第３のシンボルグループへの周波数ホッピング方向は、前記第４のシンボルグループから前記第５のシンボルグループへの周波数ホッピング方向と反対である、請求項１又は２に記載の方法。
【請求項４】
前記ランダムアクセス設定情報は、前記ランダムアクセスプリアンブルの反復数Ｗを含み、前記Ｗ回の反復において、前記ランダムアクセスプリアンブルに含まれる６＊Ｗのシンボルグループは、時系列において、０、１、．．．．、ｉ、．．．、６Ｗ−２、及び６Ｗ−１と番号付けされ、Ｗは正の整数であり、前記事前設定ルールは、第１の式及び第２の式を含み、
前記端末デバイスによって、ランダムアクセス設定情報及び事前設定ルールに基づいて、前記ランダムアクセスプリアンブルの周波数位置を決定することは、
前記端末デバイスによって、前記ランダムアクセス設定情報に基づいて、番号が０のシンボルグループの周波数位置を決定し、前記第１の式及びシンボルグループＰの番号ｉに基づいて、前記シンボルグループＰの周波数位置を決定し、前記第２の式及びシンボルグループＱの番号ｉに基づいて、前記シンボルグループＱの周波数位置を決定することを含み、
前記シンボルグループＰは、６＊Ｗのシンボルグループにおいて、番号がｉ＞０、及びｉｍｏｄ６＝０を満たすシンボルグループであり、前記シンボルグループＱは、６＊Ｗのシンボルグループにおいて、番号がｉ＞０、及びｉｍｏｄ６≠０を満たすシンボルグループであり、ｍｏｄは、モジュロ演算を表す、請求項１〜３のいずれか一項に記載の方法。
【請求項５】
前記第１の式は、番号が０の前記シンボルグループの前記周波数位置、及び番号ｉと疑似ランダム系列に基づいて決定される関数に関連するか、又は、前記第１の式は、番号がｉ−６のシンボルグループの周波数位置、及び番号ｉと疑似ランダム系列に基づいて決定される関数に関連し、
前記番号ｉは、前記シンボルグループＰの番号である、請求項４に記載の方法。
【請求項６】
前記第２の式は、番号がｉ−１のシンボルグループの周波数位置、及び番号がｉ−１のシンボルグループに対する番号がｉのシンボルグループの周波数位置間隔と周波数ホッピング方向に関連し、前記番号ｉは、前記シンボルグループＱの番号である、請求項４又は５に記載の方法。
【請求項７】
前記事前設定ルールは、式１又は式２を含み、
前記式１は、
【数１】
2021513790.tif 000171
であり、
前記式２は、
【数２】
2021513790.tif 000172
であり、ここで、
【数３】
2021513790.tif 000173
は、番号がｉの前記シンボルグループの周波数位置であり、ｆ（ｉ／６）は、前記シンボルグループの前記番号ｉ、
【数４】
2021513790.tif 000174
及び疑似ランダム系列に基づいて決定される関数であり、
【数５】
2021513790.tif 000175
は、ランダムアクセスプリアンブルの送信制限であり、
【数６】
2021513790.tif 000176
は、切り下げを表し、
【数７】
2021513790.tif 000177
であり、
【数８】
2021513790.tif 000178
である、請求項４〜６のいずれか一項に記載の方法。
【請求項８】
通信方法であって、
ネットワークデバイスによって、ランダムアクセス設定情報を決定し、前記ランダムアクセス設定情報を端末デバイスに送信することであって、前記ランダムアクセス設定情報は、前記端末デバイスがランダムアクセスプリアンブルを決定することを示すために使用され、前記ランダムアクセスプリアンブルは、６つのシンボルグループを含み、前記６つのシンボルグループは、第１のシンボルグループ、第２のシンボルグループ、第３のシンボルグループ、第４のシンボルグループ、第５のシンボルグループ、及び第６のシンボルグループを含む、ことと、
前記ネットワークデバイスによって、前記ランダムアクセス設定情報に基づいて前記端末デバイスによって送信された前記ランダムアクセスプリアンブルを受信することであって、前記ランダムアクセスプリアンブルは、決定された周波数位置に基づいて前記端末デバイスから送信され、前記周波数位置は、前記ランダムアクセス設定情報及び事前設定ルールに基づいて決定され、前記６つのシンボルグループにおける全ての２つの隣接するシンボルグループの間の周波数間隔は、周波数ホッピング間隔であり、前記第１のシンボルグループと前記第２のシンボルグループとの間の周波数ホッピング間隔、及び前記第５のシンボルグループと前記第６のシンボルグループとの間の周波数ホッピング間隔は等しく、両方とも第１の間隔であり、前記第２のシンボルグループと前記第３のシンボルグループとの間の周波数ホッピング間隔、及び前記第４のシンボルグループと前記第５のシンボルグループとの間の周波数ホッピング間隔は等しく、両方とも第２の間隔であり、前記第３のシンボルグループと前記第４のシンボルグループとの間の周波数ホッピング間隔は第３の間隔であり、前記第１の間隔、前記第２の間隔、及び前記第３の間隔は等しくなく、ゼロに等しくない、受信することと、を含む方法。
【請求項９】
前記第１の間隔が１．２５ｋＨｚであり、前記第２の間隔が３．７５ｋＨｚであり、前記第３の間隔が２２．５ｋＨｚである、請求項８に記載の方法。
【請求項１０】
前記第１のシンボルグループから前記第２のシンボルグループへの周波数ホッピング方向は、前記第５のシンボルグループから前記第６のシンボルグループへの周波数ホッピング方向と反対であり、前記第２のシンボルグループから前記第３のシンボルグループへの周波数ホッピング方向は、前記第４のシンボルグループから前記第５のシンボルグループへの周波数ホッピング方向と反対である、請求項８又は９に記載の方法。
【請求項１１】
前記ランダムアクセス設定情報は、前記ランダムアクセスプリアンブルの反復数Ｗを含み、前記Ｗ回の反復において、前記ランダムアクセスプリアンブルに含まれる６＊Ｗのシンボルグループは、時系列において、０、１、．．．．、ｉ、．．．、６Ｗ−２、及び６Ｗ−１と番号付けされ、Ｗは正の整数であり、前記ランダムアクセス設定情報は、番号が０のシンボルグループの周波数位置を決定するためにさらに使用され、
前記事前設定ルールは、第１の式及び第２の式を含み、前記第１の式及びシンボルグループＰの番号ｉは、前記シンボルグループＰの周波数位置を決定するために使用され、前記第２の式及びシンボルグループＱの番号ｉは、前記シンボルグループＱの周波数位置を決定するために使用され、前記シンボルグループＰは、６＊Ｗのシンボルグループにおいて、番号がｉ＞０、及びｉｍｏｄ６＝０を満たすシンボルグループであり、前記シンボルグループＱは、６＊Ｗのシンボルグループにおいて、番号がｉ＞０、及びｉｍｏｄ６≠０を満たすシンボルグループであり、ｍｏｄは、モジュロ演算を表す、請求項８〜１０のいずれか一項に記載の方法。
【請求項１２】
前記第１の式は、番号が０の前記シンボルグループの前記周波数位置、及び番号ｉと疑似ランダム系列に基づいて決定される関数に関連するか、又は、前記第１の式は、番号がｉ−６のシンボルグループの周波数位置、及び番号ｉと疑似ランダム系列に基づいて決定される関数に関連し、
前記番号ｉは、前記シンボルグループＰの番号である、請求項１１に記載の方法。
【請求項１３】
前記第２の式は、番号がｉ−１のシンボルグループの周波数位置、及び番号がｉ−１のシンボルグループに対する番号がｉのシンボルグループの周波数位置間隔と周波数ホッピング方向に関連し、前記番号ｉは、前記シンボルグループＱの番号である、請求項１１又は１２に記載の方法。
【請求項１４】
前記事前設定ルールは、式１又は式２を含み、
前記式１は、
【数９】
2021513790.tif 000179
であり、
前記式２は、
【数１０】
2021513790.tif 000180
であり、
【数１１】
2021513790.tif 000181
は、番号がｉの前記シンボルグループの周波数位置であり、ｆ（ｉ／６）は、前記シンボルグループの前記番号ｉ、
【数１２】
2021513790.tif 000182
及び疑似ランダム系列に基づいて決定される関数であり、
【数１３】
2021513790.tif 000183
は、ランダムアクセスプリアンブルの送信制限であり、
【数１４】
2021513790.tif 000184
は、切り下げを表し、
【数１５】
2021513790.tif 000185
であり、
【数１６】
2021513790.tif 000186
である、請求項１１〜１３のいずれか一項に記載の方法。
【請求項１５】
通信デバイスであって、
ランダムアクセスプリアンブルを決定するように構成されている処理ユニットであって、前記ランダムアクセスプリアンブルは、６つのシンボルグループを含み、前記６つのシンボルグループは、第１のシンボルグループ、第２のシンボルグループ、第３のシンボルグループ、第４のシンボルグループ、第５のシンボルグループ、及び第６のシンボルグループを含み、
前記処理ユニットは、ランダムアクセス設定情報及び事前設定ルールに基づいて、前記ランダムアクセスプリアンブルの周波数位置を決定するようにさらに構成されており、
前記６つのシンボルグループにおける全ての２つの隣接するシンボルグループの間の周波数間隔は、周波数ホッピング間隔であり、前記第１のシンボルグループと前記第２のシンボルグループとの間の周波数ホッピング間隔、及び前記第５のシンボルグループと前記第６のシンボルグループとの間の周波数ホッピング間隔は等しく、両方とも第１の間隔であり、前記第２のシンボルグループと前記第３のシンボルグループとの間の周波数ホッピング間隔、及び前記第４のシンボルグループと前記第５のシンボルグループとの間の周波数ホッピング間隔は等しく、両方とも第２の間隔であり、前記第３のシンボルグループと前記第４のシンボルグループとの間の周波数ホッピング間隔は第３の間隔であり、前記第１の間隔、前記第２の間隔、及び前記第３の間隔は等しくなく、ゼロに等しくない、処理ユニットと、
前記周波数位置に基づいてネットワークデバイスにランダムアクセスプリアンブルを送信するように構成されている送信ユニットと、を含む通信デバイス。
【請求項１６】
前記第１の間隔が１．２５ｋＨｚであり、前記第２の間隔が３．７５ｋＨｚであり、前記第３の間隔が２２．５ｋＨｚである、請求項１５に記載の通信デバイス。
【請求項１７】
前記第１のシンボルグループから前記第２のシンボルグループへの周波数ホッピング方向は、前記第５のシンボルグループから前記第６のシンボルグループへの周波数ホッピング方向と反対であり、前記第２のシンボルグループから前記第３のシンボルグループへの周波数ホッピング方向は、前記第４のシンボルグループから前記第５のシンボルグループへの周波数ホッピング方向と反対である、請求項１５又は１６に記載の通信デバイス。
【請求項１８】
前記ランダムアクセス設定情報は、前記ランダムアクセスプリアンブルの反復数Ｗを含み、前記Ｗ回の反復において、前記ランダムアクセスプリアンブルに含まれる６＊Ｗのシンボルグループは、時系列において、０、１、．．．．、ｉ、．．．、６Ｗ−２、及び６Ｗ−１と番号付けされ、Ｗは正の整数であり、前記事前設定ルールは、第１の式及び第２の式を含み、
前記処理ユニットは、具体的には、
前記通信デバイスによって、前記ランダムアクセス設定情報に基づいて、番号が０のシンボルグループの周波数位置を決定し、前記第１の式及びシンボルグループＰの番号ｉに基づいて、前記シンボルグループＰの周波数位置を決定し、前記第２の式及びシンボルグループＱの番号ｉに基づいて、前記シンボルグループＱの周波数位置を決定するように構成されており、
前記シンボルグループＰは、６＊Ｗのシンボルグループにおいて、番号がｉ＞０、及びｉｍｏｄ６＝０を満たすシンボルグループであり、前記シンボルグループＱは、６＊Ｗのシンボルグループにおいて、番号がｉ＞０、及びｉｍｏｄ６≠０を満たすシンボルグループであり、ｍｏｄは、モジュロ演算を表す、請求項１５〜１７のいずれかに一項に通信デバイス。
【請求項１９】
前記第１の式は、番号が０の前記シンボルグループの前記周波数位置、及び番号ｉと疑似ランダム系列に基づいて決定される関数に関連するか、又は、前記第１の式は、番号がｉ−６のシンボルグループの周波数位置、及び番号ｉと疑似ランダム系列に基づいて決定される関数に関連し、
前記番号ｉは、前記シンボルグループＰの番号である、請求項１８に記載の通信デバイス。
【請求項２０】
前記第２の式は、番号がｉ−１のシンボルグループの周波数位置、及び番号がｉ−１のシンボルグループに対する番号がｉのシンボルグループの周波数位置間隔と周波数ホッピング方向に関連し、前記番号ｉは、前記シンボルグループＱの番号である、請求項１８又は１９に記載の通信デバイス。
【請求項２１】
前記事前設定ルールは、式１又は式２を含み、
前記式１は、
【数１７】
2021513790.tif 000187
であり、
前記式２は、
【数１８】
2021513790.tif 000188
であり、
【数１９】
2021513790.tif 000189
は、番号がｉの前記シンボルグループの周波数位置であり、ｆ（ｉ／６）は、前記シンボルグループの前記番号ｉ、
【数２０】
2021513790.tif 000190
及び疑似ランダム系列に基づいて決定される関数であり、
【数２１】
2021513790.tif 000191
は、ランダムアクセスプリアンブルの送信制限であり、
【数２２】
2021513790.tif 000192
は、切り下げを表し、
【数２３】
2021513790.tif 000193
であり、
【数２４】
2021513790.tif 000194
である、請求項１８〜２０のいずれか一項に記載の通信デバイス。
【請求項２２】
ネットワークデバイスであって、
ランダムアクセス設定情報を決定し、前記ネットワークデバイスの送信ユニットを使用して前記ランダムアクセス設定情報を端末デバイスに送信するように構成されている処理ユニットであって、前記ランダムアクセス設定情報は、前記端末デバイスがランダムアクセスプリアンブルを決定することを示すために使用され、前記ランダムアクセスプリアンブルは、６つのシンボルグループを含み、前記６つのシンボルグループは、第１のシンボルグループ、第２のシンボルグループ、第３のシンボルグループ、第４のシンボルグループ、第５のシンボルグループ、及び第６のシンボルグループを含む、処理ユニットと、
前記ランダムアクセス設定情報に基づいて前記端末デバイスによって送信された前記ランダムアクセスプリアンブルを受信するように構成されている受信ユニットであって、前記ランダムアクセスプリアンブルは、決定された周波数位置に基づいて前記端末デバイスから送信され、前記周波数位置は、前記ランダムアクセス設定情報及び事前設定ルールに基づいて決定され、前記６つのシンボルグループにおける全ての２つの隣接するシンボルグループの間の周波数間隔は、周波数ホッピング間隔であり、前記第１のシンボルグループと前記第２のシンボルグループとの間の周波数ホッピング間隔、及び前記第５のシンボルグループと前記第６のシンボルグループとの間の周波数ホッピング間隔は等しく、両方とも第１の間隔であり、前記第２のシンボルグループと前記第３のシンボルグループとの間の周波数ホッピング間隔、及び前記第４のシンボルグループと前記第５のシンボルグループとの間の周波数ホッピング間隔は等しく、両方とも第２の間隔であり、前記第３のシンボルグループと前記第４のシンボルグループとの間の周波数ホッピング間隔は第３の間隔であり、前記第１の間隔、前記第２の間隔、及び前記第３の間隔は等しくなく、ゼロと等しくない、受信ユニットと、を含むネットワークデバイス。
【請求項２３】
前記第１の間隔が１．２５ｋＨｚであり、前記第２の間隔が３．７５ｋＨｚであり、前記第３の間隔が２２．５ｋＨｚである、請求項２２に記載のネットワークデバイス。
【請求項２４】
前記第１のシンボルグループから前記第２のシンボルグループへの周波数ホッピング方向は、前記第５のシンボルグループから前記第６のシンボルグループへの周波数ホッピング方向と反対であり、前記第２のシンボルグループから前記第３のシンボルグループへの周波数ホッピング方向は、前記第４のシンボルグループから前記第５のシンボルグループへの周波数ホッピング方向と反対である、請求項２２又は２３に記載のネットワークデバイス。
【請求項２５】
前記ランダムアクセス設定情報は、前記ランダムアクセスプリアンブルの反復数Ｗを含み、前記Ｗ回の反復において、前記ランダムアクセスプリアンブルに含まれる６＊Ｗのシンボルグループは、時系列において、０、１、．．．．、ｉ、．．．、６Ｗ−２、及び６Ｗ−１と番号付けされ、Ｗは正の整数であり、前記ランダムアクセス設定情報は、番号が０のシンボルグループの周波数位置を決定するためにさらに使用され、
前記事前設定ルールは、第１の式及び第２の式を含み、前記第１の式及びシンボルグループＰの番号ｉは、前記シンボルグループＰの周波数位置を決定するために使用され、前記第２の式及びシンボルグループＱの番号ｉは、前記シンボルグループＱの周波数位置を決定するために使用され、前記シンボルグループＰは、６＊Ｗのシンボルグループにおいて、番号がｉ＞０、及びｉｍｏｄ６＝０を満たすシンボルグループであり、前記シンボルグループＱは、６＊Ｗのシンボルグループにおいて、番号がｉ＞０、及びｉｍｏｄ６≠０を満たすシンボルグループであり、ｍｏｄは、モジュロ演算を表す、請求項２２〜２４のいずれか一項に記載のネットワークデバイス。
【請求項２６】
前記第１の式は、番号が０の前記シンボルグループの前記周波数位置、及び番号ｉと疑似ランダム系列に基づいて決定される関数に関連するか、又は、前記第１の式は、番号がｉ−６のシンボルグループの周波数位置、及び番号ｉと疑似ランダム系列に基づいて決定される関数に関連し、
前記番号ｉは、前記シンボルグループＰの番号である、請求項２５に記載のネットワークデバイス。
【請求項２７】
前記第２の式は、番号がｉ−１のシンボルグループの周波数位置、及び番号がｉ−１のシンボルグループに対する番号がｉのシンボルグループの周波数位置間隔と周波数ホッピング方向に関連し、前記番号ｉは、前記シンボルグループＱの番号である、請求項２５又は２６に記載のネットワークデバイス。
【請求項２８】
前記事前設定ルールは、式１又は式２を含み、
前記式１は、
【数２５】
2021513790.tif 000195
であり、
前記式２は、
【数２６】
2021513790.tif 000196
であり、
【数２７】
2021513790.tif 000197
は、番号がｉの前記シンボルグループの周波数位置であり、ｆ（ｉ／６）は、前記シンボルグループの前記番号ｉ、
【数２８】
2021513790.tif 000198
及び疑似ランダム系列に基づいて決定される関数であり、
【数２９】
2021513790.tif 000199
は、ランダムアクセスプリアンブルの送信制限であり、
【数３０】
2021513790.tif 000200
は、切り下げを表し、
【数３１】
2021513790.tif 000201
であり、
【数３２】
2021513790.tif 000202
である、請求項２５〜２７のいずれか一項に記載のネットワークデバイス。
【発明の詳細な説明】
【技術分野】
【０００１】
この出願は、通信分野に関し、より具体的には、通信方法、通信デバイス、及びネットワークデバイスに関する。
【背景技術】
【０００２】
狭帯域モノのインターネット（Narrow  Band  Internet  of  Things、ＮＢ−ＩｏＴ）において、ランダムアクセス手順（Random  Access  Procedure）は、端末デバイスが専用チャネルリソースを得ることにより、アイドルモードから接続モードに変更するための重要な方法である。狭帯域物理ランダムアクセスチャネル（Narrowband  Physical  Random  Access  Channel、ＮＰＲＡＣＨ）は、ランダムアクセス要求を送信するためのチャネルである。ランダムアクセス手順は、競合ベースのランダムアクセス手順と非競合ベースのランダムアクセス手順に分類される。競合ベースのランダムアクセス手順であるか、非競合ベースのランダムアクセス手順であるかにかかわらず、ランダムアクセスプリアンブル（preamble）が、ネットワークデバイスに１つのランダムアクセス要求があることを通知するために、最初のステップにおいてＮＰＲＡＣＨ上で送信される必要がある。同時に、ネットワークデバイスは、ネットワークデバイスと端末との間の送信待ち時間を推定し、送信待ち時間に基づいて上りリンクタイミング（timing）を較正することができる。
【０００３】
既存のＮＢ−ＩｏＴでは、ランダムアクセスプリアンブルは４０キロメートル（kilometer、ｋｍ）のセル半径をサポートする。例えば、スマートレークやロング・ターム・エボリューション（Long  Term  Evolution、ＬＴＥ）との共存サイトのような、モノのインターネットにおけるオープンエリア向けの用途では、ランダムアクセスプリアンブルは、より大きなセルをサポートする必要がある。より大きなセル半径をサポートするために、ランダムアクセスプリアンブルのフォーマットが再設計される必要がある。しかしながら、ランダムアクセスプリアンブルの現在の周波数ホッピングパターンは、再設計されたランダムアクセスプリアンブルに適用できないことがある。
【発明の概要】
【０００４】
この出願は、再設計されたランダムアクセスプリアンブルに一致する周波数ホッピングパターンに基づいてランダムアクセスを行うための通信方法、通信デバイス、及びネットワークデバイスを提供する。
【０００５】
第１の態様によれば、通信方法が提供される。
本方法は、端末デバイスによって、ランダムアクセスプリアンブルを決定することであって、ランダムアクセスプリアンブルは、６つのシンボルグループを含み、６つのシンボルグループは、第１のシンボルグループ、第２のシンボルグループ、第３のシンボルグループ、第４のシンボルグループ、第５のシンボルグループ、及び第６のシンボルグループを含む、決定することと、
端末デバイスによって、ランダムアクセス設定情報及び事前設定ルールに基づいて、ランダムアクセスプリアンブルの周波数位置を決定することであって、
６つのシンボルグループにおける全ての２つの隣接するシンボルグループの間の周波数間隔は、周波数ホッピング間隔であり、第１のシンボルグループと第２のシンボルグループとの間の周波数ホッピング間隔、及び第５のシンボルグループと第６のシンボルグループとの間の周波数ホッピング間隔は等しく、両方とも第１の間隔であり、第２のシンボルグループと第３のシンボルグループとの間の周波数ホッピング間隔、及び第４のシンボルグループと第５のシンボルグループとの間の周波数ホッピング間隔は等しく、両方とも第２の間隔であり、第３のシンボルグループと第４のシンボルグループとの間の周波数ホッピング間隔は第３の間隔であり、第１の間隔、第２の間隔、及び第３の間隔は等しくなく、ゼロに等しくない、決定することと、
端末デバイスによって、周波数位置に基づいてネットワークデバイスにランダムアクセスプリアンブルを送信することと、を含む。
【０００６】
従って、この出願のこの実施形態の通信方法によれば、端末デバイスは、６つのシンボルグループを含むランダムアクセスプリアンブルの周波数ホッピングパターン（すなわち、各シンボルグループの周波数位置）を決定し、ランダムアクセスプリアンブルを送信しランダムアクセスを行う。
【０００７】
周波数ホッピング間隔は、時間領域における２つの隣接するシンボルグループ間の周波数間隔であるか、又は周波数ホッピング間隔は、時間領域における２つの隣接するシンボルグループ間の周波数差の絶対値であると理解されたい。
【０００８】
この出願の周波数位置は、副搬送波のインデックス又は番号を示すとさらに理解されたい。全ての２つの隣接するシンボルグループ間の周波数位置間隔は、周波数位置間の差の絶対値である。２つの隣接するシンボルグループ間の周波数ホッピング間隔は、２つの隣接するシンボルグループ間の周波数位置間隔に副搬送波帯域幅を乗じることによって得られる値に等しい。周波数位置は、相対周波数位置又は絶対周波数位置であってもよい。シンボルグループの相対周波数位置は、シンボルグループの絶対周波数位置とオフセット周波数位置との間の差である。対応して、シンボルグループの絶対周波数位置は、シンボルグループの相対周波数位置とオフセット周波数位置の和である。端末デバイスは、シンボルグループの絶対周波数位置に対応する周波数でランダムアクセスプリアンブルを送信すると理解されたい。
【０００９】
本明細書において、オフセット周波数位置は、プロトコルで指定されるか、又はネットワークデバイスによって通知されてもよい。これは、この出願において制限されない。例えば、ネットワークデバイスは、オフセット周波数位置を搬送するためにランダムアクセス設定情報を使用してもよい。
【００１０】
任意で、周波数ホッピング間隔は副搬送波帯域幅の整数倍であってもよい。例えば、副搬送波帯域幅が１．２５ｋＨｚである場合、隣接するシンボルグループ間の周波数ホッピング間隔は、Ｎ＊１．２５ｋＨｚであってもよく、ここで、Ｎは正の整数である。代替的には、隣接するシンボルグループ間の周波数ホッピング間隔は、副搬送波帯域幅の整数倍でなくてもよい。隣接するシンボルグループ間の周波数ホッピング間隔が副搬送波帯域幅の整数倍であるかどうかは、この出願では制限されない。
【００１１】
任意で、ランダムアクセスプリアンブルの周波数ホッピング範囲は、３６副搬送波である。
【００１２】
既存のランダムアクセスプリアンブルは、１２副搬送波（すなわち、４５ｋＨｚ）内の周波数ホッピングのために使用され得る。この出願のこの実施形態において副搬送波帯域幅が３．７５ｋＨｚから１．２５ｋＨｚに低減されるときに、４５ｋＨｚのＮＰＲＡＣＨリソースが維持されることに基づいて、この出願におけるランダムアクセスプリアンブルの周波数ホッピング範囲は、１２副搬送波から３６副搬送波に増加され得る。従って、この出願で提供される周波数ホッピング解決策は、ランダムアクセスを行うためにＮＰＲＡＣＨリソースを再利用する際に、より多くのユーザをサポートすることができる。言い換えれば、１２ユーザをサポートする４５ｋＨｚでの解決策と比較して、この出願は３６ユーザによる再利用をサポートすることができる。
【００１３】
任意に、ランダムアクセスプリアンブルに含まれる６つのシンボルグループのいずれか１つは、１つの周期的プレフィックス（Cyclic  Prefix、ＣＰ）と１つのシンボル、１つのＣＰと２つのシンボル、又は１つのＣＰと３つのシンボルを含んでもよい。本明細書におけるＣＰ及びシンボルの両方の時間長は、８００マイクロ秒（μｓ）であってもよい。ランダムアクセスプリアンブルは、より大きなセル半径をサポートしてもよい。
【００１４】
最大セル半径はガード時間（Gard  Time、ＧＴ）に関連する。ガード時間が長いほど、カバーされる最大セル半径が大きいことを示す。ガード時間は、シンボルグループ内のＣＰ及びシンボルの全長に関連する。追加的に、ＣＰの時間長は最大セル半径をカバーすべきである。式Ｓ＝Ｖ＊Ｔによれば、Ｖは、３０＊１０８ｍ／ｓの光の速度であり、Ｓ＝２＊１００＊１０３である。従って、Ｔ＝６６６．７μｓは、２つの値を式Ｓ＝Ｖ＊Ｔに代入することによって得てもよい。しかし、ＣＰの時間長ＴＣＰは８００μｓであり、６６６．７μｓより大きい。従って、この出願では、ランダムアクセスプリアンブルのフォーマットが設定され、ランダムアクセスプリアンブルは、約１００ｋｍであるより大きなセル半径をサポートすることができる。
【００１５】
さらに、シンボルグループ内の各シンボルで搬送される系列は、同じであってもよい。例えば、各シンボルで搬送される系列はａであり、Ｅ個のシンボルで搬送される系列は
【数１】
2021513790.tif 000003
であり、ここで、ａは実数、例えば、１若しくは−１の実数であってもよく、又はａは、例えば、ｊ若しくは−ｊの複素数であってもよく、ｊは虚数単位を表し、ｊ２＝−１を満たす。シンボルグループ内のシンボルで搬送される系列が異なってもよいか、又はシンボルグループ内のいくつかのシンボル上で搬送される系列が同じで、他のシンボルで搬送される系列が異なってもよい。
【００１６】
追加的に、任意の２つのシンボルグループにおいて搬送される系列は、同じであってもよいし、異なってもよい。
【００１７】
この出願におけるランダムアクセスプリアンブルは、スクランブル系列を使用してスクランブルされないランダムアクセスプリアンブルであってもよいし、スクランブル系列を使用してスクランブルされるランダムアクセスプリアンブルであってもよい。スクランブルは、干渉ランダム化性能を改善し、セル間干渉により生じる誤警報を回避するために行われる。
【００１８】
ベース系列に基づいて端末デバイスによって得られるスクランブルコード系列の長さは、複数の場合を有してもよい。具体的には、スクランブルコード系列の長さは、ランダムアクセスプリアンブルのシンボルグループ内のシンボル数と同じであってもよく、スクランブルコード系列の長さは、ランダムアクセスプリアンブルの反復周期におけるシンボル数と同じであってもよく、又はスクランブルコード系列の長さは、ランダムアクセスプリアンブルの全ての反復周期におけるシンボル数と同じであってもよい。スクランブルコード系列の長さは、ランダムアクセスプリアンブルのシンボルグループにおける周期的プレフィックスとシンボルの数の合計と同じであってもよく、スクランブルコード系列の長さは、ランダムアクセスプリアンブルの反復周期における周期的プレフィックスとシンボルの数の合計と同じであってもよく、あるいは、スクランブルコード系列の長さは、ランダムアクセスプリアンブルの全ての反復周期における周期的プレフィックスとシンボルの数の合計と同じであってもよい。スクランブルコード系列の長さは、この出願では制限されない。
【００１９】
端末デバイスは、端末デバイス内で設定される手法でベース系列を生成するか、又は問い合わせを介してベース系列を得てもよい。端末デバイスが、ベース系列に基づいてスクランブルコード系列を得るための複数の方法があってもよい。任意の方法１では、スクランブル系列はベース系列であり、スクランブル系列及びベース系列は等しい。例えば、ベース系列はＡＢＣであり、得られたスクランブルコード系列はＡＢＣである。任意の方法２では、ベース系列中の各要素がＭ回連続して反復されてスクランブルコード系列を得る。。具体的には、端末デバイスはベース系列中の第１の要素をＭ回反復し、第２の要素をＭ回反復し、最後の要素をＭ回反復する。別の例では、ベース系列はＡＢＣであり、ベース系列内の各要素が連続して２回反復されてＡＡＢＢＣＣを得る。例えば、ベース系列はＡＢであり、ベース系列内の各要素が連続して３回反復されてＡＡＡＢＢＢを得る。
【００２０】
端末デバイスは、ネットワークデバイスによって送信されたスクランブルコード表示情報を得てもよい。スクランブルコード表示情報は、端末デバイスが方法１又は方法２を使用してランダムアクセスプリアンブルをスクランブルすることを示すために使用される。
【００２１】
任意の方法において、パラメータインデックスは、方法１及び／又は方法２に対応する異なる値を有してもよい。例えば、パラメータインデックスの値が０のときに、端末デバイスが方法１を使用してランダムアクセスプリアンブルをスクランブルすることを示す。パラメータインデックスの値が１のときに、端末デバイスが方法２を使用してランダムアクセスプリアンブルをスクランブルすることを示す。
【００２２】
任意の方法では、端末デバイスが、ネットワークデバイスによって送信されたスクランブルコード表示情報を受信するときに、端末デバイスは方法１を使用してランダムアクセスプリアンブルをスクランブルする。端末デバイスが、ネットワークデバイスによって送信されたスクランブルコード表示情報を受信しないときに、端末デバイスは、方法２を使用してランダムアクセスプリアンブルをスクランブルする。
【００２３】
任意の方法では、スクランブルコード表示情報は、第１の状態と第２の状態の２つの状態を含む。スクランブルコード表示情報が第１の状態を示すときに、端末デバイスは、方法１を使用してランダムアクセスプリアンブルをスクランブルする。スクランブルコード表示情報が第２の状態を示すときに、端末デバイスは、方法２を使用してランダムアクセスプリアンブルをスクランブルする。
【００２４】
ベース系列又はスクランブルコード系列は、直交系列、ＺＣ系列、擬似ランダム系列、差動直交系列、付加スクランブルコードが各反復周期においてシンボルグループで区別された後に得られる直交系列、付加スクランブルコードが各反復周期においてシンボルグループで区別された後に得られる直交系列のサブセット、などであり得る。直交系列は、ウォルシュ系列であってもよい。擬似ランダム系列は、ｍ系列、Ｍ系列、Ｇｏｌｄ系列などであり得る。擬似ランダム系列の初期化シードは、セル識別子、ハイパーフレーム番号、フレーム番号、シンボルインデックス、シンボルグループインデックス、反復数、副搬送波インデックス、キャリアインデックスなどの少なくとも１つの関数である。好ましくは、ベース系列又はスクランブルコード系列は、式
【数２】
2021513790.tif 000004
によって表されてもよく、ここで、ｍ＝０、１、２、．．．、又はｋ−１であり、ｕは、スクランブルコード系列のインデックスである。
【数３】
2021513790.tif 000005
又は、
【数４】
2021513790.tif 000006
であり、ここで、
【数５】
2021513790.tif 000007
は、セル識別子であり、ｋは、スクランブルコード系列の長さである。
【００２５】
可能な実装では、第１の間隔は１．２５ｋＨｚである。
【００２６】
可能な実装では、第２の間隔は３．７５ｋＨｚである。
【００２７】
可能な実装では、第３の間隔は２２．５ｋＨｚである。
【００２８】
第１の間隔、第２の間隔、及び第３の間隔の値は、この出願において特に制限されないと理解されたい。前述の実施形態は、単なる説明ための例に過ぎず、この出願に対するいかなる限定も構成しないものとする。例えば、第１の間隔は代替的には２．５ｋＨｚであってもよく、第２の間隔は代替的には１．２５ｋＨｚであってもよい。別の例では、第３の間隔は１２．５ｋＨｚであってもよい。
【００２９】
さらに、第１のシンボルグループから第２のシンボルグループへの周波数ホッピング方向は、第５のシンボルグループから第６のシンボルグループへの周波数ホッピング方向と反対であり、第２のシンボルグループから第３のシンボルグループへの周波数ホッピング方向は、第４のシンボルグループから第５のシンボルグループへの周波数ホッピング方向と反対である。
【００３０】
任意で、第１のシンボルグループから第２のシンボルグループへの周波数ホッピング方向は、第２のシンボルグループから第３のシンボルグループへの周波数ホッピング方向と同じである。代替的に、第１のシンボルグループから第２のシンボルグループへの周波数ホッピング方向は、第２のシンボルグループから第３のシンボルグループへの周波数ホッピング方向と異なる。
【００３１】
この出願のこの実施形態では、ランダムアクセスプリアンブルの６つのシンボルグループは２つのグループに分類され、各グループは３つのシンボルグループを含む。第１のグループにおける第１のシンボルグループと第２のシンボルグループとの間の周波数ホッピング間隔と、第２のグループにおける第１のシンボルグループと第２のシンボルグループとの間の周波数ホッピング間隔は等しく、両方とも第１の間隔である。第１のグループにおける第２のシンボルグループと第３のシンボルグループとの間の周波数ホッピング間隔と、第２のグループにおける第２のシンボルグループと第３のシンボルグループとの間の周波数ホッピング間隔は等しく、両方とも第２の間隔である。第１のグループにおける第３のシンボルグループと第２のグループの第１のシンボルグループとの間の周波数ホッピング間隔は、第３の間隔である。
【００３２】
任意で、第１のグループにおける第１のシンボルグループから第２のシンボルグループへの周波数ホッピング方向は、第２のグループにおける第１のシンボルグループから第２のシンボルグループへの周波数ホッピング方向と反対である。第１のグループにおける第２のシンボルグループから第３のシンボルグループへの周波数ホッピング方向は、第２のグループにおける第２のシンボルグループから第３のシンボルグループへの周波数ホッピング方向と反対である。代替的には、第１のグループにおける３つのシンボルグループ間の周波数ホッピング方向は、第２のグループにおける３つのシンボルグループ間の周波数ホッピング方向とは反対である。
【００３３】
シミュレーションを介して、ランダムアクセスプリアンブルが、１．２５ｋＨｚの第１の間隔、３．７５ｋＨｚの第２の間隔、及び２２．５ｋＨｚの第３の間隔に基づいて、前述の周波数ホッピング方向で送信されるときに、推定上りリンクタイミングの正確性が改善され得ることが分かる。
【００３４】
可能な実装では、ランダムアクセス設定情報は、ランダムアクセスプリアンブルの反復数Ｗを含み、Ｗ回の反復において、ランダムアクセスプリアンブルに含まれる６＊Ｗのシンボルグループは、時系列において、０、１、．．．．、ｉ、．．．、６Ｗ−２、及び６Ｗ−１と番号付けされ、Ｗは正の整数であり、事前設定ルールは、第１の式及び第２の式を含み、
端末デバイスによって、ランダムアクセス設定情報及び事前設定ルールに基づいて、ランダムアクセスプリアンブルの周波数位置を決定することは、
端末デバイスによって、ランダムアクセス設定情報に基づいて、番号が０のシンボルグループの周波数位置を決定し、第１の式及びシンボルグループＰの番号ｉに基づいて、シンボルグループＰの周波数位置を決定し、第２の式及びシンボルグループＱの番号ｉに基づいて、シンボルグループＱの周波数位置を決定することを含み、
シンボルグループＰは、６＊Ｗのシンボルグループにおいて、番号がｉ＞０、及びｉｍｏｄ６＝０を満たすシンボルグループであり、シンボルグループＱは、６＊Ｗのシンボルグループにおいて、番号がｉ＞０、及びｉｍｏｄ６≠０を満たすシンボルグループであり、ｍｏｄは、モジュロ演算を表す。
【００３５】
具体的には、端末デバイスは、ランダムアクセス設定情報に基づいて番号が０のシンボルグループの周波数位置を決定し、第１の式及びシンボルグループＰの番号ｉに基づいて、シンボルグループＰの周波数位置を決定し、第２の式及びシンボルグループＱの番号ｉに基づいて、シンボルグループＱの周波数位置を決定する。
【００３６】
事前設定ルールは、例えば、プロトコルで指定されてもよいし、ネットワークデバイスによって設定されてもよい。これは、この出願のこの実施形態において制限されない。
【００３７】
可能な実装では、第１の式は、番号が０のシンボルグループの周波数位置、及び番号ｉと疑似ランダム系列に基づいて決定される関数に関連するか、又は、第１の式は、番号がｉ−６のシンボルグループの周波数位置、及び番号ｉと疑似ランダム系列に基づいて決定される関数に関連し、番号ｉは、シンボルグループＰの番号である。
【００３８】
シンボルグループＰの周波数位置は、番号が０のシンボルグループの周波数位置に関連するか、又はシンボルグループＰの前の第６のシンボルグループの周波数位置に関連し、別のシンボルグループの周波数位置とは無関係であることが分かる。
【００３９】
可能な実装では、第２の式は、番号がｉ−１のシンボルグループの周波数位置と、番号がｉ−１のシンボルグループに対する番号がｉのシンボルグループの周波数位置間隔及び周波数ホッピング方向とに関連し、番号ｉは、シンボルグループＱの番号である。
【００４０】
シンボルグループＱの周波数は、シンボルグループＱに隣接する前のシンボルグループの周波数位置にのみ関係し、別のシンボルグループの周波数位置とは無関係であることが分かる。
【００４１】
周波数位置間隔は副搬送波インデックス間の差の絶対値であると理解されたい。
【００４２】
事前設定ルールは、式１又は式２を含み、
式１は、
【数６】
2021513790.tif 000008
であり、
式２は、
【数７】
2021513790.tif 000009
であり、ここで、
【数８】
2021513790.tif 000010
は、番号がｉのシンボルグループの周波数位置であり、ｆ（ｉ／６）は、シンボルグループの番号ｉ、
【数９】
2021513790.tif 000011
及び疑似ランダム系列に基づいて決定される関数であり、
【数１０】
2021513790.tif 000012
は、ランダムアクセスプリアンブルの送信制限であり、
【数１１】
2021513790.tif 000013
は、切り下げを表し、
【数１２】
2021513790.tif 000014
であり、
【数１３】
2021513790.tif 000015
である。
【００４３】
本明細書において、
【数１４】
2021513790.tif 000016
は、プロトコルで指定されてもよく、ネットワークデバイスによって端末デバイスに通知されてもよく、固定値でもよく、又はいくつかの候補値のうちの１つであってもよい。例えば、ネットワークデバイスは、ランダムアクセス設定情報を使用して、
【数１５】
2021513790.tif 000017
を搬送してもよい。副搬送波帯域幅が１．２５ｋＨｚのときに、
【数１６】
2021513790.tif 000018
は、３６に等しくてもよい。これは、本明細書において制限されない。例えば、
【数１７】
2021513790.tif 000019
は、代替的には７２であってもよい。
【数１８】
2021513790.tif 000020
の値は、
【数１９】
2021513790.tif 000021
に等しいか、又は
【数２０】
2021513790.tif 000022
の値は、
【数２１】
2021513790.tif 000023
に関連付けられているか、若しくは制約されてもよい。例えば、
【数２２】
2021513790.tif 000024
は、表内のいくつかの対応関係を使用して
【数２３】
2021513790.tif 000025
に関連付けられる。これは、本明細書において制限されない。
【数２４】
2021513790.tif 000026
は、ネットワークデバイスによって端末デバイスに送信されるランダムアクセス設定情報におけるパラメータであり、ランダムアクセスのために使用される副搬送波数を表す。
【００４４】
任意で、番号が０のシンボルグループの周波数位置は、
【数２５】
2021513790.tif 000027
であり、ここで、ｎｉｎｉｔは、ＭＡＣ（Media  Access  Control、MAC）層において
【数２６】
2021513790.tif 000028
から選択される副搬送波のインデックスであり、
【数２７】
2021513790.tif 000029
は、ランダムアクセスのために使用される副搬送波数を表す。
【００４５】
周波数位置
【数２８】
2021513790.tif 000030
が相対周波数位置であるときに、詳細には、
【数２９】
2021513790.tif 000031
が、ｉ番目のシンボルグループの相対周波数位置であるときに、ｉ番目のシンボルグループの絶対周波数位置は、
【数３０】
2021513790.tif 000032
として示される。この場合、
【数３１】
2021513790.tif 000033
であり、ここで、ｎｓｔａｒｔは、オフセット周波数位置である。ｉ番目のシンボルグループの絶対周波数位置は、端末デバイスによって決定されるｉ番目のシンボルグループの周波数位置及びオフセット周波数位置に基づいて決定され得るということが式から分かる。
【００４６】
例えば、オフセット周波数位置ｎｓｔａｒｔは、
【数３２】
2021513790.tif 000034
を満たし、ここで、ｎｉｎｉｔは、ＭＡＣ層において
【数３３】
2021513790.tif 000035
から選択される副搬送波のインデックスであり、
【数３４】
2021513790.tif 000036
及び
【数３５】
2021513790.tif 000037
は、ランダムアクセス設定情報における２つのパラメータであり、
【数３６】
2021513790.tif 000038
は、ＮＰＲＡＣＨの共通開始副搬送波の周波数位置を表し、
【数３７】
2021513790.tif 000039
は、ランダムアクセスのために使用される副搬送波数を表す。
【００４７】
任意で、ｆ（ｉ／６）の値は、疑似ランダム系列ｃ（ｎ）の関数ｆ（ｔ）に基づいて決定され得る。ｆ（ｔ）は、
【数３８】
2021513790.tif 000040
と表されてもよく、ここで、ｆ（−１）＝０であり、ｃ（ｎ）は、ｍ系列、Ｍ系列、Ｇｏｌｄ系列などであってもよい。
【００４８】
さらに、ｃ（ｎ）の初期化シードは、端末デバイスの物理層セル識別子、又は物理層セル識別子の関数であってもよい。
【００４９】
第２の態様によれば、通信方法が提供される。
本方法は、ネットワークデバイスによって、ランダムアクセス設定情報を決定し、ランダムアクセス設定情報を端末デバイスに送信することであって、ランダムアクセス設定情報は、端末デバイスがランダムアクセスプリアンブルを決定することを示すために使用され、ランダムアクセスプリアンブルは、６つのシンボルグループを含み、６つのシンボルグループは、第１のシンボルグループ、第２のシンボルグループ、第３のシンボルグループ、第４のシンボルグループ、第５のシンボルグループ、及び第６のシンボルグループを含む、ことと、
ネットワークデバイスによって、ランダムアクセス設定情報に基づいて端末デバイスによって送信されたランダムアクセスプリアンブルを受信することであって、ランダムアクセスプリアンブルは、決定された周波数位置に基づいて端末デバイスから送信され、周波数位置は、ランダムアクセス設定情報及び事前設定ルールに基づいて決定され、６つのシンボルグループにおける全ての２つの隣接するシンボルグループの間の周波数間隔は、周波数ホッピング間隔であり、第１のシンボルグループと第２のシンボルグループとの間の周波数ホッピング間隔、及び第５のシンボルグループと第６のシンボルグループとの間の周波数ホッピング間隔は等しく、両方とも第１の間隔であり、第２のシンボルグループと第３のシンボルグループとの間の周波数ホッピング間隔、及び第４のシンボルグループと第５のシンボルグループとの間の周波数ホッピング間隔は等しく、両方とも第２の間隔であり、第３のシンボルグループと第４のシンボルグループとの間の周波数ホッピング間隔は第３の間隔であり、第１の間隔、第２の間隔、及び第３の間隔は等しくなく、ゼロに等しくない、受信することと、を含む。
【００５０】
従って、この出願のこの実施形態の通信方法によれば、端末デバイスは、６つのシンボルグループを含むランダムアクセスプリアンブルの周波数ホッピングパターン（すなわち、各シンボルグループの周波数位置）を決定し、ランダムアクセスプリアンブルを送信しランダムアクセスを行う。
【００５１】
可能な実装では、第１の間隔は１．２５ｋＨｚであり、第２の間隔は３．７５ｋＨｚであり、第３の間隔は２２．５ｋＨｚである。
【００５２】
可能な実装では、第１のシンボルグループから第２のシンボルグループへの周波数ホッピング方向は、第５のシンボルグループから第６のシンボルグループへの周波数ホッピング方向と反対であり、第２のシンボルグループから第３のシンボルグループへの周波数ホッピング方向は、第４のシンボルグループから第５のシンボルグループへの周波数ホッピング方向と反対である。
【００５３】
可能な実装では、ランダムアクセス設定情報は、ランダムアクセスプリアンブルの反復数Ｗを含み、Ｗ回の反復において、ランダムアクセスプリアンブルに含まれる６＊Ｗのシンボルグループは、時系列において、０、１、．．．．、ｉ、．．．、６Ｗ−２、及び６Ｗ−１と番号付けされ、Ｗは正の整数であり、事前設定ルールは、第１の式及び第２の式を含み、
端末デバイスによって、ランダムアクセス設定情報及び事前設定ルールに基づいて、ランダムアクセスプリアンブルの周波数位置を決定することは、
端末デバイスによって、ランダムアクセス設定情報に基づいて、番号が０のシンボルグループの周波数位置を決定し、第１の式及びシンボルグループＰの番号ｉに基づいて、シンボルグループＰの周波数位置を決定し、第２の式及びシンボルグループＱの番号ｉに基づいて、シンボルグループＱの周波数位置を決定することを含み、
シンボルグループＰは、６＊Ｗのシンボルグループにおいて、番号がｉ＞０、及びｉｍｏｄ６＝０を満たすシンボルグループであり、シンボルグループＱは、６＊Ｗのシンボルグループにおいて、番号がｉ＞０、及びｉｍｏｄ６≠０を満たすシンボルグループであり、ｍｏｄは、モジュロ演算を表す。
【００５４】
可能な実装では、第１の式は、番号が０のシンボルグループの周波数位置、及び番号ｉと疑似ランダム系列に基づいて決定される関数に関連するか、又は、第１の式は、番号がｉ−６のシンボルグループの周波数位置、及び番号ｉと疑似ランダム系列に基づいて決定される関数に関連し、
番号ｉは、シンボルグループＰの番号である。
【００５５】
可能な実装では、第２の式は、番号がｉ−１のシンボルグループの周波数位置と、番号がｉ−１のシンボルグループに対する番号がｉのシンボルグループの周波数位置間隔及び周波数ホッピング方向とに関連し、番号ｉは、シンボルグループＱの番号である。
【００５６】
事前設定ルールは、式１又は式２を含み、
式１は、
【数３９】
2021513790.tif 000041
であり、
式２は、
【数４０】
2021513790.tif 000042
であり、ここで、
【数４１】
2021513790.tif 000043
は、番号がｉのシンボルグループの周波数位置であり、ｆ（ｉ／６）は、シンボルグループの番号ｉ、
【数４２】
2021513790.tif 000044
及び疑似ランダム系列に基づいて決定される関数であり、
【数４３】
2021513790.tif 000045
は、ランダムアクセスプリアンブルの送信制限であり、
【数４４】
2021513790.tif 000046
は、切り下げを表し、
【数４５】
2021513790.tif 000047
であり、
【数４６】
2021513790.tif 000048
である。
【００５７】
第２の態様については、第１の態様の関連する説明を参照のこと。詳細は、本明細書では再度説明されない。
【００５８】
第３の態様によれば、通信方法が提供される。
本方法は、端末デバイスによって、ランダムアクセスプリアンブルを決定することであって、ランダムアクセスプリアンブルは、５つのシンボルグループを含み、５つのシンボルグループは、第１のシンボルグループ、第２のシンボルグループ、第３のシンボルグループ、第４のシンボルグループ、第５のシンボルグループ、及び第６のシンボルグループを含む、決定することと、
端末デバイスによって、ランダムアクセス設定情報及び事前設定ルールに基づいて、ランダムアクセスプリアンブルの周波数位置を決定することであって、第２のシンボルグループと第３のシンボルグループとの間の周波数ホッピング間隔、及び第４のシンボルグループと第５のシンボルグループとの間の周波数ホッピング間隔は等しく、両方とも第１の間隔であり、第１のシンボルグループと第２のシンボルグループとの間の周波数ホッピング間隔は、第２の間隔であり、第３のシンボルグループと第４のシンボルグループとの間の周波数ホッピング間隔は第３の間隔であり、第１の間隔、第２の間隔、及び第３の間隔は等しくなく、ゼロに等しくない、決定することと、端末デバイスによって、周波数位置に基づいてネットワークデバイスにランダムアクセスプリアンブルを送信することと、を含む。
【００５９】
従って、この出願のこの実施形態の通信方法によれば、端末デバイスは、５つのシンボルグループを含むランダムアクセスプリアンブルの周波数ホッピングパターン（すなわち、各シンボルグループの周波数位置）を決定し、ランダムアクセスプリアンブルを送信しランダムアクセスを行う。
【００６０】
周波数ホッピング間隔は、時間領域における２つの隣接するシンボルグループ間の周波数間隔であるか、又は周波数ホッピング間隔は、時間領域における２つの隣接するシンボルグループ間の周波数差の絶対値であると理解されたい。
【００６１】
この出願の周波数位置は、副搬送波のインデックス又は番号を示すとさらに理解されたい。周波数位置は、相対周波数位置又は絶対周波数位置であってもよい。シンボルグループの相対周波数位置は、シンボルグループの絶対周波数位置とオフセット周波数位置の間の差である。対応して、シンボルグループの絶対周波数位置は、シンボルグループの相対周波数とオフセット周波数位置の和である。端末デバイスは、シンボルグループの絶対周波数位置に対応する周波数でランダムアクセスプリアンブルを送信すると理解されたい。
【００６２】
任意で、周波数ホッピング間隔は副搬送波帯域幅の整数倍であってもよい。例えば、副搬送波帯域幅が１．２５ｋＨｚである場合、隣接するシンボルグループ間の周波数ホッピング間隔は、Ｎ＊１．２５ｋＨｚであってもよく、ここで、Ｎは正の整数である。代替的には、隣接するシンボルグループ間の周波数ホッピング間隔は、副搬送波帯域幅の整数倍でなくてもよい。隣接するシンボルグループ間の周波数ホッピング間隔が副搬送波帯域幅の整数倍であるかどうかは、この出願では制限されない。
【００６３】
任意で、ランダムアクセスプリアンブルの周波数ホッピング範囲は、３６副搬送波である。
【００６４】
既存のランダムアクセスプリアンブルは、１２副搬送波（すなわち、４５ｋＨｚ）内の周波数ホッピングのために使用され得る。この出願のこの実施形態において副搬送波帯域幅が３．７５ｋＨｚから１．２５ｋＨｚに低減されるときに、４５ｋＨｚのＮＰＲＡＣＨリソースが維持されることに基づいて、この出願におけるランダムアクセスプリアンブルの周波数ホッピング範囲は、１２副搬送波から３６副搬送波に増加され得る。従って、この出願で提供される周波数ホッピング解決策は、ランダムアクセスを行うためにＮＰＲＡＣＨリソースを再利用する際に、より多くのユーザをサポートすることができる。言い換えれば、１２ユーザをサポートする４５ｋＨｚでの解決策と比較して、この出願は３６ユーザによる再利用をサポートすることができる。
【００６５】
任意に、ランダムアクセスプリアンブルに含まれる５つのシンボルグループのいずれか１つは、１つの周期的プレフィックス（Cyclic  Prefix、ＣＰ）と１つのシンボル、１つのＣＰと２つのシンボル、又は１つのＣＰと３つのシンボルを含んでもよい。本明細書におけるＣＰ及びシンボルの両方の時間長は、８００マイクロ秒（μｓ）であってもよい。
【００６６】
最大セル半径はガード時間（Gard  Time、ＧＴ）に関連する。ガード時間が長いほど、カバーされる最大セル半径が大きいことを示す。ガード時間は、シンボルグループ内のＣＰ及びシンボルの全長に関連する。追加的に、ＣＰの時間長は最大セル半径をカバーすべきである。式Ｓ＝Ｖ＊Ｔによれば、Ｖは、３０＊１０８ｍ／ｓの光の速度であり、Ｓ＝２＊１００＊１０３である。従って、Ｔ＝６６６．７μｓは、２つの値を式Ｓ＝Ｖ＊Ｔに代入することによって得てもよい。しかし、ＣＰの時間長ＴＣＰは８００μｓであり、６６６．７μｓより大きい。従って、この出願では、ランダムアクセスプリアンブルのフォーマットが設定され、ランダムアクセスプリアンブルは、約１００ｋｍであるより大きなセル半径をサポートすることができる。
【００６７】
さらに、シンボルグループ内の各シンボルで搬送される系列は、同じであってもよい。例えば、各シンボルで搬送される系列はａであり、Ｅ個のシンボルで搬送される系列は
【数４７】
2021513790.tif 000049
であり、ここで、ａは実数、例えば、１又は−１の実数であってもよく、又はａは、例えば、ｊ又は−ｊの複素数であってもよく、ｊは虚数単位を表し、ｊ２＝−１を満たす。シンボルグループ内のシンボルで搬送される系列が異なってもよいか、又はシンボルグループ内のいくつかのシンボル上で搬送される系列が同じで、他のシンボルで搬送される系列が異なってもよい。
【００６８】
追加的に、任意の２つのシンボルグループにおいて搬送される系列は、同じであってもよいし、異なってもよい。これは、この出願のこの実施形態において制限されない。
【００６９】
この出願におけるランダムアクセスプリアンブルは、スクランブル系列を使用してスクランブルされないランダムアクセスプリアンブルであってもよいし、スクランブル系列を使用してスクランブルされるランダムアクセスプリアンブルであってもよい。スクランブルは、干渉ランダム化性能を改善し、セル間干渉により生じる誤警報を回避するために行われる。
【００７０】
ベース系列に基づいて端末デバイスによって得られるスクランブルコード系列の長さは、複数の場合を有してもよい。具体的には、スクランブルコード系列の長さは、ランダムアクセスプリアンブルのシンボルグループ内のシンボル数と同じであってもよく、スクランブルコード系列の長さは、ランダムアクセスプリアンブルの反復周期におけるシンボル数と同じであってもよく、又はスクランブルコード系列の長さは、ランダムアクセスプリアンブルの全ての反復周期におけるシンボル数と同じであってもよい。スクランブルコード系列の長さは、ランダムアクセスプリアンブルのシンボルグループにおける周期的プレフィックスとシンボルの数の合計と同じであってもよく、スクランブルコード系列の長さは、ランダムアクセスプリアンブルの反復周期における周期的プレフィックスとシンボルの数の合計と同じであってもよく、あるいは、スクランブルコード系列の長さは、ランダムアクセスプリアンブルの全ての反復周期における周期的プレフィックスとシンボルの数の合計と同じであってもよい。スクランブルコード系列の長さは、この出願では制限されない。
【００７１】
端末デバイスは、端末デバイス内で設定される手法でベース系列を生成するか、又は問い合わせを介してベース系列を得てもよい。端末デバイスが、ベース系列に基づいてスクランブルコード系列を得るための複数の方法があってもよい。任意の方法１では、スクランブル系列はベース系列であり、スクランブル系列及びベース系列は等しい。例えば、ベース系列はＡＢＣであり、得られたスクランブルコード系列はＡＢＣである。任意の方法２では、ベース系列中の各要素がＭ回連続して反復されてスクランブルコード系列を得る。。具体的には、端末デバイスはベース系列中の第１の要素をＭ回反復し、第２の要素をＭ回反復し、最後の要素をＭ回反復する。例えば、ベース系列はＡＢＣであり、ベース系列内の各要素が連続して２回反復されてＡＡＢＢＣＣを得る。例えば、ベース系列はＡＢであり、ベース系列内の各要素が連続して３回反復されてＡＡＡＢＢＢを得る。
【００７２】
端末デバイスは、ネットワークデバイスによって送信されたスクランブルコード表示情報を得てもよい。スクランブルコード表示情報は、端末デバイスが方法１又は方法２を使用してランダムアクセスプリアンブルをスクランブルすることを示すために使用される。
【００７３】
任意の方法において、パラメータインデックスは、方法１及び／又は方法２に対応する異なる値を有してもよい。例えば、パラメータインデックスの値が０のときに、端末デバイスが方法１を使用してランダムアクセスプリアンブルをスクランブルすることを示す。パラメータインデックスの値が１のときに、端末デバイスが方法２を使用してランダムアクセスプリアンブルをスクランブルすることを示す。
【００７４】
任意の方法では、端末デバイスが、ネットワークデバイスによって送信されたスクランブルコード表示情報を受信するときに、端末デバイスは方法１を使用してランダムアクセスプリアンブルをスクランブルする。端末デバイスが、ネットワークデバイスによって送信されたスクランブルコード表示情報を受信しないときに、端末デバイスは、方法２を使用してランダムアクセスプリアンブルをスクランブルする。
【００７５】
任意の方法では、スクランブルコード表示情報は、第１の状態と第２の状態の２つの状態を含む。スクランブルコード表示情報が第１の状態を示すときに、端末デバイスは、方法１を使用してランダムアクセスプリアンブルをスクランブルする。スクランブルコード表示情報が第２の状態を示すときに、端末デバイスは、方法２を使用してランダムアクセスプリアンブルをスクランブルする。
【００７６】
ベース系列又はスクランブルコード系列は、直交系列、ＺＣ系列、擬似ランダム系列、差動直交系列、付加スクランブルコードが各反復周期においてシンボルグループで区別された後に得られる直交系列、付加スクランブルコードが各反復周期においてシンボルグループで区別された後に得られる直交系列のサブセット、などであり得る。直交系列は、ウォルシュ系列であってもよい。擬似ランダム系列は、ｍ系列、Ｍ系列、Ｇｏｌｄ系列などであり得る。擬似ランダム系列の初期化シードは、セル識別子、ハイパーフレーム番号、フレーム番号、シンボルインデックス、シンボルグループインデックス、反復数、副搬送波インデックス、キャリアインデックスなどの少なくとも１つの関数である。好ましくは、ベース系列又はスクランブルコード系列は、式
【数４８】
2021513790.tif 000050
によって表されてもよく、ここで、ｍ＝０、１、２、．．．、又はｋ−１であり、ｕは、スクランブルコード系列のインデックスである。
【数４９】
2021513790.tif 000051
又は、
【数５０】
2021513790.tif 000052
であり、ここで、
【数５１】
2021513790.tif 000053
は、セル識別子であり、ｋは、スクランブルコード系列の長さである。
【００７７】
可能な実装では、第１の間隔は１．２５ｋＨｚである。
【００７８】
可能な実装では、第２の間隔は３．７５ｋＨｚである。
【００７９】
可能な実装では、第３の間隔は２２．５ｋＨｚである。
【００８０】
可能な実装では、第２のシンボルグループから第３のシンボルグループへの周波数ホッピング方向は、第４のシンボルグループから第５のシンボルグループへの周波数ホッピング方向と反対である。
【００８１】
シミュレーションを介して、ランダムアクセスプリアンブルが、１．２５ｋＨｚの第２の間隔、３．７５ｋＨｚの第１の間隔、及び２２．５ｋＨｚの第３の間隔に基づいて、前述の周波数ホッピング方向で送信されるときに、推定上りリンクタイミングの正確性が改善され得ることが分かる。
【００８２】
可能な実装では、ランダムアクセス設定情報は、ランダムアクセスプリアンブルの反復数Ｗを含み、Ｗ回の反復において、ランダムアクセスプリアンブルに含まれる５＊Ｗのシンボルグループは、時系列において、０、１、．．．．、ｉ、．．．、５Ｗ−２、及び５Ｗ−１と番号付けされ、Ｗは正の整数であり、事前設定ルールは、第１の式及び第２の式を含み、
端末デバイスによって、ランダムアクセス設定情報及び事前設定ルールに基づいて、ランダムアクセスプリアンブルの周波数位置を決定することは、
端末デバイスによって、ランダムアクセス設定情報に基づいて、番号が０のシンボルグループの周波数位置を決定し、第１の式及びシンボルグループＰの番号ｉに基づいて、シンボルグループＰの周波数位置を決定し、第２の式及びシンボルグループＱの番号ｉに基づいて、シンボルグループＱの周波数位置を決定することを含み、
シンボルグループＰは、５＊Ｗのシンボルグループにおいて、番号がｉ＞０、及びｉｍｏｄ５＝０を満たすシンボルグループであり、シンボルグループＱは、５＊Ｗのシンボルグループにおいて、番号がｉ＞０、及びｉｍｏｄ５≠０を満たすシンボルグループであり、ｍｏｄは、モジュロ演算を表す。
【００８３】
具体的には、端末デバイスは、ランダムアクセス設定情報に基づいて番号が０のシンボルグループの周波数位置を決定し、第１の式及びシンボルグループＰの番号ｉに基づいて、シンボルグループＰの周波数位置を決定し、第２の式及びシンボルグループＱの番号ｉに基づいて、シンボルグループＱの周波数位置を決定する。
【００８４】
事前設定ルールは、例えば、プロトコルで指定されてもよいし、ネットワークデバイスによって設定されてもよい。これは、この出願のこの実施形態において制限されない。
【００８５】
可能な実装では、第１の式は、番号が０のシンボルグループの周波数位置、及び番号ｉと疑似ランダム系列に基づいて決定される関数に関連するか、又は、第１の式は、番号がｉ−５のシンボルグループの周波数位置、及び番号ｉと疑似ランダム系列に基づいて決定される関数に関連し、番号ｉは、シンボルグループＰの番号である。
【００８６】
シンボルグループＰの周波数位置は、番号が０のシンボルグループの周波数位置に関連するか、又はシンボルグループＰの前の第５のシンボルグループの周波数位置に関連し、別のシンボルグループの周波数位置とは無関係であることが分かる。
【００８７】
可能な実装では、第２の式は、番号がｉ−１のシンボルグループの周波数位置と、番号がｉ−１のシンボルグループに対する番号がｉのシンボルグループの周波数位置間隔及び周波数ホッピング方向とに関連し、番号ｉは、シンボルグループＱの番号である。
【００８８】
シンボルグループＱの周波数は、シンボルグループＱに隣接する前のシンボルグループの周波数位置にのみ関係し、別のシンボルグループの周波数位置とは無関係であることが分かる。
【００８９】
周波数位置間隔は副搬送波インデックス間の差の絶対値であると理解されたい。
【００９０】
事前設定ルールは、式３又は式４を含み、
式３は、
【数５２】
2021513790.tif 000054
であり、
式４は、
【数５３】
2021513790.tif 000055
であり、ここで、
【数５４】
2021513790.tif 000056
は、番号がｉのシンボルグループの周波数位置であり、ｆ（ｉ／５）は、シンボルグループの番号ｉ、
【数５５】
2021513790.tif 000057
及び疑似ランダム系列に基づいて決定される関数であり、
【数５６】
2021513790.tif 000058
は、ランダムアクセスプリアンブルの送信制限であり、
【数５７】
2021513790.tif 000059
は、切り下げを表し、
【数５８】
2021513790.tif 000060
であり、
【数５９】
2021513790.tif 000061
である。
【００９１】
本明細書において、
【数６０】
2021513790.tif 000062
は、プロトコルで指定されてもよく、ネットワークデバイスによって端末デバイスに通知されてもよく、固定値でもよく、又はいくつかの候補値のうちの１つであってもよい。例えば、ネットワークデバイスは、ランダムアクセス設定情報を使用して、
【数６１】
2021513790.tif 000063
を搬送してもよい。副搬送波帯域幅が１．２５ｋＨｚのときに、
【数６２】
2021513790.tif 000064
は、３６に等しくてもよい。これは、本明細書において制限されない。例えば、
【数６３】
2021513790.tif 000065
は、代替的には７２であってもよい。
【数６４】
2021513790.tif 000066
の値は、
【数６５】
2021513790.tif 000067
に等しいか、又は
【数６６】
2021513790.tif 000068
の値は、
【数６７】
2021513790.tif 000069
に関連付けられているか、若しくは制約されてもよい。例えば、
【数６８】
2021513790.tif 000070
は、表内のいくつかの対応関係を使用して
【数６９】
2021513790.tif 000071
に関連付けられてもよい。これは、本明細書において制限されない。
【数７０】
2021513790.tif 000072
は、ネットワークデバイスによって端末デバイスに送信されるランダムアクセス設定情報におけるパラメータであり、ランダムアクセスのために使用される副搬送波数を表す。
【００９２】
任意で、番号が０のシンボルグループの周波数位置は、
【数７１】
2021513790.tif 000073
であり、ここで、ｎｉｎｉｔは、ＭＡＣ（Media  Access  Control、MAC）層において
【数７２】
2021513790.tif 000074
から選択される副搬送波のインデックスであり、
【数７３】
2021513790.tif 000075
は、ランダムアクセスのために使用される副搬送波数を表す。
【００９３】
周波数位置
【数７４】
2021513790.tif 000076
が相対周波数位置であるときに、詳細には、
【数７５】
2021513790.tif 000077
が、ｉ番目のシンボルグループの相対周波数位置であるときに、ｉ番目のシンボルグループの絶対周波数位置は、
【数７６】
2021513790.tif 000078
として示される。この場合、
【数７７】
2021513790.tif 000079
であり、ここで、ｎｓｔａｒｔは、オフセット周波数位置である。ｉ番目のシンボルグループの絶対周波数位置は、端末デバイスによって決定されるｉ番目のシンボルグループの周波数位置及びオフセット周波数位置に基づいて決定され得るということが式から分かる。
【００９４】
例えば、オフセット周波数位置ｎｓｔａｒｔは、
【数７８】
2021513790.tif 000080
を満たし、ここで、ｎｉｎｉｔは、ＭＡＣ層において
【数７９】
2021513790.tif 000081
から選択される副搬送波のインデックスであり、
【数８０】
2021513790.tif 000082
及び
【数８１】
2021513790.tif 000083
は、ランダムアクセス設定情報における２つのパラメータであり、
【数８２】
2021513790.tif 000084
は、ＮＰＲＡＣＨの共通開始副搬送波の周波数位置を表し、
【数８３】
2021513790.tif 000085
は、ランダムアクセスのために使用される副搬送波数を表す。
【００９５】
任意で、ｆ（ｉ／５）の値は、疑似ランダム系列ｃ（ｎ）の関数ｆ（ｔ）に基づいて決定され得る。ｆ（ｔ）は、
【数８４】
2021513790.tif 000086
と表されてもよく、ここで、ｆ（−１）＝０であり、ｃ（ｎ）は、ｍ系列、Ｍ系列、Ｇｏｌｄ系列などであってもよい。
【００９６】
さらに、ｃ（ｎ）の初期化シードは、端末デバイスの物理層セル識別子、又は物理層セル識別子の関数であってもよい。
【００９７】
第４の態様によれば、通信方法が提供される。
本方法は、ネットワークデバイスによって、ランダムアクセス設定情報を決定し、ランダムアクセス設定情報を端末デバイスに送信することであって、ランダムアクセス設定情報は、端末デバイスがランダムアクセスプリアンブルを決定することを示すために使用され、ランダムアクセスプリアンブルは、５つのシンボルグループを含み、５つのシンボルグループは、第１のシンボルグループ、第２のシンボルグループ、第３のシンボルグループ、第４のシンボルグループ、第５のシンボルグループ、及び第６のシンボルグループを含む、ことと、
ネットワークデバイスによって、ランダムアクセス設定情報に基づいて端末デバイスによって送信されたランダムアクセスプリアンブルを受信することであって、ランダムアクセスプリアンブルは、決定された周波数位置に基づいて端末デバイスによって送信され、周波数位置は、ランダムアクセス設定情報及び事前設定ルールに基づいて決定され、第２のシンボルグループと第３のシンボルグループとの間の周波数ホッピング間隔、及び第４のシンボルグループと第５のシンボルグループとの間の周波数ホッピング間隔は等しく、両方とも第１の間隔であり、第１のシンボルグループと第２のシンボルグループとの間の周波数ホッピング間隔は第２の間隔であり、第３のシンボルグループと第４のシンボルグループとの間の周波数ホッピング間隔は第３の間隔であり、第１の間隔、第２の間隔、及び第３の間隔は等しくなく、ゼロと等しくない、受信することと、を含む。
【００９８】
従って、この出願のこの実施形態の通信方法によれば、端末デバイスは、６つのシンボルグループを含むランダムアクセスプリアンブルの周波数ホッピングパターン（すなわち、各シンボルグループの周波数位置）を決定し、ランダムアクセスプリアンブルを送信しランダムアクセスを行う。
【００９９】
任意で、第２の間隔は１．２５ｋＨｚであってもよい。
【０１００】
任意で、第１の間隔は３．７５ｋＨｚであってもよい。
【０１０１】
任意で、第３の間隔は２２．５ｋＨｚであってもよい。
【０１０２】
可能な実装では、第２のシンボルグループから第３のシンボルグループへの周波数ホッピング方向は、第４のシンボルグループから第５のシンボルグループへの周波数ホッピング方向と反対である。
【０１０３】
可能な実装では、ランダムアクセス設定情報は、ランダムアクセスプリアンブルの反復数Ｗを含み、Ｗ回の反復において、ランダムアクセスプリアンブルに含まれる５＊Ｗのシンボルグループは、時系列において、０、１、．．．．、ｉ、．．．、５Ｗ−２、及び５Ｗ−１と番号付けされ、Ｗは正の整数であり、ランダムアクセス設定情報は、番号が０のシンボルグループの周波数位置を決定するためにさらに使用され、
事前設定ルールは、第１の式と第２の式を含み、シンボルグループＰの第１の式と番号ｉは、シンボルグループＰの周波数位置を決定するために使用され、シンボルグループＱの第２の式と番号ｉは、シンボルグループＱの周波数位置を決定するために使用され、５＊Ｗのシンボルグループにおいて、番号がｉ＞０、及びｉｍｏｄ５＝０を満たすシンボルグループであり、シンボルグループＱは、５＊Ｗのシンボルグループにおいて、番号がｉ＞０、及びｉｍｏｄ６≠０を満たすシンボルグループであり、ｍｏｄは、モジュロ演算を表す。
【０１０４】
具体的には、端末デバイスは、ランダムアクセス設定情報に基づいて番号０のシンボルグループの周波数位置を決定し、第１の式とシンボルグループＰの番号ｉに基づいてシンボルグループＰの周波数位置を決定し、第２の式とシンボルグループＱの番号ｉに基づいてシンボルグループＱの周波数位置を決定する。
【０１０５】
事前設定ルールは、例えば、プロトコルで指定されてもよいし、ネットワークデバイスによって事前に設定されてもよい。これは、この出願のこの実施形態において制限されない。
【０１０６】
可能な実装では、第１の式は、番号が０のシンボルグループの周波数位置と、及び番号ｉと疑似ランダム系列に基づいて決定される関数に関連するか、又は第１の式は、番号がｉ−５のシンボルグループの周波数位置、及び番号ｉと疑似ランダム系列に基づいて決定される関数に関連し、番号ｉは、シンボルグループＰの番号である。
【０１０７】
シンボルグループＰの周波数位置は、番号が０のシンボルグループの周波数位置に関連するか、又はシンボルグループＰの前の第５のシンボルグループの周波数位置に関連し、別のシンボルグループの周波数位置とは無関係であることが分かる。
【０１０８】
可能な実装では、第２の式は、番号がｉ−１のシンボルグループの周波数位置と、番号がｉ−１のシンボルグループに対する番号がｉのシンボルグループの周波数位置間隔及び周波数ホッピング方向とに関連し、番号ｉはシンボルグループＱの番号である。
【０１０９】
シンボルグループＱの周波数は、シンボルグループＱに隣接する前のシンボルグループの周波数位置にのみに関連し、他のシンボルグループの周波数位置とは無関係であることが分かる。
【０１１０】
周波数位置間隔は副搬送波インデックス間の差の絶対値であると理解されたい。
【０１１１】
可能な実装において、事前設定ルールは、式３又は式４を含み、
式３は、
【数８５】
2021513790.tif 000087
であり、
式４は、
【数８６】
2021513790.tif 000088
であり、ここで、
【数８７】
2021513790.tif 000089
は、番号がｉのシンボルグループの周波数位置であり、ｆ（ｉ／５）は、シンボルグループの番号ｉ、
【数８８】
2021513790.tif 000090
及び疑似ランダム系列に基づいて決定される関数であり、
【数８９】
2021513790.tif 000091
は、ランダムアクセスプリアンブルの送信制限であり、
【数９０】
2021513790.tif 000092
は、切り下げを表し、
【数９１】
2021513790.tif 000093
であり、
【数９２】
2021513790.tif 000094
である。
【０１１２】
第４の態様については、第３の態様の関連する説明を参照のこと。詳細は、本明細書では再度説明されない。
【０１１３】
前述の態様において、端末デバイスがランダムアクセスプリアンブルをネットワークデバイスに送信するときに、ランダムアクセスプリアンブルの６つのシンボルグループは、時間的に連続しても不連続でもよいと理解されたい。これは、この出願のこの実施形態において制限されない。
【０１１４】
端末デバイスは、設定された反復数に基づいてネットワークデバイスにランダムアクセスプリアンブルを繰り返し送信するか、又は別の反復数でネットワークデバイスにランダムアクセスプリアンブルを繰り返して送信してもよいとさらに理解されたい。例えば、ランダムアクセスプリアンブルは、各送信において１回だけ反復される。言い換えれば、６つか５つのシンボルグループだけが送信される。
【０１１５】
端末デバイスが、設定された反復数に基づいてネットワークデバイスにランダムアクセスプリアンブルを繰り返し送信する必要があるときに、異なる反復におけるランダムアクセスプリアンブルの重複は、時間的に連続しても不連続でもよいと理解されたい。これは、この出願のこの実施形態において制限されない。
【０１１６】
第５の態様によれば、、第１の態様若しくは第１の態様の可能な実装のいずれかにおける方法を行うように構成されているか、又は第３の態様若しくは第３の態様の可能な実装のいずれかにおける方法を行うように構成されている、通信デバイスが提供される。
【０１１７】
第６の態様によれば、この出願は、第２の態様若しくは第２の態様の可能な実装のいずれかにおける方法を行うように構成されているか、又は第４の態様若しくは第４の態様の可能な実装のいずれかにおける方法を行うように構成されている、ネットワークデバイスを提供する。
【０１１８】
第７の態様によれば、この出願は、端末デバイスを提供する。端末デバイスは、メモリ、プロセッサ、及びトランシーバを含む。メモリは、プロセッサ上で動作することができるコンピュータプログラムを記憶する。コンピュータプログラムを実行するときに、プロセッサは、第１の態様若しくは第１の態様の可能な実装のいずれかにおける方法を行うか、又は第３の態様若しくは第３の態様の可能な実装のいずれかにおける方法を行う。
【０１１９】
第８の態様によれば、この出願は、ネットワークデバイスを提供する。ネットワークデバイスは、メモリ、プロセッサ、及びトランシーバを含む。メモリは、プロセッサ上で動作することができるコンピュータプログラムを記憶する。コンピュータプログラムを実行するときに、プロセッサは、第２の態様若しくは第２の態様の可能な実装のいずれかにおける方法を行うか、又は第４の態様若しくは第４の態様の可能な実装のいずれかにおける方法を行う。
【０１２０】
第９の態様によれば、この出願は、コンピュータプログラムを記憶するように構成されているコンピュータ可読媒体を提供する。コンピュータプログラムは、前述の態様又は前述の態様の可能な実装のいずれかにおける方法を行うために使用される命令を含む。
【０１２１】
第１０の態様によれば、この出願は、命令を含むコンピュータプログラム製品を提供する。コンピュータプログラム製品がコンピュータ上で動作するときに、コンピュータは、前述の態様又は前述の態様の可能な実装のいずれかにおける方法を行うことが可能になる。
【０１２２】
第１１の態様によれば、この出願は、入力インターフェース、出力インターフェース、少なくとも１つのプロセッサ、及びメモリを含むチップを提供する。入力インターフェース、出力インターフェース、プロセッサ、及びメモリは、内部接続パスを介して互いに通信する。プロセッサは、メモリ内のコードを実行するように構成されている。コードが実行されるときに、プロセッサは、前述の態様又は前述の態様の可能な実装のいずれかにおける方法を行うように構成されている。
【図面の簡単な説明】
【０１２３】
【図１】この出願の一実施形態による通信方法が適用可能な通信システムの概略図である。
【図２】ＮＢ−ＩｏＴランダムアクセスプリアンブルのフォーマット及び周波数ホッピングパターンを示す。
【図３】この出願の一実施形態による通信方法の概略フローチャートである。
【図４】この出願の一実施形態によるランダムアクセスプリアンブルのフォーマット及び周波数ホッピングパターンを示す。
【図５】この出願の一実施形態によるランダムアクセスプリアンブルのフォーマット及び周波数ホッピングパターンを示す。
【図６】この出願の一実施形態によるランダムアクセスプリアンブルのフォーマット及び周波数ホッピングパターンを示す。
【図７】この出願の一実施形態によるランダムアクセスプリアンブルのフォーマット及び周波数ホッピングパターンを示す。
【図８】この出願の一実施形態による通信デバイスの概略ブロック図である。
【図９】この出願の一実施形態によるネットワークデバイスの概略ブロック図である。
【図１０】この出願の一実施形態による別の端末デバイスの概略構造図である。
【図１１】この出願の一実施形態による別のネットワークデバイスの概略構造図である。
【発明を実施するための形態】
【０１２４】
以下、添付の図面を参照して、この出願の技術的解決策を説明する。
【０１２５】
この出願の技術的解決策は、グローバル・システム・フォー・モバイル・コミュニケーションズ（Global  System  of  Mobile  Communication、ＧＳＭ）システム、符号分割多元接続（Code  Division  Multiple  Access、ＣＤＭＡ）システム、広帯域符号分割多元接続（Wideband  Code  Division  Multiple  Access、ＷＣＤＭＡ）システム、汎用パケット無線サービス（General  Packet  Radio  Service、ＧＰＲＳ）、ロング・ターム・エボリューション（(Long  Term  Evolution、ＬＴＥ）システム、ＬＴＥ周波数分割複信（Frequency  Division  Duplex、ＦＤＤ）システム、ＬＴＥ時分割複信（Time  Division  Duplex、ＴＤＤ）、ユニバーサル移動体通信システム（Universal  Mobile  Telecommunications  System、ＵＭＴＳ）、ワールドワイド・インターオペラビリティ・フォー・マイクロウェーブ・アクセス（Worldwide  Interoperability  for  Microwave  Access、ＷｉＭＡＸ）通信システム、将来の第５世代（5th  Generation、５Ｇ）システム、又はニュー・ラジオ（New  Radio、ＮＲ）などの様々な通信システムに適用可能である。
【０１２６】
この出願の実施形態における端末デバイスは、ユーザ機器、アクセス端末、加入者ユニット、加入者局、移動局、移動コンソール、遠隔局、遠隔端末、移動デバイス、ユーザ端末、端末、無線通信デバイス、ユーザエージェント、又はユーザ装置であってもよい。代替的には、端末デバイスは、携帯電話、コードレス電話、セッション開始プロトコル（Session  Initiation  Protocol、ＳＩＰ）電話、無線ローカル・ループ（Wireless  Local  Loop、ＷＬＬ）局、パーソナル・デジタル・アシスタント（Personal  Digital  Assistant、ＰＤＡ）、無線通信機能を有するハンドヘルドデバイス、計算デバイス、無線モデムに接続された別の処理デバイス、車両搭載デバイス、ウェアラブルデバイス、将来の５Ｇネットワーク内の端末デバイス、将来発展する公衆地上移動体ネットワーク（Public  Land  Mobile  Network、ＰＬＭＮ）内の端末デバイスなどであってもよい。これは、この出願の実施形態において制限されない。
【０１２７】
この出願の実施形態におけるネットワークデバイスは、端末デバイスと通信するように構成されているデバイスであってもよい。ネットワークデバイスは、グローバル・システム・フォー・モバイル・コミュニケーションズ（Global  System  of  Mobile  Communication、ＧＳＭ）システム若しくは符号分割多元接続（Code  Division  Multiple  Access、ＣＤＭＡ）におけるベース・トランシーバ局（Base  Transceiver  Station、ＢＴＳ）であってもよく、広帯域符号分割多元接続（Wideband  Code  Division  Multiple  Access、ＷＣＤＭＡ）システムにおけるノードＢ（NodeB、ＮＢ）であってもよく、ＬＴＥシステムにおける発展型ＮｏｄｅＢ（Evolutional  NodeB、ｅＮＢ若しくはｅＮｏｄｅＢ）であってもよく、又はクラウド無線アクセスネットワーク（Cloud  Radio  Access  Network、ＣＲＡＮ）シナリオにおける無線コントローラであってもよい。代替的には、ネットワークデバイスは、中継ノード、アクセスポイント、車両搭載デバイス、ウェアラブルデバイス、将来の５Ｇネットワークにおけるネットワークデバイス、将来発展するＰＬＭＮネットワークにおけるネットワークデバイス、などであってもよい。これは、この出願の実施形態において制限されない。
【０１２８】
この出願の実施形態を容易に理解するために、この出願の実施形態が適用可能な通信システムを、最初に図１を参照して簡単に説明する。
【０１２９】
図１は、この出願の一実施形態による通信方法が適用可能な通信システム１００の概略図である。図１に示すように、通信システム１００は、少なくとも２つの通信デバイス、例えば、ネットワークデバイス１１０及び端末デバイス１２０を含む。データ通信は、無線接続を介して、ネットワークデバイス１１０と端末デバイス１２０との間で行われてもよい。図１には、より多くの端末デバイスが含まれてもよいと理解されたい。これは、この出願のこの実施形態において制限されない。
【０１３０】
図１に示されるシステム１００は、ＮＢ−ＩｏＴシステムであってもよい。システム１００において、端末デバイス１２０は、端末デバイス１２０の上りリンク送信時間が同期された後にのみ、上りリンク送信を行うようにスケジュールされ得る。端末デバイス１２０は、ランダムアクセス手順を使用してネットワークデバイス１１０への接続を確立し、上りリンク同期を達成する。ＮＢ−ＩｏＴでは、ランダムアクセス手順は、端末デバイス１２０が専用チャネルリソースを得ることによって、アイドルモードから接続モードに変更するための重要な方法である。狭帯域ランダムアクセスチャネル（Narrowband  physical  random  access  channel、ＮＰＲＡＣＨ）はランダムアクセス要求を送信するためのチャネルである。
【０１３１】
ランダムアクセス手順は、競合ベースのランダムアクセス手順と非競合ベースのランダムアクセス手順に分類される。競合ベースのランダムアクセス手順であるか、非競合ベースのランダムアクセス手順であるかにかかわらず、ランダムアクセスプリアンブルはＮＰＲＡＣＨで送信される必要がある。具体的には、メッセージ（Message、Ｍｓｇ）１が送信される。
【０１３２】
既存のＮＢ−ＩｏＴにおける上りリンク周波数領域リソースでは、１つのＮＢ‐ＩｏＴ搬送波の帯域幅は１８０ｋＨｚであり、１つの副搬送波の帯域幅は３．７５ｋＨｚである。１つのＮＢ−ＩｏＴランダムアクセスプリアンブルは、４つのシンボルグループを含む。１つのシンボルグループは１つの副搬送波を占有する。シンボルグループ間で周波数ホッピングが存在する。各シンボルグループの送信は、１２の副搬送波に限定される。周波数領域周波数ホッピング範囲も１２の副搬送波内にある。副搬送波帯域幅は３．７５ｋＨｚである。シンボルグループ間の周波数ホッピング間隔は、副搬送波帯域幅の整数倍である。最小周波数ホッピング間隔は３．７５ｋＨｚである。追加的に、異なるカバレッジ拡張レベルをサポートするために、ネットワークデバイスは、異なるカバレッジ拡張レベルのために異なるランダムアクセス設定パラメータを設定し、例えば、ランダムアクセスプリアンブルの反復数を設定する。実際の送信中に、端末デバイスはネットワークデバイスにより設定される反復数に基づいてランダムアクセスプリアンブルを繰り返し送信する。以下、図２を参照して、既存のＮＢ−ＩｏＴランダムアクセスプリアンブル及び既存のＮＢ−ＩｏＴランダムアクセスプリアンブルの周波数ホッピングパターンを詳細に説明する。
【０１３３】
図２を参照すると、１つのＮＢ−ＩｏＴランダムアクセスプリアンブルは、４つのシンボルグループを含む。４つのシンボルグループは、時系列において、第１のシンボルグループ、第２のシンボルグループ、第３のシンボルグループ、及び第４のシンボルグループとして、示される。図２において、４つのシンボルグループは、充填パターンと番号とを有する長方形を使用して表される。番号が１のシンボルグループは、第１のシンボルグループを表す。番号が２のシンボルグループは、第２のシンボルグループを表す。番号が３のシンボルグループは、第３のシンボルグループを表す。番号が４のシンボルグループは、第４のシンボルグループを表す。ランダムアクセスプリアンブルの反復数は４である（つまり、＃０から＃３が反復される）。言い換えれば、端末デバイスはランダムアクセスプリアンブルを１回の送信で４回繰り返して送信する。具体的には、４＊４のシンボルグループが送信される。＃０〜＃１１は１２の副搬送波を示す。ランダムアクセスプリアンブルは、１つの反復周期において、３．７５ｋＨｚと２２．５ｋＨｚの２つの周波数ホッピング間隔を有する。第１のシンボルグループと第２のシンボルグループとの間の周波数ホッピング間隔は３．７５ｋＨｚである。第３のシンボルグループと第４のシンボルグループとの間の周波数ホッピング間隔は３．７５ｋＨｚである。第１のシンボルグループから第２のシンボルグループへの周波数ホッピング方向は、第３のシンボルグループから第４のシンボルグループへの周波数ホッピング方向と反対である。第２のシンボルグループと第３のシンボルグループとの間の周波数ホッピング間隔は２２．５ｋＨｚである。擬似ランダム周波数ホッピングが、２つの隣接する反復の間で使用される（図３の点線の楕円でサインされるように）。疑似ランダム周波数ホッピング範囲は１２副搬送波に制限される。
【０１３４】
ＮＢ−ＩｏＴランダムアクセスプリアンブルの各シンボルグループは、１つのＣＰと５つのシンボル（すなわち、図２のシンボル＃０から＃４）とを含む。各シンボルは系列を搬送する。各シンボルの時間長は、ＮＢ−ＩｏＴ上りリンク副搬送波帯域幅の逆数である。表１に示されるように、既存のＮＢ−ＩｏＴランダムアクセスプリアンブルのフォーマットは、フォーマット０又はフォーマット１が含む。フォーマット０とフォーマット１は、ＣＰの異なる時間長ＴＣＰをサポートする。フォーマット０は最大セル半径１０ｋｍをサポートする。フォーマット１は最大セル半径４０ｋｍをサポートする。フォーマット０とフォーマット１の５つのシンボルの合計時間長ＴＳＥＱは等しい。
【表１】
2021513790.tif 000095
【０１３５】
表１によれば、既存のＮＢ−ＩｏＴランダムアクセスプリアンブルは、４０キロメートル（kilometer、ｋｍ）のセル半径をサポートしている。例えば、スマートレークやロング・ターム・エボリューション（Long  Term  Evolution、ＬＴＥ）との共存サイトのような、モノのインターネットにおけるオープンエリア向けの用途では、ランダムアクセスプリアンブルは、より大きなセルをサポートする必要がある。より大きなセル半径をサポートするために、ランダムアクセスプリアンブルのフォーマットが再設計される必要がある。しかしながら、ランダムアクセスプリアンブルの現在の周波数ホッピングパターンは、再設計されたランダムアクセスプリアンブルに適用できない可能性がある。
【０１３６】
これを考慮して、この出願は通信方法を提供する。この方法では、ランダムアクセスは、再設計されたランダムアクセスプリアンブルに一致する周波数ホッピングパターンに基づいて実行され得る。以下、この出願を詳細に説明する。図３は、この出願の一実施形態による通信方法３００の概略フローチャートである。図３に示すように、方法３００は、Ｓ３１０、Ｓ３２０、及びＳ３３０を含んでもよい。図３の端末デバイス及びネットワークデバイスは、図１に示される端末デバイス１２０及びネットワークデバイス１１０であってもよいと理解されたい。しかし、これは、この出願のこの実施形態において制限されない。
【０１３７】
Ｓ３１０：端末デバイスは、ランダムアクセスプリアンブルを決定する。
【０１３８】
Ｓ３２０：端末デバイスは、ランダムアクセスプリアンブルの周波数位置を決定する。
【０１３９】
Ｓ３３０：端末デバイスは、周波数位置に基づいてネットワークデバイスにランダムアクセスプリアンブルを送信する。これに対応して、ネットワークデバイスは、端末デバイスによって送信されたランダムアクセスプリアンブルを受信する。
【０１４０】
この出願のこの実施形態では、ランダムアクセスプリアンブルは、６つのシンボルグループを含んでもよく、又は５つのシンボルグループを含んでもよい。以下、ランダムアクセスプリアンブルが６つのシンボルグループを含む場合（ケース１）と、ランダムアクセスプリアンブルが５つのシンボルグループを含む場合（ケース２）について別々に詳細に説明する。
【０１４１】
ケース１
【０１４２】
ステップＳ３１０において、ランダムアクセスプリアンブルは、６つのシンボルグループを含む。
【０１４３】
任意で、ランダムアクセスプリアンブルのフォーマットは、表２のフォーマット２、フォーマット３、又はフォーマット４であってもよい。
【表２】
2021513790.tif 000096
【０１４４】
言い換えれば、６つのシンボルグループのいずれか１つが、１つのＣＰと１つのシンボル、１つのＣＰと２つのシンボル、又は１つのＣＰと３つのシンボルを含んでもよい。本明細書におけるＣＰ及びシンボルの両方の時間長は、８００μｓであってもよい。ＣＰの時間長はＴＣＰである。１つのシンボルグループに含まれるシンボルの全長は、ＴＳＥＱである。
【０１４５】
最大セル半径はガード時間（Gard  Time、ＧＴ）に関連する。ガード時間が長いほど、より大きいカバーされる最大セル半径に対応する。ガード時間は、シンボルグループ内のＣＰ及びシンボルの全長に関連する。追加的に、ＣＰの時間長は最大セル半径をカバーすべきである。式Ｓ＝Ｖ＊Ｔによれば、Ｖは、３０＊１０８ｍ／ｓの光の速度であり、Ｓ＝２＊１００＊１０３ｍである。従って、Ｔ＝６６６．７μｓは、２つの値を式Ｓ＝Ｖ＊Ｔに代入することによって得られてもよい。しかし、ＣＰの時間長ＴＣＰは８００μｓであり、６６６．７μｓより大きい。従って、この出願では、ランダムアクセスプリアンブルが最大セル半径１００ｋｍをサポートできるように、表２に示されるランダムアクセスプリアンブルのフォーマットが設定される。
【０１４６】
ランダムアクセスプリアンブルのフォーマット及びＣＰとシンボルの時間長は、単に説明のための例にすぎないと理解されたい。ランダムアクセスプリアンブルのフォーマット、ＣＰとシンボルの時間長は、この出願では特に制限されない。例えば、各シンボルグループは１つのＣＰと４つのシンボルを含んでもよい。代替的には、シンボルの時間長は７００μｓなどであってもよい。
【０１４７】
ランダムアクセスプリアンブルのフォーマットインデックス及びフォーマットインデックスと特定のフォーマットとの間の対応は、単なる説明のための例であり、この出願に対するいかなる限定も構成しないとさらに理解されたい。例えば、フォーマットインデックスが２であるランダムアクセスプリアンブルにおいて、任意のシンボルグループは、１つのＣＰと２つのシンボルを含み得る。別の例では、あるランダムアクセスプリアンブルの任意のシンボルグループが１つのＣＰと３つのシンボルを含む場合、ランダムアクセスプリアンブルのフォーマットインデックスは２である。
【０１４８】
さらに、シンボルグループ内の各シンボルで搬送される系列は、同じであってもよい。例えば、各シンボルで搬送される系列はａであり、Ｅ個のシンボルで搬送される系列は、
【数９３】
2021513790.tif 000097
であり、ここで、ａは実数、例えば、１又は−１であってもよく、又は複素数、例えば、−ｊ又はｊであってもよく、ｊは虚数単位を表し、ｊ２＝−１を満たす。シンボルグループ内のシンボルで搬送される系列が異なってもよく、シンボルグループ内のいくつかのシンボルで搬送される系列が同じで、他のシンボルで搬送される系列が異なってもよい。これは、この出願のこの実施形態において制限されない。
【０１４９】
追加的に、任意の２つのシンボルグループで搬送される系列は、同じであってもよく、又は異なってもよい。これは、この出願のこの実施形態において制限されない。
【０１５０】
この出願のこの実施形態におけるランダムアクセスプリアンブルは、スクランブル系列を使用してスクランブルされていないランダムアクセスプリアンブルであってもよく、又はスクランブル系列を使用してスクランブルされたランダムアクセスプリアンブルであってもよい。これは、本明細書に制限されない。スクランブルは、干渉ランダム化性能を改善し、セル間干渉に起因する誤警報を回避するために行われる。
【０１５１】
ベース系列に基づいて端末デバイスによって得られるスクランブルコード系列の長さは、複数の場合を有してもよい。具体的には、スクランブルコード系列の長さは、ランダムアクセスプリアンブルのシンボルグループ内のシンボルの数と同じであってもよく、スクランブルコード系列の長さは、ランダムアクセスプリアンブルの反復周期におけるシンボルの数と同じであってもよく、又はスクランブルコード系列の長さは、ランダムアクセスプリアンブルのすべての反復周期におけるシンボルの数と同じであってもよい。スクランブルコード系列の長さは、ランダムアクセスプリアンブルのシンボルグループ内の周期的プレフィックスとシンボルの数の合計と同じであってもよく、スクランブルコードコードの長さは、ランダムアクセスプリアンブルの反復周期における周期的プレフィックスとシンボルの数の合計と同じであってもよく、又はスクランブルコード系列の長さは、ランダムアクセスプリアンブルのすべての反復周期における周期的プレフィックスとシンボルの数の合計と同じであってもよい。スクランブルコード系列の長さは、この出願では制限されない。
【０１５２】
端末デバイスは、端末デバイス内で設定された方法でベース系列を生成するか、又は問い合わせを介してベース系列を得てもよい。端末デバイスが、ベース系列に基づいてスクランブルコード系列を得るための複数の方法があってもよい。任意の方法１では、スクランブル系列はベース系列であり、スクランブル系列とベース系列は等しい。例えば、ベース系列はＡＢＣであり、得られたスクランブルコード系列はＡＢＣである。任意の方法２では、スクランブルコード系列を得るために、ベース系列中の各要素がＭ回連続して反復される。具体的には、端末デバイスはベース系列中の第１の要素をＭ回反復させ、第２の要素をＭ回反復させ、最後の要素をＭ回反復させる。例えば、ベース系列はＡＢＣであり、ベース系列中の各要素が連続して２回反復されてＡＡＢＢＣＣを得る。例えば、ベース系列はＡＢであり、ベース系列中の各要素が連続して３回反復されてＡＡＡＢＢＢを得る。
【０１５３】
端末デバイスは、ネットワークデバイスによって送信されたスクランブルコード表示情報を得てもよい。スクランブルコード表示情報は、端末デバイスが方法１又は方法２を使用してランダムアクセスプリアンブルをスクランブルすることを示すために使用される。
【０１５４】
任意の方法において、パラメータインデックスは、方法１及び／又は方法２に対応する異なる値を有してもよい。例えば、パラメータインデックスの値が０のときに、端末デバイスが方法１を使用してランダムアクセスプリアンブルをスクランブルすることを示す。パラメータインデックスの値が１のときに、端末デバイスが方法２を使用してランダムアクセスプリアンブルをスクランブルすることを示す。詳細は表３を参照のこと。
【表３】
2021513790.tif 000098
【０１５５】
任意の方法では、端末デバイスがネットワークデバイスによって送信されたスクランブルコード表示情報を受信するときに、端末デバイスは、方法１を使用してランダムアクセスプリアンブルをスクランブルする。端末デバイスがネットワークデバイスによって送信されたスクランブルコード表示情報を受信しないときに、端末デバイスは、方法２を使用してランダムアクセスプリアンブルをスクランブルする。
【０１５６】
任意の方法では、スクランブルコード表示情報は、第１の状態と第２の状態の２つの状態を含む。スクランブルコード表示情報が第１の状態を示すときに、端末デバイスは、方法１を使用してランダムアクセスプリアンブルをスクランブルする。スクランブルコード表示情報が第２の状態を示すときに、端末デバイスは、方法２を使用してランダムアクセスプリアンブルをスクランブルする。
【０１５７】
ベース系列又はスクランブルコード系列は、直交系列、ＺＣ系列、擬似ランダム系列、差動直交系列、付加スクランブルコードが各反復周期においてシンボルグループで区別された後に得られる直交系列、付加スクランブルコードが各反復周期においてシンボルグループで区別された後に得られる直交系列のサブセットなどであってもよい。直交系列は、ウォルシュ系列であってもよい。擬似ランダム系列は、ｍ系列、Ｍ系列、Ｇｏｌｄ系列などであってもよい。擬似ランダム系列の初期化シードは、セル識別子、ハイパーフレーム番号、フレーム番号、シンボルインデックス、シンボルグループインデックス、反復数、副搬送波インデックス、搬送波インデックスなどのうちの少なくとも１つの関数である。好ましくは、ベース系列又はスクランブルコード系列は、式
【数９４】
2021513790.tif 000099
によって表されてもよく、ここで、ｍ＝０、１、２、．．．、又はｋ−１であり、ｕは、スクランブルコード系列のインデックスである。
【数９５】
2021513790.tif 000100
又は、
【数９６】
2021513790.tif 000101
であり、ここで、
【数９７】
2021513790.tif 000102
は、セル識別子であり、ｋは、スクランブルコード系列の長さである。
【０１５８】
任意で、この出願の実施形態では、Ｓ３１０が行われる前に、本方法は、さらに以下を含んでもよい。
【０１５９】
Ｓ３０２：ネットワークデバイスは、ランダムアクセス設定情報を端末デバイスに送信する。ランダムアクセス設定情報は、ランダムアクセスプリアンブルを決定するために端末デバイスに示すために使用されるか、又はランダムアクセス設定情報は、ランダムアクセスプリアンブルのフォーマット情報を含んでもよい。これに対応して、ステップＳ３１０において、端末デバイスは、ランダムアクセス設定情報に基づいてランダムアクセスプリアンブルを決定してもよい。
【０１６０】
具体的には、ネットワークデバイスがランダムアクセス設定情報を決定し、端末デバイスにランダムアクセス設定情報を送信する。端末デバイスは、ランダムアクセス設定情報に基づいてランダムアクセスプリアンブルを決定してもよい。例えば、ランダムアクセス設定情報は、ランダムアクセスプリアンブルのフォーマットインデックス、各シンボルグループに含まれるシンボル数、又はＣＰの長さを含んでもよい。ランダムアクセスプリアンブルのフォーマットインデックス、各シンボルグループに含まれるシンボル数、又はＣＰの長さは、ランダムアクセスプリアンブル又はランダムアクセスプリアンブルのフォーマットを示すために使用されてもよい。表２に示されるランダムアクセスプリアンブルのフォーマットが例として使用される。ランダムアクセス設定情報がインデックス２を含む場合、端末デバイスは、ランダムアクセスプリアンブルが１つのＣＰ及び１つのシンボルを含み、ＣＰの時間長及び各シンボルの時間長が両方とも８００μｓであると決定してもよい。
【０１６１】
前述の情報に追加して、ランダムアクセス設定情報は、ランダムアクセスリソース期間、開始副搬送波周波数領域の位置、ランダムアクセスのために割り当てられたサブキャリア数、ランダムアクセスプリアンブルの反復数、ランダムアクセス開始モーメント、及びランダムアクセスプリアンブルの各カバレッジ強化レベルでの試みの最大数、ランダムアクセスプリアンブルの試みの最大数、ランダムアクセスプリアンブルの初期ターゲット受信電力、基準信号受信電力（Reference  Signal  Received  Power、ＲＳＲＰ）閾値などをさらに含んでもよい。ランダムアクセス設定情報に含まれるパラメータの具体的な意味については、先行技術における説明を参照されたい。簡潔にするために、詳細は本明細書では説明されない。
【０１６２】
可能な実装では、ステップＳ３０２において、ネットワークデバイスは、システム情報ブロック、例えばシステム情報ブロック２（System  Information  Block  Type2、ＳＩＢ２）に基づいて、ランダムアクセス設定情報を端末デバイスに送信してもよい。
【０１６３】
別の可能な実装では、ネットワークデバイスは、ブロードキャストのような手法で、又は無線リソース制御（Radio  Resource  Control、ＲＲＣ）専用シグナリング、メディアアクセス制御（Media  Access  Control、ＭＡＣ）制御要素、若しくは下りリンク制御情報（Downlink  Control  Information、ＤＣＩ）を使用して、ランダムアクセス設定情報を送信することができる。追加的に、ネットワークデバイスは、別の手法で、ランダムアクセス設定情報を端末デバイスに送信してもよい。これは、この出願のこの実施形態において制限されない。
【０１６４】
ステップＳ３２０において、ランダムアクセスプリアンブルに含まれる６つのシンボルグループは、時系列において、第１のシンボルグループ、第２のシンボルグループ、第３のシンボルグループ、第４のシンボルグループ、第５のシンボルグループ、及び第６のシンボルグループとして示される。第１のシンボルグループと第２のシンボルグループとの間の周波数ホッピング間隔と、第５のシンボルグループと第６のシンボルグループの間の周波数ホッピング間隔は等しく、両方とも第１の間隔である。第２のシンボルグループと第３のシンボルグループとの間の周波数ホッピング間隔と、第４のシンボルグループと第５のシンボルグループとの間の周波数ホッピング間隔は等しく、両方とも第２の間隔である。第３のシンボルグループと第４のシンボルグループとの間の周波数ホッピング間隔は、第３の間隔である。第１の間隔、第２の間隔、及び第３の間隔は等しくなく、ゼロに等しくない。
【０１６５】
この出願のこの実施形態において、６つのシンボルグループにおける任意の隣接する２つのシンボルグループ間の周波数間隔は、２つのシンボルグループ間の周波数ホッピング間隔であると理解されたい。言い換えれば、６つのシンボルグループにおける任意の隣接する２つのシンボルグループ間の周波数差の絶対値は、２つのシンボルグループ間の周波数ホッピング間隔、又は、時系列にかかわらず、６つのシンボルグループにおける任意の隣接する２つのシンボルグループに対して、より大きな周波数を有するシンボルグループとより小さな周波数を有するシンボルグループとの間の周波数差は、周波数ホッピング間隔である。全ての２つの隣接するシンボルグループの間の周波数位置間隔は、周波数位置間の差の絶対値であるとさらに理解されたい。２つの隣接するシンボルグループ間の周波数ホッピング間隔は、２つの隣接するシンボルグループ間の周波数位置間隔に副搬送波帯域幅を乗じることによって得られる値に等しい。
【０１６６】
例えば、隣接するシンボルグループ間の周波数ホッピング間隔は副搬送波帯域幅の整数倍であってもよい。例えば、副搬送波帯域幅は１．２５ｋＨｚであり、隣接するシンボルグループ間の周波数ホッピング間隔はＮ＊１．２５ｋＨｚであってもよく、ここで、Ｎは正の整数である。代替的には、隣接するシンボルグループ間の周波数ホッピング間隔は、副搬送波帯域幅の整数倍でなくてもよい。隣接するシンボルグループ間の周波数ホッピング間隔が副搬送波帯域幅の整数倍であるかどうかは、この出願のこの実施形態において制限されない。
【０１６７】
任意で、第１の間隔は第２の間隔より小さくてもよく、第２の間隔は第３の間隔より小さくてもよい。
【０１６８】
第１の間隔、第２の間隔、及び第３の間隔の間の値の関係に対する限定は、単なる説明のための例にすぎず、この出願に対するいかなる限定も構成しないと理解されたい。例えば、第１の間隔は第２の間隔より大きくてもよく、第２の間隔は第３の間隔より大きくてもよい。
【０１６９】
任意で、第１の間隔は１．２５ｋＨｚであってもよい。
【０１７０】
任意で、第２の間隔は３．７５ｋＨｚであってもよい。
【０１７１】
任意で、第３の間隔は２２．５ｋＨｚであってもよい。
【０１７２】
第１の間隔、第２の間隔、及び第３の間隔の値は、この出願のこの実施形態において特に制限されないと理解されたい。実施形態は単なる説明のための例に過ぎず、この出願に対する限定を構成しないものとする。例えば、第１の間隔は代替的には２．５ｋＨｚであってもよく、第２の間隔は代替的には１．２５ｋＨｚであってもよい。別の例では、第３の間隔は１２．５ｋＨｚであってもよい。
【０１７３】
さらに、第１のシンボルグループから第２のシンボルグループへの周波数ホッピング方向は、第５のシンボルグループから第６のシンボルグループへの周波数ホッピング方向と反対であり、第２のシンボルグループから第３のシンボルグループへの周波数ホッピング方向は、第４のシンボルグループから第５のシンボルグループへの周波数ホッピング方向と反対である。
【０１７４】
言い換えれば、第１のシンボルグループの周波数が第２のシンボルグループの周波数より小さい場合、第５のシンボルグループの周波数は第６のシンボルグループの周波数より大きい。第１のシンボルグループの周波数が第２のシンボルグループの周波数より大きい場合、第５のシンボルグループの周波数は第６のシンボルグループの周波数より小さい。第２のシンボルグループの周波数が第３のシンボルグループの周波数より小さい場合、第４のシンボルグループの周波数は第５のシンボルグループの周波数より大きい。第２のシンボルグループの周波数が第３のシンボルグループの周波数より大きい場合、第４のシンボルグループの周波数は第５のシンボルグループの周波数より小さい。
【０１７５】
さらに、第１のシンボルグループから第２のシンボルグループへの周波数ホッピング方向は、第２のシンボルグループから第３のシンボルグループへの周波数ホッピング方向と同じであってもよい。言い換えれば、第１のシンボルグループの周波数は第２のシンボルグループの周波数より小さく、第２のシンボルグループの周波数は第３のシンボルグループの周波数より小さい。代替的には、第１のシンボルグループの周波数は第２のシンボルグループの周波数より大きく、第２のシンボルグループの周波数は第３のシンボルグループの周波数より大きい。
【０１７６】
追加的に、第１のシンボルグループから第２のシンボルグループへの周波数ホッピング方向は、第２のシンボルグループから第３のシンボルグループへの周波数ホッピング方向とは異なってもよい。第１のシンボルグループから第２のシンボルグループへの周波数ホッピング方向と、第２のシンボルグループから第３のシンボルグループへの周波数ホッピング方向との関係は、この出願のこの実施形態において制限されない。
【０１７７】
この出願のこの実施形態の通信方法によれば、端末デバイスは、６つのシンボルグループを含むランダムアクセスプリアンブルの周波数ホッピングパターン（すなわち、各シンボルグループの周波数位置）を決定し、ランダムアクセスプリアンブルを送信し、ランダムアクセスを行う。
【０１７８】
以下、図４を参照して、ランダムアクセスプリアンブルの周波数ホッピングパターンを説明する。
【０１７９】
図４に示すように、ランダムアクセスプリアンブルは、シンボルグループ１、シンボルグループ２、シンボルグループ３、シンボルグループ４、シンボルグループ５及びシンボルグループ６の６つのシンボルグループを含む。各シンボルグループは、１つのＣＰ、シンボル＃０、シンボル＃１、及びシンボル＃２を含む。＃０から＃３５は３６副搬送波を示す。シンボルグループ１とシンボルグループ２との間の周波数ホッピング間隔は、シンボルグループ２の周波数から第１のシンボルグループの周波数を減算することによって得られる１．２５ｋＨｚである。言い換えれば、シンボルグループ１とシンボルグループ２との間の周波数ホッピング間隔は１．２５ｋＨｚである。シンボルグループ２とシンボルグループ３との間の周波数ホッピング間隔は３．７５ｋＨｚである。シンボルグループ３とシンボルグループ４との間の周波数ホッピング間隔は２２．５ｋＨｚである。シンボルグループ４とシンボルグループ５との間の周波数ホッピング間隔は３．７５ｋＨｚである。シンボルグループ５とシンボルグループ６との間の周波数ホッピング間隔は１．２５ｋＨｚである。シンボルグループ１からシンボルグループ２への周波数ホッピング方向は、シンボルグループ５からシンボルグループ６への周波数ホッピング方向と反対であり、シンボルグループ２からシンボルグループ３への周波数ホッピング方向は、シンボルグループ４からシンボルグループ５への周波数ホッピング方向と反対である。
【０１８０】
シンボルグループ１からシンボルグループ６までは、それぞれ、前述の第１のシンボルグループから前述の第６のシンボルグループに対応し得ると理解されたい。
【０１８１】
シミュレーションを介して、図４に示された周波数ホッピングパターンに基づいてランダムアクセスプリアンブルが送信されるときに、系列相関は比較的良好であり、推定上りリンクタイミングの正確性が改善され得る。追加的に、１２副搬送波（すなわち、４５ｋＨｚ）における周波数ホッピングのために、既存のランダムアクセスプリアンブルが使用されてもよい。この出願のこの実施形態において副搬送波帯域幅が３．７５ｋＨｚから１．２５ｋＨｚに低減されるときに、４５ｋＨｚのＮＰＲＡＣＨリソースが維持されることに基づいて、この出願のこの実施形態におけるランダムアクセスプリアンブルの周波数ホッピング範囲は、１２副搬送波から３６副搬送波に増加され得る。従って、図４に提供される周波数ホッピングパターンは、ランダムアクセスを行うためにＮＰＲＡＣＨリソースを再利用する際に、より多くのユーザをサポートすることができる。言い換えれば、１２ユーザをサポートする４５ｋＨｚの既存のソリューションと比較して、この出願は３６ユーザによる再利用をサポートすることができる。
【０１８２】
この出願のこの実施形態では、ランダムアクセスプリアンブルの６つのシンボルグループは２つのグループに分類され、各グループは３つのシンボルグループを含む。第１のグループにおける第１のシンボルグループと第２のシンボルグループとの間の周波数ホッピング間隔と、第２のグループにおける第１のシンボルグループと第２のシンボルグループとの間の周波数ホッピング間隔は等しく、両方とも第１の間隔である。第１のグループにおける第２のシンボルグループと第３のシンボルグループとの間の周波数ホッピング間隔と、第２のグループにおける第２のシンボルグループと第３のシンボルグループとの間の周波数ホッピング間隔は等しく、両方とも第２の間隔である。第１のグループにおける第３のシンボルグループと第２のグループの第１のシンボルグループとの間の周波数ホッピング間隔は、第３の間隔である。
【０１８３】
任意で、第１のグループにおける第１のシンボルグループから第２のシンボルグループへの周波数ホッピング方向は、第２のグループにおける第１のシンボルグループから第２のシンボルグループへの周波数ホッピング方向と反対である。第１のグループにおける第２のシンボルグループから第３のシンボルグループへの周波数ホッピング方向は、第２のグループにおける第２のシンボルグループから第３のシンボルグループへの周波数ホッピング方向と反対である。代替的には、第１のグループにおける３つのシンボルグループ間の周波数ホッピング方向は、第２のグループにおける３つのシンボルグループ間の周波数ホッピング方向とは反対である。
【０１８４】
例えば、図４を参照すると、第１のグループはシンボルグループ１からシンボルグループ３を含み、第２のグループはシンボルグループ４からシンボルグループ６を含む。シンボルグループ１とシンボルグループ２との間の周波数ホッピング間隔及びシンボルグループ４とシンボルグループ５との間の周波数ホッピング間隔は、両方とも第１の間隔である。シンボルグループ２とシンボルグループ３との間の周波数ホッピング間隔及びシンボルグループ５とシンボルグループ６との間の周波数ホッピング間隔は、両方とも第２の間隔である。シンボルグループ３とシンボルグループ４との間の周波数ホッピング間隔は、第３の間隔である。シンボルグループ１からシンボルグループ２への周波数ホッピング方向は、シンボルグループ５からシンボルグループ６への周波数ホッピング方向と反対であり、シンボルグループ２からシンボルグループ３への周波数ホッピング方向は、シンボルグループ４からシンボルグループ５への周波数ホッピング方向と反対である。
【０１８５】
図４のシンボルグループ１からシンボルグループ３は、それぞれ、第１のグループにおける第１のシンボルグループから第３のシンボルグループに対応し、シンボルグループ４からシンボルグループ６は、それぞれ、第２のグループにおける第１のシンボルグループの第３のシンボルグループに対応すると理解されたい。
【０１８６】
任意で、ステップＳ３２０の具体的な実装において、端末デバイスは、ランダムアクセス設定情報及び事前設定ルールに基づいてランダムアクセスプリアンブルの周波数位置を決定してもよい。
【０１８７】
この出願における「周波数位置」は、副搬送波のインデックス又は番号を示すことに留意されたい。
【０１８８】
例えば、ランダムアクセス設定情報は、ランダムアクセスプリアンブルの反復数Ｗを含んでもよい。Ｗ回の反復においてランダムアクセスプリアンブルを含む６＊Ｗのシンボルグループは、時系列において、０、１、．．．、ｉ、．．．、６Ｗ−２、及び６Ｗ−１と番号付けされ、Ｗは正の整数である。６＊Ｗのシンボルグループのうちの番号ｉは、０以上であり、６Ｗ−１以下であると理解されたい。例えば、Ｗ＝２の場合、２回の反復におけるランダムアクセスプリアンブルに含まれる１２のシンボルグループは、時系列で、０、１、２、３、４、５、６、７、８、９、１０、及び１１の番号が付される。Ｗ＝２のときに、端末デバイスは、ステップＳ３３０において１２のシンボルグループを送信すると理解されたい。ランダムアクセス設定情報は、番号が０のシンボルグループの周波数位置を決定するためにさらに使用されてもよい。
【０１８９】
事前設定ルールは、第１の式と第２の式とを含む。第１の式及び第２の式は、各シンボルグループの周波数位置を計算するために使用され得る。第１の式及びシンボルグループＰの番号ｉは、シンボルグループＰの周波数位置を決定するために使用される。第２の式とシンボルグループＱの番号ｉは、シンボルグループＱの周波数位置を決定するために使用される。シンボルグループＰは、６＊Ｗのシンボルグループにおいて、ｉ＞０及びｉｍｏｄ６＝０を満たす番号のシンボルグループである。シンボルグループＱは、６＊Ｗのシンボルグループにおいて、ｉ＞０、およびｉｍｏｄ６≠０を満たす番号のシンボルグループである。代替的には、シンボルグループＰは、６＊Ｗのシンボルグループにおいて、番号ｉのシンボルグループであり、ｉはｉ＞０を満たし、ｉｍｏｄ６＝０であり、ここで、ｍｏｄはモジュロ演算を表す。シンボルグループＱは、６＊Ｗのシンボルグループにおいて、番号が０のシンボルグループとシンボルグループＰ以外のシンボルグループである。例えば、Ｗ＝２の場合、２回反復された後、ランダムアクセスプリアンブルは合計１２のシンボルグループを含み、シンボルグループＰは１２のシンボルグループにおいて、番号が６のシンボルグループであり、シンボルグループＱは１２のシンボルグループにおいて、番号が１、２、３、４、５、７、８、９、１０、又は１１のシンボルグループである。
【０１９０】
事前設定ルールは、例えば、プロトコルで指定されてもよいし、ネットワークデバイスによって設定されてもよい。これは、この出願のこの実施形態において制限されない。
【０１９１】
言い換えれば、端末デバイスは、ランダムアクセス設定情報に基づいて番号が０のシンボルグループの周波数位置を決定し、第１の式とシンボルグループＰの番号ｉに基づいてシンボルグループＰの周波数位置を決定し、第２の式とシンボルグループＱの番号ｉに基づいてシンボルグループＱの周波数位置を決定する。
【０１９２】
別の例では、ランダムアクセス設定情報は、反復数Ｗ、第１の反復における各シンボルグループの周波数位置、及び次の反復における第１のシンボルグループと前の反復における第６のシンボルグループとの間の周波数ホッピング間隔をさらに含んでもよい。この情報に基づいて、端末デバイスは、Ｗ回の反復における各反復周期における各シンボルグループの周波数位置を決定してもよい。
【０１９３】
この出願では、端末デバイスは、ランダムアクセス設定情報のみに基づいてランダムアクセスプリアンブルの周波数位置を代替的に決定してもよい。例えば、ランダムアクセス設定情報は、６＊Ｗのシンボルグループの各々の周波数位置を含んでもよい。端末デバイスがランダムアクセスプリアンブルの周波数位置を決定する手法は、この出願のこの実施形態において制限されないと理解されたい。
【０１９４】
第１の式の例では、第１の式は、番号が０のシンボルグループの周波数位置と、番号ｉと疑似ランダム系列に基づいて決定される関数とに関連するか、又は第１の式は、番号がｉ−６のシンボルグループの周波数位置と、番号ｉと疑似ランダム系列に基づいて決定される関数とに関連し、番号ｉは、シンボルグループＰの番号である。
【０１９５】
言い換えれば、シンボルグループＰは、番号が０のシンボルグループの周波数位置と、シンボルグループＰの番号ｉ及び疑似ランダム系列によって決定される関数とに基づいて決定されてもよい。代替的には、シンボルグループＰは、番号がｉ−６のシンボルグループの周波数位置と、シンボルグループＰの番号ｉ及び疑似ランダム系列によって決定される関数とに基づいて決定されてもよい。シンボルグループＰの周波数位置は、番号が０のシンボルグループの周波数位置に関連するか、又はシンボルグループＰの前の第６のシンボルグループの周波数位置に関連し、別のシンボルグループの周波数位置とは無関係であることが分かる。
【０１９６】
第２の式の例では、第２の式は、番号がｉ−１のシンボルグループの周波数位置と、番号がｉ−１のシンボルグループに対する番号がｉのシンボルグループの周波数位置間隔及び周波数ホッピング方向とに関連し、番号ｉは、シンボルグループＱの番号である。
【０１９７】
言い換えれば、シンボルグループＱの周波数位置は、シンボルグループＱに隣接する、番号がｉ−１である前のシンボルグループの周波数位置、シンボルグループＱに隣接する前のシンボルグループに対するシンボルグループＱの周波数ホッピング間隔及び周波数ホッピング方向に基づいて決定されてもよい。シンボルグループＱの周波数位置は、シンボルグループＱに隣接する前のシンボルグループの周波数位置にのみに関連し、他のシンボルグループの周波数位置とは無関係であることが分かる。
【０１９８】
周波数位置間隔は、周波数位置間の差の絶対値であると理解されたい。
【０１９９】
任意で、事前設定ルールは、式１又は式２を含んでもよく、式１は、
【数９８】
2021513790.tif 000103
であり、式２は、
【数９９】
2021513790.tif 000104
であり、ここで、
【数１００】
2021513790.tif 000105
は、番号がｉのシンボルグループの周波数位置であり、ｆ（ｉ／６）は、シンボルグループの番号ｉ、
【数１０１】
2021513790.tif 000106
、及び疑似ランダム系列に基づいて決定される関数であり、
【数１０２】
2021513790.tif 000107
は、ランダムアクセスプリアンブルについての送信制限であり、
【数１０３】
2021513790.tif 000108
は、切り下げを表し、
【数１０４】
2021513790.tif 000109
であり、
【数１０５】
2021513790.tif 000110
である。
【０２００】
本明細書において、
【数１０６】
2021513790.tif 000111
は、プロトコルで指定されてもよく、ネットワークデバイスによって端末デバイスに通知されてもよく、固定値でもよく、又はいくつかの候補値のうちの１つであってもよい。例えば、ネットワークデバイスは、ランダムアクセス設定情報を使用して、
【数１０７】
2021513790.tif 000112
を搬送してもよい。副搬送波帯域幅が１．２５ｋＨｚのときに、
【数１０８】
2021513790.tif 000113
は、３６に等しくてもよい。これは、本明細書において制限されない。例えば、
【数１０９】
2021513790.tif 000114
は、代替的には７２であってもよい。
【数１１０】
2021513790.tif 000115
の値は、
【数１１１】
2021513790.tif 000116
に等しいか、又は
【数１１２】
2021513790.tif 000117
の値は、
【数１１３】
2021513790.tif 000118
に関連付けられているか、若しくは制約されてもよい。例えば、
【数１１４】
2021513790.tif 000119
は、表内のいくつかの対応関係を使用して
【数１１５】
2021513790.tif 000120
に関連付けられてもよい。これは、本明細書において制限されない。
【数１１６】
2021513790.tif 000121
は、ネットワークデバイスによって端末デバイスに送信されるランダムアクセス設定情報におけるパラメータであり、ランダムアクセスのために使用される副搬送波数を表す。
【０２０１】
式１又は式２の１行目は、前述の第１の式であってもよく、式１又は式２の２行目から７行目は、前述の第２の式であってもよいと理解されたい。番号がｉ−１のシンボルグループに対する番号がｉのシンボルグループの周波数位置間隔及び周波数ホッピング方向は、２行目から７行目までの式に従って決定され得るとさらに理解されたい。たとえば、式１又は式２の２行目が例として使用される。
【数１１７】
2021513790.tif 000122
は、番号がｉ−１のシンボルグループの周波数位置である。以下、「＋１」は、番号がｉのシンボルグループの周波数位置が、番号がｉ−１のシンボルグループの周波数位置より大きく、番号がｉのシンボルグループと番号がｉ−１のシンボルグループとの間の周波数ホッピング間隔が１つの副搬送波であることを表す。再発関係によれば、第１のシンボルグループの周波数位置が決定される限り、第１のシンボルグループの後の各シンボルグループの周波数位置は、周波数位置間隔及び番号がｉ−１のシンボルグループに対する番号がｉのシンボルグループの周波数ホッピング方向に基づいて決定され得る。
【０２０２】
例として、この出願のこの実施形態では、番号が０のシンボルグループの周波数位置は、
【数１１８】
2021513790.tif 000123
であり、ここで、ｎｉｎｉｔは、ＭＡＣ層において
【数１１９】
2021513790.tif 000124
から選択される副搬送波のインデックスであり、
【数１２０】
2021513790.tif 000125
は、ランダムアクセスのために使用される副搬送波数を表す。
【０２０３】
例えば、この出願のこの実施形態では、ｆ（ｉ／６）の値は、疑似ランダム系列ｃ（ｎ）の関数ｆ（ｔ）に基づいて決定され得る。ｆ（ｔ）は、
【数１２１】
2021513790.tif 000126
と表されてもよく、ここで、ｆ（−１）＝０であり、ｃ（ｎ）は、ｍ系列、Ｍ系列、Ｇｏｌｄ系列などであってもよい。これは、この出願のこの実施形態において制限されない。さらに、ｃ（ｎ）の初期化シードは、端末デバイスの物理層セル識別子、又は物理層セル識別子の関数であってもよい。
【０２０４】
例えば、ｃ（ｎ）は、長さ３１のＧｏｌｄ系列を表してもよい。Ｇｏｌｄ系列の長さは、ＭＰＮと示される。ｎ＝０，１，．．．，ＭＰＮ−１であり、ｃ（ｎ）は、
【数１２２】
2021513790.tif 000127
として表され、ここで、Ｎｃ＝１６００である。第１のｍ系列の初期化シードは、ｘ１（０）＝１、ｘ１（ｎ）＝０、ｎ＝１，２，．．．，３０を満たし、第２のｍ系列の初期化シードは、
【数１２３】
2021513790.tif 000128
として表される。
【数１２４】
2021513790.tif 000129
であり、ここで、
【数１２５】
2021513790.tif 000130
は、物理層セル識別子である。
【０２０５】
前述の表現は、単なる例にすぎないと留意されたい。インデックス表現の特定の表現形式は、この出願においては限定されず、別の形式の表現もまた、この出願の保護範囲に含まれる。式１及び式２、並びに式１及び式２に関連する例は、すべて、以下の設定に適用可能であると理解されたい。すなわち、副搬送波帯域幅は、１．２５ｋＨｚとして設定され、ランダムアクセスプリアンブルの送信は、
【数１２６】
2021513790.tif 000131
の副搬送波に限定され、シンボルグループ間の周波数ホッピング範囲は、３６副搬送波以内である。式１及び式２、並びに式１及び式２に関連する例は、別の設定にさらに適用可能である。これは、この出願のこの実施形態において特に制限されない。
【０２０６】
前述は、疑似ランダム周波数ホッピングが、異なる反復におけるランダムアクセスプリアンブルの周波数ホッピング間隔として使用される例のみを使用しているが、これは、この出願に対する限定を構成するべきではないとさらに理解されたい。この出願では、疑似ランダム周波数ホッピングは、異なる反復におけるランダムアクセスプリアンブルで使用されなくてもよい。例えば、任意の２回の反復におけるランダムアクセスプリアンブルに含まれる６つのシンボルグループにおける第１のシンボルグループの周波数位置は、同じであってもよい。
【０２０７】
ケース１又は以下のケース２にかかわらず、この出願で説明される「周波数位置」は、相対周波数位置又は絶対周波数位置であってもよいと留意されたい。端末デバイスは、シンボルグループの絶対周波数位置に対応する周波数でランダムアクセスプリアンブルを送信すると理解されたい。
【０２０８】
周波数位置
【数１２７】
2021513790.tif 000132
が相対周波数位置であるときに、詳細には、
【数１２８】
2021513790.tif 000133
が、ｉ番目のシンボルグループの相対周波数位置であるときに、ｉ番目のシンボルグループの絶対周波数位置は、
【数１２９】
2021513790.tif 000134
として示される。この場合、
【数１３０】
2021513790.tif 000135
であり、ここで、ｎｓｔａｒｔは、オフセット周波数位置である。ｉ番目のシンボルグループの絶対周波数位置は、端末デバイスによって決定されるｉ番目のシンボルグループの周波数位置及びオフセット周波数位置に基づいて決定され得るということが式から分かる。
【０２０９】
例えば、オフセット周波数位置ｎｓｔａｒｔは、
【数１３１】
2021513790.tif 000136
を満たし、ここで、ｎｉｎｉｔは、ＭＡＣ層において
【数１３２】
2021513790.tif 000137
から選択される副搬送波のインデックスであり、
【数１３３】
2021513790.tif 000138
及び
【数１３４】
2021513790.tif 000139
は、ランダムアクセス設定情報における２つのパラメータであり、
【数１３５】
2021513790.tif 000140
は、ＮＰＲＡＣＨの共通開始副搬送波の周波数位置を表し、
【数１３６】
2021513790.tif 000141
は、ランダムアクセスのために使用される副搬送波数を表す。
【０２１０】
ケース１又はケース２にかかわらず、端末デバイスがランダムアクセスプリアンブルをネットワークデバイスに送信するときに、ランダムアクセスプリアンブルの６つのシンボルグループ又は５つのシンボルグループは、時間的に連続的であっても非連続的であってもよいと理解されたい。これは、この出願のこの実施形態において制限されない。
【０２１１】
この出願のこの実施形態では、端末デバイスは、設定された反復数に基づいてネットワークデバイスにランダムアクセスプリアンブルを繰り返し送信するか、又は別の反復数でネットワークデバイスにランダムアクセスプリアンブルを繰り返し送信してもよいとさらに理解されたい。例えば、ランダムアクセスプリアンブルは、各送信において１回だけ反復される。言い換えれば、６つか５つのシンボルグループだけが送信される。
【０２１２】
ケース１又はケース２にかかわらず、端末デバイスが設定された反復数に基づいてネットワークデバイスにランダムアクセスプリアンブルを繰り返し送信する必要があるときに、異なる反復におけるランダムアクセスプリアンブルの重複は、時間的に連続的又は非連続的であるとしてもよい。これは、この出願のこの実施形態において制限されない。
【０２１３】
以下、図５を参照して、ランダムアクセスプリアンブルの周波数ホッピングパターンを説明する。図５において、Ｗ＝２である。言い換えると、ランダムアクセスプリアンブルの反復数は２である（すなわち、＃０と＃１が反復される）。擬似ランダム周波数ホッピングは、反復＃０と反復＃１との間で使用される（図５の破線の楕円でサインされるように）。擬似ランダム周波数ホッピング範囲は３６副搬送波に限定される。
【０２１４】
図５に示されるように、ランダムアクセスプリアンブルは、シンボルグループ１、シンボルグループ２、シンボルグループ３、シンボルグループ４、シンボルグループ５及びシンボルグループ６の６つのシンボルグループを含む。各シンボルグループは、１つのＣＰ、シンボル＃０、シンボル＃１、及びシンボル＃２を含む。＃０〜＃３５は、３６の副搬送波を示す。シンボルグループ１とシンボルグループ２との間の周波数ホッピング間隔は１．２５ｋＨｚである。シンボルグループ２とシンボルグループ３との間の周波数ホッピング間隔は３．７５ｋＨｚである。シンボルグループ３とシンボルグループ４との間の周波数ホッピング間隔は２２．５ｋＨｚである。シンボルグループ４とシンボルグループ５との間の周波数ホッピング間隔は３．７５ｋＨｚである。シンボルグループ５とシンボルグループ６との間の周波数ホッピング間隔は１．２５ｋＨｚである。シンボルグループ１からシンボルグループ２への周波数ホッピング方向は、シンボルグループ５からシンボルグループ６への周波数ホッピング方向と反対であり、シンボルグループ２からシンボルグループ３への周波数ホッピング方向は、シンボルグループ４からシンボルグループ５への周波数ホッピング方向と反対である。
【０２１５】
シンボルグループ１からシンボルグループ６は、それぞれ、前述の第１のシンボルグループから前述の第６のシンボルグループに対応し得ると理解されたい。
【０２１６】
シミュレーションを介して、図５に示される周波数ホッピングパターンに基づいてランダムアクセスプリアンブルが送信されるときに、系列相関は比較的良好であり、推定上りリンクタイミングの正確性が改善され得る。追加的に、１２副搬送波（すなわち、４５ｋＨｚ）における周波数ホッピングのために、既存のランダムアクセスプリアンブルが使用されてもよい。この出願のこの実施形態において副搬送波帯域幅が３．７５ｋＨｚから１．２５ｋＨｚに低減されるときに、４５ｋＨｚのＮＰＲＡＣＨリソースが維持されることに基づいて、この出願のこの実施形態におけるランダムアクセスプリアンブルの周波数ホッピング範囲は、１２副搬送波から３６副搬送波に増加され得る。従って、図５に提供される周波数ホッピングパターンは、ランダムアクセスを行うためにＮＰＲＡＣＨリソースを再利用する際に、より多くのユーザをサポートすることができる。言い換えれば、１２ユーザをサポートする４５ｋＨｚの既存のソリューションと比較して、この出願は３６ユーザによる再利用をサポートすることができる。
【０２１７】
前述は、主に、ランダムアクセスプリアンブルが６つのシンボルグループを含む場合を説明する。以下、ランダムアクセスプリアンブルが５つのシンボルグループを含む場合場合を説明する。
【０２１８】
ケース２
【０２１９】
ステップＳ３１０において、ランダムアクセスプリアンブルは、５つのシンボルグループを含む。
【０２２０】
任意で、ランダムアクセスプリアンブルのフォーマットは、上記の表２に示されるフォーマットであってもよい。表２に示されるフォーマットでは、ＣＰとシンボルの両方の時間長は８００μｓであってもよい。
【０２２１】
最大セル半径はガード時間（Gard  Time、ＧＴ）に関連する。ガード時間が長いほど、より大きいカバーされる最大セル半径を示す。ガード時間は、シンボルグループ内のＣＰ及びシンボルの全長に関連する。追加的に、ＣＰの時間長は最大セル半径をカバーすべきである。式Ｓ＝Ｖ＊Ｔによれば、Ｖは、３０＊１０８ｍ／ｓの光の速度であり、Ｓ＝２＊１００＊１０３ｍである。従って、Ｔ＝６６６．７μｓは、２つの値を式Ｓ＝Ｖ＊Ｔに代入することによって得られてもよい。しかし、ＣＰの時間長ＴＣＰは８００μｓであり、６６６．７μｓより大きい。従って、この出願では、ランダムアクセスプリアンブルが最大セル半径１００ｋｍをサポートできるように、ランダムアクセスプリアンブルのフォーマットが設定される。
【０２２２】
表２に示されるランダムアクセスプリアンブルのフォーマットは、単に説明のための例にすぎないと理解されたい。ランダムアクセスプリアンブルのフォーマットは、この出願においては特に制限されない。例えば、各シンボルグループは１つのＣＰと４つのシンボルとを含んでもよい。代替的には、シンボルの時間長は７００μｓなどであってもよい。
【０２２３】
表２に示されているランダムアクセスプリアンブルのフォーマットインデックス及びフォーマットインデックスと特定のフォーマットとの間の対応は、単なる説明のための例にすぎず、この出願に対するいかなる限定を構成しないとさらに理解されたい。例えば、フォーマットインデックスが２であるランダムアクセスプリアンブルにおいて、任意のシンボルグループは、１つのＣＰと２つのシンボルとを含んでもよい。別の例では、１つのランダムアクセスプリアンブルの任意のシンボルグループは、１つのＣＰと３つのシンボルとを含み、ランダムアクセスプリアンブルのフォーマットインデックスは０である。
【０２２４】
さらに、任意の２つのシンボルグループにおいて搬送される系列は、同一であってもよく、又は異なってもよい。ランダムアクセスプリアンブルは、スクランブル系列を使用してスクランブルされないランダムアクセスプリアンブルであってもよく、又はスクランブル系列を使用してスクランブルされるランダムアクセスプリアンブルであってもよい。これは、この出願のこの実施形態において制限されない。詳細については、前述の説明を参照のこと。簡潔にするために、詳細は本明細書では再度説明されない。
【０２２５】
任意で、この出願の実施形態において、端末デバイスは、ステップＳ３０２においてネットワークデバイスによって送信されたランダムアクセス設定情報に基づいてランダムアクセスプリアンブルを決定してもよい。
【０２２６】
ネットワークデバイスによって送信されたランダムアクセス設定情報に基づいて、端末デバイスがランダムアクセスプリアンブルをどのように決定するかついては、前述の説明を参照のこと。ランダムアクセス設定情報において搬送されるパラメータ、ランダムアクセス設定情報の送信手法などについては、前述の説明を参照のこと。簡潔にするために、詳細は本明細書では再度説明されない。
【０２２７】
ステップＳ３２０において、ランダムアクセスプリアンブルに含まれる５つのシンボルグループは、時系列において、第１のシンボルグループ、第２のシンボルグループ、第３のシンボルグループ、第４のシンボルグループ、及び第５のシンボルグループとして示される。第２のシンボルグループと第３のシンボルグループとの間の周波数ホッピング間隔と、第４のシンボルグループと第５のシンボルグループとの間の周波数ホッピング間隔は等しく、両方とも第１の間隔である。第１のシンボルグループと第２のシンボルグループとの間の周波数ホッピング間隔は、第２の間隔である。第３のシンボルグループと第４のシンボルグループとの間の周波数ホッピング間隔は、第３の間隔である。第１の間隔、第２の間隔、及び第３の間隔は等しくなく、ゼロに等しくない。
【０２２８】
ここで、周波数ホッピング間隔の定義又は意味については、ケース１の説明を参照すること。詳細は、本明細書では再度説明されない。
【０２２９】
例えば、隣接するシンボルグループ間の周波数ホッピング間隔は副搬送波帯域幅の整数倍であってもよい。例えば、副搬送波帯域幅は１．２５ｋＨｚであり、隣接するシンボルグループ間の周波数ホッピング間隔は、Ｎ＊１．２５ｋＨｚであってもよく、ここで、Ｎは正の整数である。代替的には、隣接するシンボルグループ間の周波数ホッピング間隔は、副搬送波帯域幅の整数倍でなくてもよい。隣接するシンボルグループ間の周波数ホッピング間隔が副搬送波帯域幅の整数倍であるかどうかは、この出願のこの実施形態においては制限されない。
【０２３０】
任意で、第２の間隔は第１の間隔より小さくてもよく、第１の間隔は第３の間隔より小さくてもよい。
【０２３１】
第１の間隔、第２の間隔、及び第３の間隔の間の値の関係に対する限定は、単なる説明の例にすぎず、この出願に対するいかなる限定も構成しないと理解されたい。例えば、第１の間隔は第２の間隔より大きくてもよく、第２の間隔は第３の間隔より大きくてもよい。
【０２３２】
任意で、第２の間隔は１．２５ｋＨｚであってもよい。
【０２３３】
任意で、第１の間隔は３．７５ｋＨｚであってもよい。
【０２３４】
任意で、第３の間隔は２２．５ｋＨｚであってもよい。
【０２３５】
第１の間隔、第２の間隔、及び第３の間隔の値は、この出願のこの実施形態において特に制限されないと理解されたい。実施形態は単なる説明ための例にすぎず、この出願に対するいかなる限定も構成しないものとする。例えば、第１の間隔は２．５ｋＨｚであってもよく、第２の間隔は３．２５ｋＨｚであってもよい。別の例では、第３の間隔は１２．５ｋＨｚであってもよい。
【０２３６】
さらに、第２のシンボルグループから第３のシンボルグループへの周波数ホッピング方向は、第４のシンボルグループから第５のシンボルグループへの周波数ホッピング方向と反対である。
【０２３７】
言い換えれば、第２のシンボルグループの周波数が第３のシンボルグループの周波数より小さい場合、第４のシンボルグループの周波数は第５のシンボルグループの周波数より大きい。第２のシンボルグループの周波数が第３のシンボルグループの周波数より大きい場合、第４のシンボルグループの周波数は第５のシンボルグループの周波数より小さい。
【０２３８】
この出願のこの実施形態の本通信方法によれば、端末デバイスは、５つのシンボルグループを含むランダムアクセスプリアンブルの周波数ホッピングパターン（すなわち、各シンボルグループの周波数位置）を決定し、ランダムアクセスプリアンブルを送信し、ランダムアクセスを行う。
【０２３９】
以下、図６を参照して、ランダムアクセスプリアンブルの周波数ホッピングパターンを説明する。
【０２４０】
図６に示すように、ランダムアクセスプリアンブルは、シンボルグループ１、シンボルグループ２、シンボルグループ３、シンボルグループ４、及びシンボルグループ５の５つのシンボルグループを含む。各シンボルグループは、１つのＣＰ、シンボル＃０、シンボル＃１、及びシンボル＃２を含む。＃０から＃３５は３６副搬送波を示す。シンボルグループ１とシンボルグループ２との間の周波数ホッピング間隔は１．２５ｋＨｚである。シンボルグループ２とシンボルグループ３との間の周波数ホッピング間隔は３．７５ｋＨｚである。シンボルグループ３とシンボルグループ４との間の周波数ホッピング間隔は２２．５ｋＨｚである。シンボルグループ４とシンボルグループ５との間の周波数ホッピング間隔は３．７５ｋＨｚである。シンボルグループ２からシンボルグループ３への周波数ホッピング方向は、シンボルグループ４からシンボルグループ５への周波数ホッピング方向と反対である。
【０２４１】
シンボルグループ１からシンボルグループ５までは、それぞれ、前述の第１のシンボルグループから前述の第５のシンボルグループに対応し得ると理解されたい。
【０２４２】
シミュレーションを介して、図６に示された周波数ホッピングパターンに基づいてランダムアクセスプリアンブルが送信されるときに、系列相関は比較的良好であり、推定上りリンクタイミングの正確性が改善され得る。追加的に、１２副搬送波（すなわち、４５ｋＨｚ）における周波数ホッピングのために、既存のランダムアクセスプリアンブルが使用されてもよい。この出願のこの実施形態において副搬送波帯域幅が３．７５ｋＨｚから１．２５ｋＨｚに低減されるときに、４５ｋＨｚのＮＰＲＡＣＨリソースが維持されることに基づいて、この出願のこの実施形態におけるランダムアクセスプリアンブルの周波数ホッピング範囲は、１２副搬送波から３６副搬送波に増加され得る。従って、図６に提供される周波数ホッピングパターンは、ランダムアクセスを行うためにＮＰＲＡＣＨリソースを再利用する際に、より多くのユーザをサポートすることができる。言い換えれば、１２ユーザをサポートする４５ｋＨｚの既存のソリューションと比較して、この出願は３６ユーザによる再利用をサポートすることができる。
【０２４３】
任意で、ステップＳ３２０の特定の実施形態において、端末デバイスは、ランダムアクセス設定情報及び事前設定ルールに基づいてランダムアクセスプリアンブルの周波数位置を決定してもよい。
【０２４４】
例えば、ランダムアクセス設定情報は、ランダムアクセスプリアンブルの反復数Ｗを含んでもよい。Ｗ回の反復におけるランダムアクセスプリアンブルを含む５＊Ｗのシンボルグループは、時系列において、０、１、．．．、ｉ、．．．、５Ｗ−２、及び５Ｗ−１と番号付けされ、Ｗは正の整数である。５＊Ｗのシンボルグループの番号ｉは、０以上であり、５Ｗ−１以下であることが理解されるべきである。例えば、Ｗ＝２の場合、２回の反復におけるランダムアクセスプリアンブルに含まれる１０のシンボルグループは、それぞれ、時系列において、０、１、２、３、４、５、６、７、８、及び９と番号付けされる。なお、Ｗ＝２の場合、端末デバイスは、ステップＳ３３０において１０のシンボルグループを送信する。ランダムアクセス設定情報は、番号が０のシンボルグループの周波数位置を決定するためにさらに使用され得る。
【０２４５】
事前設定ルールは、第１の式と第２の式を含む。第１の式及び第２の式、各シンボルグループの周波数位置を計算するために使用され得る。第１の式及びシンボルグループＰの番号ｉは、シンボルグループＰの周波数位置を決定するため使用される。第２の式及びシンボルグループＱの番号ｉは、シンボルグループＱの周波数位置を決定するために使用される。シンボルグループＰは、５＊Ｗのシンボルグループにおいて、番号がｉ＞０及びｉｍｏｄ５＝０を満たすシンボルグループである。シンボルグループＱは、５＊Ｗのシンボルグループにおいて、番号がｉ＞０及びｉｍｏｄ５≠０を満たす数シンボルグループである。代替的には、シンボルグループＰは、５＊Ｗシンボルグループにおいて、番号がｉのシンボルグループであり、ｉはｉ＞０、ｉｍｏｄ５＝０を満たし、ｍｏｄは、モジュロ演算を表す。シンボルグループＱは、５＊Ｗのシンボルグループにおいて、番号が０のシンボルグループとシンボルグループＰ以外のシンボルグループである。例えば、Ｗ＝２の場合、２回反復された後では、ランダムアクセスプリアンブルは合計１０のシンボルグループを含み、シンボルグループＰは、１０のシンボルグループにおいて、番号が５のシンボルグループであり、シンボルグループＱは、１０のシンボルグループにおいて、番号が１、２、３、４、６、７、８、又は９のシンボルグループである。
【０２４６】
事前設定ルールは、例えば、プロトコルで特定されてもよいし、ネットワークデバイスによって設定されてもよい。これは、この出願のこの実施形態において制限されない。
【０２４７】
すなわち、端末デバイスは、ランダムアクセス設定情報に基づいて番号が０のシンボルグループの周波数位置を決定し、第１の式及びシンボルグループＰの番号ｉに基づいて、シンボルグループＰの周波数位置を決定し、第２の式及びシンボルグループＱの番号ｉに基づいて、シンボルグループＱの周波数位置を決定する。
【０２４８】
別の例では、ランダムアクセス設定情報は、反復数Ｗ、第１の反復における各シンボルグループの周波数位置、及び次の反復における第１のシンボルグループと前の反復における第５のシンボルグループとの間の周波数ホッピング間隔をさらに含んでもよい。この情報に基づいて、端末デバイスは、Ｗ回の反復における各反復周期における各シンボルグループの周波数位置を決定してもよい。
【０２４９】
この出願では、代替的には、端末デバイスが、ランダムアクセス設定情報のみに基づいてランダムアクセスプリアンブルの周波数位置を決定してもよい。例えば、ランダムアクセス設定情報は、５＊Ｗのシンボルグループの各々の周波数位置を含んでもよい。端末デバイスがランダムアクセスプリアンブルの周波数位置を決定する方式は、この出願のこの実施形態において制限されないと理解されたい。
【０２５０】
第１の式の例では、第１の式は、番号が０のシンボルグループの周波数位置と、番号ｉ及び疑似ランダム系列に基づいて決定される関数とに関連するか、又は第１の式は、番号ｉ−５のシンボルグループの周波数位置と、番号ｉ及び疑似ランダム系列とに基づいて決定される関数とに関連し、番号ｉはシンボルグループＰの番号である。
【０２５１】
言い換えれば、シンボルグループＰは、番号が０であるシンボルグループの周波数位置と、シンボルグループＰの番号ｉ及び疑似ランダム系列によって決定される関数とに基づいて決定されてもよい。代替的には、シンボルグループＰは、番号ｉ−５であるシンボルグループの周波数位置と、シンボルグループＰの番号ｉ及び疑似ランダム系列によって決定される関数とに基づいて決定されてもよい。シンボルグループＰの周波数位置は、番号が０のシンボルグループの周波数位置に関連しているか、又はシンボルグループＰの前の第５のシンボルグループの周波数位置に関連しており、別のシンボルグループの周波数位置とは無関係であることが分かる。
【０２５２】
第２の式の例では、第２の式は、番号がｉ−１のシンボルグループの周波数位置と、番号がｉ−１のシンボルグループに対する番号がｉのシンボルグループの周波数ホッピング方向及び周波数位置間隔とに関連し、番号ｉはシンボルグループＱの番号である。
【０２５３】
言い換えれば、シンボルグループＱの周波数位置は、シンボルグループＱに隣接する番号がｉ−１の前のシンボルの周波数位置、シンボルグループＱに隣接する前のシンボルグループに対するシンボルグループＱの及び周波数ホッピング方向及び周波数ホッピング間隔に基づいて決定されてもよい。シンボルグループＱの周波数位置は、シンボルグループＱに隣接する前のシンボルグループの周波数位置にのみ関係し、別のシンボルグループの周波数位置とは無関係であることが分かる。
【０２５４】
任意で、事前設定ルールは式３又は式４を含んでもよく、式３は、
【数１３７】
2021513790.tif 000142
であり、式４は、
【数１３８】
2021513790.tif 000143
であり、ここで、
【数１３９】
2021513790.tif 000144
は、番号がｉのシンボルグループの周波数位置であり、ｆ（ｉ／５）は、シンボルグループの番号ｉ、
【数１４０】
2021513790.tif 000145
、及び疑似ランダム系列に基づいて決定される関数であり、
【数１４１】
2021513790.tif 000146
は、ランダムアクセスプリアンブルについての送信制限であり、
【数１４２】
2021513790.tif 000147
は、切り下げを表し、
【数１４３】
2021513790.tif 000148
であり、
【数１４４】
2021513790.tif 000149
である。
【０２５５】
本明細書において、
【数１４５】
2021513790.tif 000150
は、プロトコルで指定されてもよく、ネットワークデバイスによって端末デバイスに通知されてもよく、固定値でもよく、又はいくつかの候補値のうちの１つであってもよい。例えば、ネットワークデバイスは、ランダムアクセス設定情報を使用して、
【数１４６】
2021513790.tif 000151
を搬送してもよい。副搬送波帯域幅が１．２５ｋＨｚのときに、
【数１４７】
2021513790.tif 000152
は、３６に等しくてもよい。これは、本明細書において制限されない。例えば、
【数１４８】
2021513790.tif 000153
は、代替的には７２であってもよい。
【数１４９】
2021513790.tif 000154
の値は、
【数１５０】
2021513790.tif 000155
に等しいか、又は
【数１５１】
2021513790.tif 000156
の値は、
【数１５２】
2021513790.tif 000157
に関連付けられているか、若しくは制約されてもよい。たとえば、
【数１５３】
2021513790.tif 000158
は、表内のいくつかの対応関係を使用して
【数１５４】
2021513790.tif 000159
に関連付けられてもよい。これは、本明細書には制限されない。
【数１５５】
2021513790.tif 000160
は、ネットワークデバイスによって端末デバイスに送信されるランダムアクセス設定情報におけるパラメータであり、ランダムアクセスのために使用される副搬送波数を表す。
【０２５６】
式３又は式４の１行目は、前述の第１の式であってもよく、式３又は式４の２行目から７行目は、前述の第２の式であってもよいと理解されたい。番号がｉ−１のシンボルグループに対する番号がｉのシンボルグループの周波数位置間隔及び周波数ホッピング方向は、２行目から７行目までの式に従って決定され得るとさらに理解されたい。たとえば、式１又は式２の２行目が例として使用される。
【数１５６】
2021513790.tif 000161
は、番号がｉ−１のシンボルグループの周波数位置である。以下、「＋１」は、番号がｉのシンボルグループの周波数位置が、番号がｉ−１のシンボルグループの周波数位置より大きく、番号がｉのシンボルグループと番号がｉ−１のシンボルグループとの間の周波数ホッピング間隔が１つの副搬送波であることを表す。再発関係によれば、第１のシンボルグループの周波数位置が決定される限り、第１のシンボルグループの後の各シンボルグループの周波数位置は、番号がｉ−１のシンボルグループに対する番号がｉのシンボルグループの周波数位置間隔及び周波数ホッピング方向に基づいて決定され得る。
【０２５７】
例として、この出願のこの実施形態では、番号が０のシンボルグループの周波数位置は、
【数１５７】
2021513790.tif 000162
であり、ここで、ｎｉｎｉｔは、ＭＡＣ層において
【数１５８】
2021513790.tif 000163
から選択される副搬送波のインデックスであり、
【数１５９】
2021513790.tif 000164
は、ランダムアクセスのために使用される副搬送波数を表す。
【０２５８】
例えば、この出願のこの実施形態では、ｆ（ｉ／５）の値は、疑似ランダム系列ｃ（ｎ）の関数ｆ（ｔ）に基づいて決定され得る。ｆ（ｔ）は、
【数１６０】
2021513790.tif 000165
と表されてもよく、ここで、ｆ（−１）＝０であり、ｃ（ｎ）は、ｍ系列、Ｍ系列、Ｇｏｌｄ系列などであってもよい。これは、この出願のこの実施形態において制限されない。さらに、ｃ（ｎ）の初期化シードは、端末デバイスの物理層セル識別子、又は物理層セル識別子の関数であってもよい。
【０２５９】
例えば、ｃ（ｎ）は、長さ３１のＧｏｌｄ系列を表してもよい。Ｇｏｌｄ系列の長さは、ＭＰＮと示される。ｎ＝０，１，．．．，ＭＰＮ−１であり、ｃ（ｎ）は、
【数１６１】
2021513790.tif 000166
として表され、ここで、Ｎｃ＝１６００である。第１のｍ系列の初期化シードは、ｘ１（０）＝１、ｘ１（ｎ）＝０、ｎ＝１，２，．．．，３０を満たし、第２のｍ系列の初期化シードは、
【数１６２】
2021513790.tif 000167
として表される。
【数１６３】
2021513790.tif 000168
であり、ここで、
【数１６４】
2021513790.tif 000169
は、物理層セル識別子である。
【０２６０】
前述の表現は、単なる例にすぎないと留意されたい。インデックス表現の特定の表現形式は、この出願においては限定されず、別の形式の表現もまた、この出願の保護範囲に含まれる。
【０２６１】
式３及び式４、並びに式３及び式４に関連する例は、すべて、以下の設定に適用可能であると理解されたい。すなわち、副搬送波帯域幅は、１．２５ｋＨｚとして設定され、ランダムアクセスプリアンブルの送信は、
【数１６５】
2021513790.tif 000170
の副搬送波に限定され、シンボルグループ間の周波数ホッピング範囲は、３６副搬送波以内である。式３及び式４、並びに式３及び式４に関連する例は、別の設定にさらに適用可能である。これは、この出願のこの実施形態において特に制限されない。
【０２６２】
前述は、疑似ランダム周波数ホッピングが、異なる反復におけるランダムアクセスプリアンブルの周波数ホッピング間隔として使用される例のみを使用しているが、これは、この出願に対する限定を構成するべきではないとさらに理解されたい。この出願では、疑似ランダム周波数ホッピングは、異なる反復におけるランダムアクセスプリアンブルで使用されなくてもよい。例えば、任意の２回の反復におけるランダムアクセスプリアンブルに含まれる５つのシンボルグループにおける第１のシンボルグループの周波数位置は、同じであってもよい。
【０２６３】
以下、図７を参照して、ランダムアクセスプリアンブルの周波数ホッピングパターンを説明する。図７において、Ｗ＝２である。言い換えると、ランダムアクセスプリアンブルの反復数は２である（すなわち、＃０と＃１が反復される）。擬似ランダム周波数ホッピングは、反復＃０と反復＃１との間で使用される（図7の破線の楕円でサインされるように）。擬似ランダム周波数ホッピング範囲は３６副搬送波に限定される。
【０２６４】
図７に示されるように、ランダムアクセスプリアンブルは、シンボルグループ１、シンボルグループ２、シンボルグループ３、シンボルグループ４、及びシンボルグループ５の５つのシンボルグループを含む。各シンボルグループは、１つのＣＰ、シンボル＃０、シンボル＃１、及びシンボル＃２を含む。＃０〜＃３５は、３６副搬送波を示す。シンボルグループ１とシンボルグループ２との間の周波数ホッピング間隔は１．２５ｋＨｚである。シンボルグループ２とシンボルグループ３との間の周波数ホッピング間隔は３．７５ｋＨｚである。シンボルグループ３とシンボルグループ４との間の周波数ホッピング間隔は２２．５ｋＨｚである。シンボルグループ４とシンボルグループ５との間の周波数ホッピング間隔は３．７５ｋＨｚである。シンボルグループ２からシンボルグループ３への周波数ホッピング方向は、シンボルグループ４からシンボルグループ５への周波数ホッピング方向と反対である。
【０２６５】
シンボルグループ１からシンボルグループ５は、それぞれ、前述の第１のシンボルグループから前述の第５のシンボルグループに対応し得ると理解されたい。
【０２６６】
シミュレーションを介して、図５に示される周波数ホッピングパターンに基づいてランダムアクセスプリアンブルが送信されるときに、系列相関は比較的良好であり、推定上りリンクタイミングの正確性が改善され得る。追加的に、１２副搬送波（すなわち、４５ｋＨｚ）における周波数ホッピングのために、既存のランダムアクセスプリアンブルが使用されてもよい。この出願のこの実施形態において副搬送波帯域幅が３．７５ｋＨｚから１．２５ｋＨｚに低減されるときに、４５ｋＨｚのＮＰＲＡＣＨリソースが維持されることに基づいて、この出願のこの実施形態におけるランダムアクセスプリアンブルの周波数ホッピング範囲は、１２副搬送波から３６副搬送波に増加され得る。従って、図７に提供される周波数ホッピングパターンは、ランダムアクセスを行うためにＮＰＲＡＣＨリソースを再利用する際に、より多くのユーザをサポートすることができる。言い換えれば、１２ユーザをサポートする４５ｋＨｚの既存のソリューションと比較して、この出願は３６ユーザによる再利用をサポートすることができる。
【０２６７】
この出願のこの実施形態における「周波数位置」の意味、及び絶対周波数位置及び相対周波数位置の説明及び例については、前述の説明を参照のこと。簡潔にするために、詳細は本明細書では再度説明されない。
【０２６８】
この出願の実施形態に提供される方法は、図３から図７を参照して上記に詳細に説明される。この出願の実施形態において提供される装置は、図８から図１１を参照して下記に詳細に説明される。
【０２６９】
図８は、この出願の一実施形態による通信デバイス８００の概略ブロック図である。図８に示すように、ネットワークデバイス８００は、処理ユニット８１０及び送信ユニット８２０を含んでもよい。
【０２７０】
処理ユニット８１０は、ランダムアクセスプリアンブルを決定するように構成されている。
【０２７１】
処理ユニット８１０は、さらに、ランダムアクセス設定情報及び事前設定ルールに基づいて、ランダムアクセスプリアンブルの周波数位置を決定するように構成されている。
【０２７２】
送信ユニット８２０は、周波数位置に基づいてネットワークデバイスにランダムアクセスプリアンブルを送信するように構成されている。
【０２７３】
ランダムアクセスプリアンブルは、６つのシンボルグループを含む。６つのシンボルグループは、第１のシンボルグループ、第２のシンボルグループ、第３のシンボルグループ、第４のシンボルグループ、第５のシンボルグループ、及び第６のシンボルグループを含み、６つのシンボルグループにおける全ての２つの隣接するシンボルグループ間の周波数間隔は、周波数ホッピング間隔である。第１のシンボルグループと第２のシンボルグループとの間の周波数ホッピング間隔と、第５のシンボルグループと第６のシンボルグループとの間の周波数ホッピング間隔は等しく、両方とも第１の間隔である。第２のシンボルグループと第３のシンボルグループとの間の周波数ホッピング間隔と、第４のシンボルグループと第５のシンボルグループとの間の周波数ホッピング間隔は等しく、両方とも第２の間隔である。第３のシンボルグループと第４のシンボルグループとの間の周波数ホッピング間隔は、第３の間隔である。第１の間隔、第２の間隔、第３の間隔は等しくなく、ゼロに等しくない。
【０２７４】
代替的には、ランダムアクセスプリアンブルは、５つのシンボルグループを含む。５つのシンボルグループは、第１のシンボルグループ、第２のシンボルグループ、第３のシンボルグループ、第４のシンボルグループ、及び第５のシンボルグループを含む。第２のシンボルグループと第３のシンボルグループとの間の周波数ホッピング間隔と、第４のシンボルグループと第５のシンボルグループとの間の周波数ホッピング間隔は等しく、両方とも第１の間隔である。第１のシンボルグループと第２のシンボルグループとの間の周波数ホッピング間隔は、第２の間隔である。第３のシンボルグループと第４のシンボルグループとの間の周波数ホッピング間隔は、第３の間隔である。第１の間隔、第２の間隔、第３の間隔は等しくなく、ゼロに等しくない。
【０２７５】
通信デバイス８００は、この出願の実施形態による通信方法３００における端末デバイスに対応し得ると理解されたい。通信デバイス８００は、図３の通信方法３００において端末デバイスによって行われる方法を行うように構成されているユニットを含んでもよい。追加的に、通信デバイス８００内のユニット及び前述の他の動作及び／又は機能は、図３の通信方法３００の対応する手順を実装するために別々に使用される。ユニットが前述の対応するステップを行う特定のプロセスが、方法３００において詳細に説明される。簡潔にするために、詳細は本明細書では再度説明されない。
【０２７６】
図９は、この出願の一実施形態によるネットワークデバイス９００の概略ブロック図である。図９に示すように、ネットワークデバイス９００は、処理ユニット９１０、送信ユニット９２０、及び受信ユニット９３０を含んでもよい。
【０２７７】
処理ユニット９１０は、ランダムアクセス設定情報を決定し、送信ユニット９２０を使用して端末デバイスにランダムアクセス設定情報を送信するように構成されている。ランダムアクセス設定情報は、ランダムアクセスプリアンブルを決定するための端末デバイスに示すために使用される。
【０２７８】
受信ユニット９３０は、ランダムアクセス設定情報に基づき、端末デバイスから送信されるランダムアクセスプリアンブルを受信するように構成されている。ランダムアクセスプリアンブルは、決定された周波数位置に基づいて端末デバイスによって送信される。周波数の位置は、ランダムアクセス設定情報及び事前設定ルールに基づいて決定される。
【０２７９】
ランダムアクセスプリアンブルは、６つのシンボルグループを含む。６つのシンボルグループは、第１のシンボルグループ、第２のシンボルグループ、第３のシンボルグループ、第４のシンボルグループ、第５のシンボルグループ、及び第６のシンボルグループを含む。６つのシンボルグループにおける全ての２つの隣接するシンボルグループ間の周波数間隔は、周波数ホッピング間隔である。第１のシンボルグループと第２のシンボルグループとの間の周波数ホッピング間隔と、第５のシンボルグループと第６のシンボルグループとの間の周波数ホッピング間隔は等しく、両方とも第１の間隔である。第２のシンボルグループと第３のシンボルグループとの間の周波数ホッピング間隔と、第４のシンボルグループと第５のシンボルグループとの間の周波数ホッピング間隔は等しく、両方とも第２の間隔である。第３のシンボルグループと第４のシンボルグループとの間の周波数ホッピング間隔は、第３の間隔である。第１の間隔、第２の間隔、及び第３の間隔は等しくなく、ゼロに等しくない。
【０２８０】
代替的には、ランダムアクセスプリアンブルは、５つのシンボルグループを含む。５つのシンボルグループは、第１のシンボルグループ、第２のシンボルグループ、第３のシンボルグループ、第４のシンボルグループ、及び第５のシンボルグループを含む。第２のシンボルグループと第３のシンボルグループとの間の周波数ホッピング間隔と、第４のシンボルグループと第５のシンボルグループとの間の周波数ホッピング間隔は等しく、両方とも第１の間隔である。第１のシンボルグループと第２のシンボルグループとの間の周波数ホッピング間隔は、第２の間隔である。第３のシンボルグループと第４のシンボルグループとの間の周波数ホッピング間隔は、第３の間隔である。第１の間隔、第２の間隔、第３の間隔は等しくなく、ゼロに等しくない。
【０２８１】
ネットワークデバイス９００は、この出願の実施形態による通信方法３００におけるネットワークデバイスに対応し得ると理解されたい。ネットワークデバイス９００は、図３の通信方法３００においてネットワークデバイスによって行われる方法を行うように構成されているモジュールを含んでもよい。追加的に、ネットワークデバイス９００内のモジュール及び前述の他の動作及び／又は機能は、図３の通信方法３００の対応する手順を実装するために別々に使用される。モジュールが前述の対応するステップを行う特定のプロセスが、方法３００において詳細に説明される。簡潔にするために、詳細は本明細書では再度説明されない。
【０２８２】
図１０は、この出願の一実施形態による端末デバイス１０００の概略構造図である。端末デバイス１０００は、図１に示されるシステムに適用可能であり、方法の実施形態における端末デバイスの機能を行う。端末デバイス１０００は、図８に示される通信デバイス８００の特定の実装であってもよい。説明を容易にするために、図１０は、端末デバイスの主要構成要素のみを示す。図１０に示すように、端末デバイス１０００は、プロセッサ、メモリ、制御回路、アンテナ、及び入力／出力装置を含む。プロセッサは、主に、通信プロトコル及び通信データを処理し、端末デバイス全体を制御し、ソフトウェアプログラムを実行し、ソフトウェアプログラムのデータを処理するように構成されている。例えば、プロセッサは、方法の実施形態で説明されるアクションを行う際に端末デバイスをサポートするように構成されており、例えば、ランダムアクセスプリアンブル及びランダムアクセスプリアンブルの周波数位置を決定する。メモリは、主に、ソフトウェアプログラム及びデータを記憶するように構成されており、例えば、実施形態で説明した事前設定ルールを記憶する。制御回路は、主に、ベースバンド信号と無線周波数信号との変換を行い、無線周波数信号を処理するように構成されている。制御回路とアンテナの組み合わせは、主に、電磁波の形態で無線周波数信号を送信及び受信するように構成されているトランシーバとも呼ばれることがある。タッチスクリーン、ディスプレイ、又はキーボードのような入力／出力装置は、主に、ユーザによって入力されたデータを受信し、ユーザにデータを出力するように構成されている。
【０２８３】
端末デバイスの電源がオンにされた後に、プロセッサは、記憶ユニット内のソフトウェアプログラムを読み出し、ソフトウェアプログラムの命令を説明、実行し、ソフトウェアプログラムのデータを処理してもよい。データを無線方式で送る必要があるときに、プロセッサは、送られるべきデータに対してベースバンド処理を行い、次に、ベースバンド信号を無線周波数回路に出力する。ベースバンド信号に対して無線周波数処理を行った後に、無線周波数回路はアンテナを介して電磁波の形態で無線周波数信号を送信する。データが端末デバイスに送られるときに、無線周波数回路は、アンテナを介して無線周波数信号を受信し、無線周波数信号をベースバンド信号に変換し、ベースバンド信号をプロセッサに出力する。プロセッサは、ベースバンド信号をデータに変換し、データを処理する。
【０２８４】
当業者であれば、説明を容易にするために、図１０が、１つのメモリのみと、１つのプロセッサのみとを示していると理解してもよい。実際の端末デバイスは、複数のプロセッサ及び複数のメモリを有してもよい。メモリは、記憶媒体、記憶デバイスなどとも呼ばれることがある。これは、この出願のこの実施形態において制限されない。
【０２８５】
任意の実装では、プロセッサは、ベースバンドプロセッサ及び中央処理ユニットを含んでもよい。ベースバンドプロセッサは、主に、通信プロトコル及び通信データを処理するように構成されている。中央処理ユニットは、主に、端末デバイス全体を制御し、ソフトウェアプログラムを実行し、ソフトウェアプログラムのデータを処理するように構成されている。ベースバンドプロセッサ及び中央処理ユニットの機能は、図１０のプロセッサに統合されてもよい。当業者であれば、ベースバンドプロセッサ及び中央処理ユニットは、各々独立したプロセッサであってもよく、バスなどの技術を使用することによって相互接続されていると理解してもよい。当業者であれば、端末デバイスは、異なるネットワーク規格に適合するように複数のベースバンドプロセッサを含んでもよく、端末デバイスは、端末デバイスの処理能力を向上させるために複数の中央処理ユニットを含んでもよく、端末デバイスの構成要素は、様々なバスを使用して接続されてもよいと理解してもよい。ベースバンドプロセッサはまた、ベースバンド処理回路又はベースバンド処理チップとして表現されてもよい。中央処理ユニットはまた、中央処理回路又は中央処理チップとして表わされてもよい。通信プロトコル及び通信データを処理する機能は、プロセッサ内に構築されてもよく、又はソフトウェアプログラムの形態で記憶ユニット内に記憶されてもよい。プロセッサは、ベースバンド処理機能を実装するためにソフトウェアプログラムを実行する。
【０２８６】
この出願のこの実施形態では、トランシーバ機能を有するアンテナ及び制御回路が端末デバイス１０００のトランシーバユニット１００１としてみなされてもよく、例えば、トランシーバユニット１００１は、図３において説明された受信機能及び送信機能を行う際に端末デバイスをサポートするように構成されている。処理機能を有するプロセッサは、端末デバイス１０００の処理ユニット１００２とみなされる。図１０に示すように、端末デバイス１０００は、トランシーバ部１００１及び処理部１００２を含む。トランシーバユニットはまた、トランシーバ、トランシーバマシン、トランシーバ装置などと呼ばれることがある。任意に、トランシーバユニット１００１内に受信機能を実装するように構成されているデバイスは、受信ユニットとみなされてもよい。トランシーバ部１００１内に送信機能を実装するように構成されている装置は、送信ユニットとみなされてもよい。言い換えれば、トランシーバユニット１００１は、受信ユニットと送信ユニットとを含む。受信ユニットは、受信マシン、入力ポート、受信回路などと呼ばれることもある。送信ユニットはまた、送信マシン、送信機、送信回路などと呼ばれることがある。
【０２８７】
プロセッサ１００２は、メモリに記憶された命令を実行し、トランシーバユニット１００１を制御して信号を受信し、及び／又は信号を送信し、方法の実施形態における端末デバイスの機能を完了するように構成されてもよい。実装においては、トランシーバユニット１００１の機能は、トランシーバ回路又はトランシーバ専用チップを使用して実装されると考えられてもよい。
【０２８８】
図１１は、この出願の一実施形態によるネットワークデバイスの概略構造図である。例えば、図１１は、基地局の概略構造図であってもよい。図１１に示されるように、基地局は、図１に示されるシステムに適用可能であり、方法の実施形態においてネットワークデバイスの機能を行う。基地局１１００は、遠隔無線ユニット（remote  radio  unit、ＲＲＵ）１１１０などの１つ以上の無線周波数ユニット及び１つ以上のベースバンドユニット（baseband  unit、ＢＢＵ）（デジタルユニット、digital  unit、ＤＵとも呼ばれることがある）１１２０を含んでもよい。ＲＲＵ１１１０は、トランシーバユニット、トランシーバマシン、トランシーバ回路、トランシーバなどと呼ばれることがあり、少なくとも１つのアンテナ１１１１及び無線周波数ユニット１１１２を含んでもよい。ＲＲＵ１１１０は、主に、無線周波数信号を受信及び送信し、無線周波数信号とベースバンド信号との間の変換を行うように構成されている。ＢＢＵ１１２０は、主に、ベースバンド処理を行い、基地局を制御する等を行うように構成されている。ＲＲＵ１１１０及びＢＢＵ１１２０は、物理的に一緒に配されてもよく、又は物理的に分離されてもよく、すなわち、分散基地局内に配されてもよい。
【０２８９】
ＢＢＵ１１２０は、基地局の制御センタであり、処理ユニットとも呼ばれることもあり、主に、例えば、チャネル符号化、多重化、変調、拡散などのベースバンド処理機能を完了するように構成されている。例えば、ＢＢＵ（処理ユニット）１１２０は、方法の実施形態におけるネットワークデバイスに関連する動作手順を行うように基地局を制御するように構成されてもよい。
【０２９０】
例では、ＢＢＵ１１２０は、１つ以上の基板を含んでもよい。複数の基板は、単一のアクセス規格の無線アクセスネットワーク（ＬＴＥネットワークなど）を共同でサポートしてもよく、又は異なるアクセス規格の無線アクセスネットワーク（ＬＴＥネットワーク、５Ｇネットワーク、又は別のネットワークなど）を別々にサポートしてもよい。ＢＢＵ１１２０は、メモリ１１２１及びプロセッサ１１２２をさらに含む。メモリ１１２１は、必要な命令及び必要なデータを記憶するように構成されている。例えば、メモリ１１２１は、前述の実施形態において事前設定ルールを記憶する。プロセッサ１１２２は、必要な動作を実行するために基地局を制御するように構成されている。例えば、プロセッサ１１２２は、方法の実施形態におけるネットワークデバイスに関連する動作手順を行うように基地局を制御するように構成されている。メモリ１１２１及びプロセッサ１１２２は、１つ以上の基板にサービスしてもよい。言い換えれば、メモリ及びプロセッサは、各基板上に独立して配されてもよい。代替的に、複数の基板は、同じメモリ及び同じプロセッサを共有してもよい。追加的に、必要な回路が各基板上に配されてもよい。。
【０２９１】
この出願は、前述の１つ以上のネットワークデバイス及び１つ以上の端末デバイスを含む通信システムをさらに提供する。
【０２９２】
この出願の実施形態におけるプロセッサは、中央処理ユニット（Central  Processing  Unit、ＣＰＵ）であってもよく、又はプロセッサは、別の汎用プロセッサ、デジタル信号プロセッサ（digital  signal  processor、ＤＳＰ）、特定用途向け集積回路（application  specific  integrated  circuit、ＡＳＩＣ）、フィールド・プログラマブル・ゲート・アレイ（field  programmable  gate  array、ＦＰＧＡ）、別のプログラマブル論理デバイス、ディスクリートゲート、トランジスタ論理デバイス、ディスクリートハードウェア構成要素などであってもよい。汎用プロセッサは、マイクロプロセッサであってもよく、プロセッサは、任意の従来のプロセッサなどであってもよい。
【０２９３】
この出願の実施形態におけるメモリは、揮発性メモリ若しくは不揮発性メモリであってもよく、又は揮発性メモリ及び不揮発性メモリを含んでもよいとさらに理解されたい。不揮発性メモリは、読み出し専用メモリ（read-only  memory、ＲＯＭ）、プログラマブル読み出し専用メモリ（programmable  ROM、ＰＲＯＭ）、消去可能なプログラマブル読み出し専用メモリ（erasable  PROM、ＥＰＲＯＭ）、電気的に消去可能なプログラマブル読み出し専用メモリ（electrically  EPROM、ＥＥＰＲＯＭ）、又はフラッシュメモリであってもよい。揮発性メモリは、外部キャッシュとして使用されるランダムアクセスメモリ（random  access  memory、ＲＡＭ）であってもよい。例示的であるが限定的ではない説明を介して、多くの形態のランダムアクセスメモリ（random  access  memory、ＲＡＭ）が使用されてもよく、例えばスタティック・ランダムアクセスメモリ（static  RAM、ＳＲＡＭ）、ダイナミック・ランダムアクセスメモリ（dynamic  random  access  memory、ＤＲＡＭ）、同期ダイナミック・ランダムアクセスメモリ（synchronous  DRAM、ＳＤＲＡＭ）、二重データレート同期ダイナミック・ランダムアクセスメモリ（double  data  rate  SDRAM、ＤＤＲ  ＳＤＲＡＭ）、拡張同期ダイナミック・ランダムアクセスメモリ（enhanced  SDRAM、ＥＳＤＲＡＭ）、同期リンク・ダイナミック・ランダムアクセスメモリ（synchlink  DRAM、ＳＬＤＲＡＭ）、及びダイレクト・ランバスダイナミック・ランダムアクセスメモリ（direct  rambus  RAM、ＤＲ  ＲＡＭ）である。
【０２９４】
前述の実施形態の全て又は一部は、ソフトウェア、ハードウェア、ファームウェア、又はそれらの任意の組み合わせによって実装されてもよい。ソフトウェアを使用して実施形態を実装するときに、前述の実施形態の全て又は一部は、コンピュータプログラム製品の形態で実装されてもよい。コンピュータプログラム製品は、１つ以上のコンピュータ命令又はコンピュータプログラムを含む。プログラム命令又はコンピュータプログラムがロードされ、コンピュータ上で実行されるときに、この出願の実施形態による手順又は機能は、全て又は部分的に生成される。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、又はコンピュータ可読記憶媒体から別のコンピュータ可読記憶媒体に送信されてもよい。例えば、コンピュータ命令は、ウェブサイト、コンピュータ、サーバ、又はデータセンターから別のウェブサイト、コンピュータ、サーバ、又はデータセンターに、有線（例えば、赤外線、ラジオ、及びマイクロ波など）方式で送信されてもよい。コンピュータ読取可能記憶媒体は、コンピュータによってアクセス可能な任意の使用可能な媒体、又は１つ以上の使用可能媒体を統合するサーバ又はデータセンターのようなデータ記憶デバイスであってもよい。使用可能な媒体は、磁気媒体（例えば、フロッピーディスク、ハードディスク、又は磁気テープ）、光媒体（例えば、ＤＶＤ）、又は半導体媒体であってもよい。半導体媒体は、固体ドライブであってもよい。
【０２９５】
この明細書における「及び／又は」は、関連するオブジェクトを説明するための関連付けの関係のみを説明し、３つの関係が存在し得ることを表すと理解されたい。例えば、Ａ及び／又はＢは、Ａのみが存在すること、ＡとＢの両方が存在すること、Ｂのみが存在することの３つの場合を表す。追加的に、この明細書における文字「／」は、通常、関連するオブジェクト間の「又は」の関係を示す。
【０２９６】
前述のプロセスのシーケンス番号は、この出願の種々の実施形態における実行シーケンスを意味しないと理解されたい。プロセスの実行シーケンスは、プロセスの機能及び内部論理に従って決定されるべきであり、この出願の実施形態の実装プロセスに対する限定と解釈されるべきではない。
【０２９７】
当業者は、本明細書に開示された実施形態で説明された例と組み合わせて、ユニット及びアルゴリズムステップは、電子ハードウェア又はコンピュータソフトウェアと電子ハードウェアとの組み合わせによって実装され得ると認識してもよい。機能がハードウェア又はソフトウェアによって行われるどうかは、特定の用途及び技術的解決策の設計制約条件に依存する。当業者であれば、特定の用途ごとに、説明された機能を実装するために異なる方法を使用してもよいが、その実装がこの出願の範囲を超えるものであると考えられるべきではない。
【０２９８】
当業者であれば、便利で簡単な説明のために、前述のシステム、装置、及びユニットの詳細な作業プロセスについては、前述の方法の実施形態における対応するプロセスを指すことを明確に理解することができ、詳細については、本明細書では再度説明されない。
【０２９９】
この出願に提供されるいくつかの実施形態では、開示されたシステム、装置、及び方法は、他の方式で実装され得ると理解されたい。例えば、説明された装置の実施形態は、単なる例にすぎない。例えば、ユニットへの分割は、単なる論理機能分割であり、実際の実装における他の分割であってもよい。例えば、複数のユニット又は構成要素は、別のシステム内で組み合わせられるか、又は統合されてもよく、いくつかの特徴は、無視されるか、又は実行されなくてもよい。追加的に、表示又は論じられた相互結合、直接結合、又は通信接続は、いくつかのインターフェースを使用して実装されてもよい。装置又はユニット間の間接的な結合又は通信接続は、電子的、機械的、又は他の形態で実装されてもよい。
【０３００】
別個の部品として説明されるユニットは、物理的に分離されていてもされていなくてもよく、ユニットとして表示される部分は、物理的ユニットであってもなくてもよく、１つの位置に位置してもよく、又は複数のネットワークユニット上に分散されていてもよい。ユニットの一部又は全ては、実施形態の解決策の目的を達成するために、実際の要件に基づいて選択されてもよい。
【０３０１】
追加的に、この出願の実施形態における機能ユニットは、１つの処理ユニットに統合されてもよく、ユニットの各々は、物理的に単独で存在してもよく、又は２つ以上のユニットは、１つのユニットに統合される。
【０３０２】
これらの機能がソフトウェア機能ユニットの形態で実装され、独立した製品として販売又は使用されるときに、それらの機能は、コンピュータ可読記憶媒体に記憶されてもよい。このような理解に基づいて、この出願の技術的解決策は、本質的に、若しくは先行技術に寄与する部分、又は技術的解決策のいくつかは、ソフトウェア製品の形態で実装されてもよい。コンピュータソフトウェア製品は、記憶媒体に記憶され、コンピュータデバイス（パーソナルコンピュータ、サーバ、ネットワークデバイスなどであってもよい）に、この出願の実施形態で説明される方法の全て又は一部のステップを行うように指示するためのいくつかの命令を含む。前述の記憶媒体は、ＵＳＢフラッシュドライブ、リムーバブルハードディスク、読み出し専用メモリ（Read-Only  Memory、ROM）、ランダムアクセスメモリ（Random  Access  Memory、RAM）、磁気ディスク、又は光ディスクのようなプログラムコードを記憶することができる任意の媒体を含む。
【０３０３】
前述の説明は、この出願の単なる特定の実装であるが、この出願の保護範囲を制限することを意図するものではない。この出願に開示された技術的範囲内で、当業者が容易に理解することができる変形又は置換は、この出願の保護範囲に含まれる。従って、本願の保護範囲は、特許請求の範囲の保護範囲に従うものとする。
【図１】
2021513790.tif 000203
【図２】
2021513790.tif 000204
【図３】
2021513790.tif 000205
【図４】
2021513790.tif 000206
【図５】
2021513790.tif 000207
【図６】
2021513790.tif 000208
【図７】
2021513790.tif 000209
【図８】
2021513790.tif 000210
【図９】
2021513790.tif 000211
【図１０】
2021513790.tif 000212
【図１１】
2021513790.tif 000213
【手続補正書】
【提出日】令和2年9月14日(2020.9.14)
【手続補正１】
【補正対象書類名】明細書
【補正対象項目名】００１４
【補正方法】変更
【補正の内容】
【００１４】
最大セル半径はガード時間（Guard  Time、ＧＴ）に関連する。ガード時間が長いほど、カバーされる最大セル半径が大きいことを示す。ガード時間は、シンボルグループ内のＣＰ及びシンボルの全長に関連する。追加的に、ＣＰの時間長は最大セル半径をカバーすべきである。式Ｓ＝Ｖ＊Ｔによれば、Ｖは、３０＊１０８ｍ／ｓの光の速度であり、Ｓ＝２＊１００＊１０３である。従って、Ｔ＝６６６．７μｓは、２つの値を式Ｓ＝Ｖ＊Ｔに代入することによって得てもよい。しかし、ＣＰの時間長ＴＣＰは８００μｓであり、６６６．７μｓより大きい。従って、この出願では、ランダムアクセスプリアンブルのフォーマットが設定され、ランダムアクセスプリアンブルは、約１００ｋｍであるより大きなセル半径をサポートすることができる。
【手続補正２】
【補正対象書類名】明細書
【補正対象項目名】００４０
【補正方法】変更
【補正の内容】
【００４０】
シンボルグループＱの周波数位置は、シンボルグループＱに隣接する前のシンボルグループの周波数位置にのみ関係し、別のシンボルグループの周波数位置とは無関係であることが分かる。
【手続補正３】
【補正対象書類名】明細書
【補正対象項目名】００６１
【補正方法】変更
【補正の内容】
【００６１】
この出願の周波数位置は、副搬送波のインデックス又は番号を示すとさらに理解されたい。周波数位置は、相対周波数位置又は絶対周波数位置であってもよい。シンボルグループの相対周波数位置は、シンボルグループの絶対周波数位置とオフセット周波数位置の間の差である。対応して、シンボルグループの絶対周波数位置は、シンボルグループの相対周波数位置とオフセット周波数位置の和である。端末デバイスは、シンボルグループの絶対周波数位置に対応する周波数でランダムアクセスプリアンブルを送信すると理解されたい。
【手続補正４】
【補正対象書類名】明細書
【補正対象項目名】００８８
【補正方法】変更
【補正の内容】
【００８８】
シンボルグループＱの周波数位置は、シンボルグループＱに隣接する前のシンボルグループの周波数位置にのみ関係し、別のシンボルグループの周波数位置とは無関係であることが分かる。
【手続補正５】
【補正対象書類名】明細書
【補正対象項目名】００９８
【補正方法】変更
【補正の内容】
【００９８】
従って、この出願のこの実施形態の通信方法によれば、端末デバイスは、５つのシンボルグループを含むランダムアクセスプリアンブルの周波数ホッピングパターン（すなわち、各シンボルグループの周波数位置）を決定し、ランダムアクセスプリアンブルを送信しランダムアクセスを行う。
【手続補正６】
【補正対象書類名】明細書
【補正対象項目名】０１０９
【補正方法】変更
【補正の内容】
【０１０９】
シンボルグループＱの周波数位置は、シンボルグループＱに隣接する前のシンボルグループの周波数位置にのみに関連し、他のシンボルグループの周波数位置とは無関係であることが分かる。
【手続補正７】
【補正対象書類名】明細書
【補正対象項目名】０１２５
【補正方法】変更
【補正の内容】
【０１２５】
この出願の技術的解決策は、グローバル・システム・フォー・モバイル・コミュニケーションズ（Global  System  of  Mobile  Communication、ＧＳＭ）、符号分割多元接続（Code  Division  Multiple  Access、ＣＤＭＡ）システム、広帯域符号分割多元接続（Wideband  Code  Division  Multiple  Access、ＷＣＤＭＡ）システム、汎用パケット無線サービス（General  Packet  Radio  Service、ＧＰＲＳ）、ロング・ターム・エボリューション（(Long  Term  Evolution、ＬＴＥ）システム、ＬＴＥ周波数分割複信（Frequency  Division  Duplex、ＦＤＤ）システム、ＬＴＥ時分割複信（Time  Division  Duplex、ＴＤＤ）、ユニバーサル移動体通信システム（Universal  Mobile  Telecommunications  System、ＵＭＴＳ）、ワールドワイド・インターオペラビリティ・フォー・マイクロウェーブ・アクセス（Worldwide  Interoperability  for  Microwave  Access、ＷｉＭＡＸ）通信システム、将来の第５世代（5th  Generation、５Ｇ）システム、又はニュー・ラジオ（New  Radio、ＮＲ）などの様々な通信システムに適用可能である。
【手続補正８】
【補正対象書類名】明細書
【補正対象項目名】０１２７
【補正方法】変更
【補正の内容】
【０１２７】
この出願の実施形態におけるネットワークデバイスは、端末デバイスと通信するように構成されているデバイスであってもよい。ネットワークデバイスは、グローバル・システム・フォー・モバイル・コミュニケーションズ（Global  System  of  Mobile  Communication、ＧＳＭ）若しくは符号分割多元接続（Code  Division  Multiple  Access、ＣＤＭＡ）におけるベース・トランシーバ局（Base  Transceiver  Station、ＢＴＳ）であってもよく、広帯域符号分割多元接続（Wideband  Code  Division  Multiple  Access、ＷＣＤＭＡ）システムにおけるノードＢ（NodeB、ＮＢ）であってもよく、ＬＴＥシステムにおける発展型ＮｏｄｅＢ（Evolutional  NodeB、ｅＮＢ若しくはｅＮｏｄｅＢ）であってもよく、又はクラウド無線アクセスネットワーク（Cloud  Radio  Access  Network、ＣＲＡＮ）シナリオにおける無線コントローラであってもよい。代替的には、ネットワークデバイスは、中継ノード、アクセスポイント、車両搭載デバイス、ウェアラブルデバイス、将来の５Ｇネットワークにおけるネットワークデバイス、将来発展するＰＬＭＮネットワークにおけるネットワークデバイス、などであってもよい。これは、この出願の実施形態において制限されない。
【手続補正９】
【補正対象書類名】明細書
【補正対象項目名】０１３３
【補正方法】変更
【補正の内容】
【０１３３】
図２を参照すると、１つのＮＢ−ＩｏＴランダムアクセスプリアンブルは、４つのシンボルグループを含む。４つのシンボルグループは、時系列において、第１のシンボルグループ、第２のシンボルグループ、第３のシンボルグループ、及び第４のシンボルグループとして、示される。図２において、４つのシンボルグループは、充填パターンと番号とを有する長方形を使用して表される。番号が１のシンボルグループは、第１のシンボルグループを表す。番号が２のシンボルグループは、第２のシンボルグループを表す。番号が３のシンボルグループは、第３のシンボルグループを表す。番号が４のシンボルグループは、第４のシンボルグループを表す。ランダムアクセスプリアンブルの反復数は４である（つまり、＃０から＃３が反復される）。言い換えれば、端末デバイスはランダムアクセスプリアンブルを１回の送信で４回繰り返して送信する。具体的には、４＊４のシンボルグループが送信される。＃０〜＃１１は１２の副搬送波を示す。ランダムアクセスプリアンブルは、１つの反復周期において、３．７５ｋＨｚと２２．５ｋＨｚの２つの周波数ホッピング間隔を有する。第１のシンボルグループと第２のシンボルグループとの間の周波数ホッピング間隔は３．７５ｋＨｚである。第３のシンボルグループと第４のシンボルグループとの間の周波数ホッピング間隔は３．７５ｋＨｚである。第１のシンボルグループから第２のシンボルグループへの周波数ホッピング方向は、第３のシンボルグループから第４のシンボルグループへの周波数ホッピング方向と反対である。第２のシンボルグループと第３のシンボルグループとの間の周波数ホッピング間隔は２２．５ｋＨｚである。擬似ランダム周波数ホッピングが、２つの隣接する反復の間で使用される（図２の点線の楕円でサインされるように）。疑似ランダム周波数ホッピング範囲は１２副搬送波に制限される。
【手続補正１０】
【補正対象書類名】明細書
【補正対象項目名】０１７９
【補正方法】変更
【補正の内容】
【０１７９】
図４に示すように、ランダムアクセスプリアンブルは、シンボルグループ１、シンボルグループ２、シンボルグループ３、シンボルグループ４、シンボルグループ５及びシンボルグループ６の６つのシンボルグループを含む。各シンボルグループは、１つのＣＰ、シンボル＃０、シンボル＃１、及びシンボル＃２を含む。＃０から＃３５は３６副搬送波を示す。シンボルグループ１とシンボルグループ２との間の周波数ホッピング間隔は、シンボルグループ２の周波数からシンボルグループ１の周波数を減算することによって得られる１．２５ｋＨｚである。言い換えれば、シンボルグループ１とシンボルグループ２との間の周波数ホッピング間隔は１．２５ｋＨｚである。シンボルグループ２とシンボルグループ３との間の周波数ホッピング間隔は３．７５ｋＨｚである。シンボルグループ３とシンボルグループ４との間の周波数ホッピング間隔は２２．５ｋＨｚである。シンボルグループ４とシンボルグループ５との間の周波数ホッピング間隔は３．７５ｋＨｚである。シンボルグループ５とシンボルグループ６との間の周波数ホッピング間隔は１．２５ｋＨｚである。シンボルグループ１からシンボルグループ２への周波数ホッピング方向は、シンボルグループ５からシンボルグループ６への周波数ホッピング方向と反対であり、シンボルグループ２からシンボルグループ３への周波数ホッピング方向は、シンボルグループ４からシンボルグループ５への周波数ホッピング方向と反対である。
【手続補正１１】
【補正対象書類名】明細書
【補正対象項目名】０２８７
【補正方法】変更
【補正の内容】
【０２８７】
処理ユニット１００２は、メモリに記憶された命令を実行し、トランシーバユニット１００１を制御して信号を受信し、及び／又は信号を送信し、方法の実施形態における端末デバイスの機能を完了するように構成されてもよい。実装においては、トランシーバユニット１００１の機能は、トランシーバ回路又はトランシーバ専用チップを使用して実装されると考えられてもよい。
【手続補正１２】
【補正対象書類名】特許請求の範囲
【補正対象項目名】全文
【補正方法】変更
【補正の内容】
【特許請求の範囲】
【請求項１】
通信方法であって、
端末デバイスによって、ランダムアクセスプリアンブルを決定することであって、前記ランダムアクセスプリアンブルは、６つのシンボルグループを含み、前記６つのシンボルグループは、第１のシンボルグループ、第２のシンボルグループ、第３のシンボルグループ、第４のシンボルグループ、第５のシンボルグループ、及び第６のシンボルグループを含む、決定することと、
前記端末デバイスによって、ランダムアクセス設定情報及び事前設定ルールに基づいて、前記ランダムアクセスプリアンブルの周波数位置を決定することであって、
前記６つのシンボルグループにおける全ての２つの隣接するシンボルグループの間の周波数間隔は、周波数ホッピング間隔であり、前記第１のシンボルグループと前記第２のシンボルグループとの間の周波数ホッピング間隔、及び前記第５のシンボルグループと前記第６のシンボルグループとの間の周波数ホッピング間隔は等しく、両方とも第１の間隔であり、前記第２のシンボルグループと前記第３のシンボルグループとの間の周波数ホッピング間隔、及び前記第４のシンボルグループと前記第５のシンボルグループとの間の周波数ホッピング間隔は等しく、両方とも第２の間隔であり、前記第３のシンボルグループと前記第４のシンボルグループとの間の周波数ホッピング間隔は第３の間隔であり、前記第１の間隔、前記第２の間隔、及び前記第３の間隔は等しくなく、ゼロに等しくない、決定することと、
前記端末デバイスによって、前記周波数位置に基づいてネットワークデバイスにランダムアクセスプリアンブルを送信することと、を含む方法。
【請求項２】
前記第１の間隔が１．２５ｋＨｚであり、前記第２の間隔が３．７５ｋＨｚであり、前記第３の間隔が２２．５ｋＨｚである、請求項１に記載の方法。
【請求項３】
前記第１のシンボルグループから前記第２のシンボルグループへの周波数ホッピング方向は、前記第５のシンボルグループから前記第６のシンボルグループへの周波数ホッピング方向と反対であり、前記第２のシンボルグループから前記第３のシンボルグループへの周波数ホッピング方向は、前記第４のシンボルグループから前記第５のシンボルグループへの周波数ホッピング方向と反対である、請求項１又は２に記載の方法。
【請求項４】
前記ランダムアクセス設定情報は、前記ランダムアクセスプリアンブルの反復数Ｗを含み、前記Ｗ回の反復において、前記ランダムアクセスプリアンブルに含まれる６＊Ｗのシンボルグループは、時系列において、０、１、．．．．、ｉ、．．．、６Ｗ−２、及び６Ｗ−１と番号付けされ、Ｗは正の整数であり、前記事前設定ルールは、第１の式及び第２の式を含み、
前記端末デバイスによって、ランダムアクセス設定情報及び事前設定ルールに基づいて、前記ランダムアクセスプリアンブルの周波数位置を決定することは、
前記端末デバイスによって、前記ランダムアクセス設定情報に基づいて、番号が０のシンボルグループの周波数位置を決定し、前記第１の式及びシンボルグループＰの番号ｉに基づいて、前記シンボルグループＰの周波数位置を決定し、前記第２の式及びシンボルグループＱの番号ｉに基づいて、前記シンボルグループＱの周波数位置を決定することを含み、
前記シンボルグループＰは、６＊Ｗのシンボルグループにおいて、番号がｉ＞０、及びｉｍｏｄ６＝０を満たすシンボルグループであり、前記シンボルグループＱは、６＊Ｗのシンボルグループにおいて、番号がｉ＞０、及びｉｍｏｄ６≠０を満たすシンボルグループであり、ｍｏｄは、モジュロ演算を表す、請求項１〜３のいずれか一項に記載の方法。
【請求項５】
前記第１の式は、番号が０の前記シンボルグループの前記周波数位置、及び番号ｉと疑似ランダム系列に基づいて決定される関数に関連するか、又は、前記第１の式は、番号がｉ−６のシンボルグループの周波数位置、及び番号ｉと疑似ランダム系列に基づいて決定される関数に関連し、
前記番号ｉは、前記シンボルグループＰの番号である、及び／又は
前記第２の式は、番号がｉ−１のシンボルグループの周波数位置、及び番号がｉ−１のシンボルグループに対する番号がｉのシンボルグループの周波数位置間隔と周波数ホッピング方向に関連し、前記番号ｉは、前記シンボルグループＱの番号である、請求項４に記載の方法。
【請求項６】
前記事前設定ルールは、式１又は式２を含み、
前記式１は、
【数１】
2021513790.tif 000214
であり、
前記式２は、
【数２】
2021513790.tif 000215
であり、ここで、
【数３】
2021513790.tif 000216
は、番号がｉの前記シンボルグループの周波数位置であり、ｆ（ｉ／６）は、前記シンボルグループの前記番号ｉ、
【数４】
2021513790.tif 000217
及び疑似ランダム系列に基づいて決定される関数であり、
【数５】
2021513790.tif 000218
は、ランダムアクセスプリアンブルの送信制限であり、
【数６】
2021513790.tif 000219
は、切り下げを表し、
【数７】
2021513790.tif 000220
であり、
【数８】
2021513790.tif 000221
である、請求項４〜５のいずれか一項に記載の方法。
【請求項７】
通信方法であって、
ネットワークデバイスによって、ランダムアクセス設定情報を決定し、前記ランダムアクセス設定情報を端末デバイスに送信することであって、前記ランダムアクセス設定情報は、前記端末デバイスがランダムアクセスプリアンブルを決定することを示すために使用され、前記ランダムアクセスプリアンブルは、６つのシンボルグループを含み、前記６つのシンボルグループは、第１のシンボルグループ、第２のシンボルグループ、第３のシンボルグループ、第４のシンボルグループ、第５のシンボルグループ、及び第６のシンボルグループを含む、ことと、
前記ネットワークデバイスによって、前記端末デバイスからの前記ランダムアクセスプリアンブルを受信することであって、前記ランダムアクセスプリアンブルは、前記ランダムアクセス設定情報に基づいて決定され、決定された周波数位置に基づいて送信され、前記周波数位置は、前記ランダムアクセス設定情報及び事前設定ルールに基づいて決定され、前記６つのシンボルグループにおける全ての２つの隣接するシンボルグループの間の周波数間隔は、周波数ホッピング間隔であり、前記第１のシンボルグループと前記第２のシンボルグループとの間の周波数ホッピング間隔、及び前記第５のシンボルグループと前記第６のシンボルグループとの間の周波数ホッピング間隔は等しく、両方とも第１の間隔であり、前記第２のシンボルグループと前記第３のシンボルグループとの間の周波数ホッピング間隔、及び前記第４のシンボルグループと前記第５のシンボルグループとの間の周波数ホッピング間隔は等しく、両方とも第２の間隔であり、前記第３のシンボルグループと前記第４のシンボルグループとの間の周波数ホッピング間隔は第３の間隔であり、前記第１の間隔、前記第２の間隔、及び前記第３の間隔は等しくなく、ゼロに等しくない、受信することと、を含む方法。
【請求項８】
前記第１の間隔が１．２５ｋＨｚであり、前記第２の間隔が３．７５ｋＨｚであり、前記第３の間隔が２２．５ｋＨｚである、請求項７に記載の方法。
【請求項９】
前記第１のシンボルグループから前記第２のシンボルグループへの周波数ホッピング方向は、前記第５のシンボルグループから前記第６のシンボルグループへの周波数ホッピング方向と反対であり、前記第２のシンボルグループから前記第３のシンボルグループへの周波数ホッピング方向は、前記第４のシンボルグループから前記第５のシンボルグループへの周波数ホッピング方向と反対である、請求項７又は８に記載の方法。
【請求項１０】
前記ランダムアクセス設定情報は、前記ランダムアクセスプリアンブルの反復数Ｗを含み、前記Ｗ回の反復において、前記ランダムアクセスプリアンブルに含まれる６＊Ｗのシンボルグループは、時系列において、０、１、．．．．、ｉ、．．．、６Ｗ−２、及び６Ｗ−１と番号付けされ、Ｗは正の整数であり、前記ランダムアクセス設定情報は、番号が０のシンボルグループの周波数位置を決定するためにさらに使用され、
前記事前設定ルールは、第１の式及び第２の式を含み、前記第１の式及びシンボルグループＰの番号ｉは、前記シンボルグループＰの周波数位置を決定するために使用され、前記第２の式及びシンボルグループＱの番号ｉは、前記シンボルグループＱの周波数位置を決定するために使用され、前記シンボルグループＰは、６＊Ｗのシンボルグループにおいて、番号がｉ＞０、及びｉｍｏｄ６＝０を満たすシンボルグループであり、前記シンボルグループＱは、６＊Ｗのシンボルグループにおいて、番号がｉ＞０、及びｉｍｏｄ６≠０を満たすシンボルグループであり、ｍｏｄは、モジュロ演算を表す、請求項７〜９のいずれか一項に記載の方法。
【請求項１１】
前記第１の式は、番号が０の前記シンボルグループの前記周波数位置、及び番号ｉと疑似ランダム系列に基づいて決定される関数に関連するか、又は、前記第１の式は、番号がｉ−６のシンボルグループの周波数位置、及び番号ｉと疑似ランダム系列に基づいて決定される関数に関連し、
前記番号ｉは、前記シンボルグループＰの番号である、及び／又は
前記第２の式は、番号がｉ−１のシンボルグループの周波数位置、及び番号がｉ−１のシンボルグループに対する番号がｉのシンボルグループの周波数位置間隔と周波数ホッピング方向に関連し、前記番号ｉは、前記シンボルグループＱの番号である、請求項１０に記載の方法。
【請求項１２】
前記事前設定ルールは、式１又は式２を含み、
前記式１は、
【数９】
2021513790.tif 000222
であり、
前記式２は、
【数１０】
2021513790.tif 000223
であり、
【数１１】
2021513790.tif 000224
は、番号がｉの前記シンボルグループの周波数位置であり、ｆ（ｉ／６）は、前記シンボルグループの前記番号ｉ、
【数１２】
2021513790.tif 000225
及び疑似ランダム系列に基づいて決定される関数であり、
【数１３】
2021513790.tif 000226
は、ランダムアクセスプリアンブルの送信制限であり、
【数１４】
2021513790.tif 000227
は、切り下げを表し、
【数１５】
2021513790.tif 000228
であり、
【数１６】
2021513790.tif 000229
である、請求項１０〜１１のいずれか一項に記載の方法。
【請求項１３】
通信デバイスであって、
ランダムアクセスプリアンブルを決定するように構成されている処理ユニットであって、前記ランダムアクセスプリアンブルは、６つのシンボルグループを含み、前記６つのシンボルグループは、第１のシンボルグループ、第２のシンボルグループ、第３のシンボルグループ、第４のシンボルグループ、第５のシンボルグループ、及び第６のシンボルグループを含み、
前記処理ユニットは、ランダムアクセス設定情報及び事前設定ルールに基づいて、前記ランダムアクセスプリアンブルの周波数位置を決定するようにさらに構成されており、
前記６つのシンボルグループにおける全ての２つの隣接するシンボルグループの間の周波数間隔は、周波数ホッピング間隔であり、前記第１のシンボルグループと前記第２のシンボルグループとの間の周波数ホッピング間隔、及び前記第５のシンボルグループと前記第６のシンボルグループとの間の周波数ホッピング間隔は等しく、両方とも第１の間隔であり、前記第２のシンボルグループと前記第３のシンボルグループとの間の周波数ホッピング間隔、及び前記第４のシンボルグループと前記第５のシンボルグループとの間の周波数ホッピング間隔は等しく、両方とも第２の間隔であり、前記第３のシンボルグループと前記第４のシンボルグループとの間の周波数ホッピング間隔は第３の間隔であり、前記第１の間隔、前記第２の間隔、及び前記第３の間隔は等しくなく、ゼロに等しくない、処理ユニットと、
前記周波数位置に基づいてネットワークデバイスにランダムアクセスプリアンブルを送信するように構成されている送信ユニットと、を含む通信デバイス。
【請求項１４】
前記第１の間隔が１．２５ｋＨｚであり、前記第２の間隔が３．７５ｋＨｚであり、前記第３の間隔が２２．５ｋＨｚである、請求項１３に記載の通信デバイス。
【請求項１５】
前記第１のシンボルグループから前記第２のシンボルグループへの周波数ホッピング方向は、前記第５のシンボルグループから前記第６のシンボルグループへの周波数ホッピング方向と反対であり、前記第２のシンボルグループから前記第３のシンボルグループへの周波数ホッピング方向は、前記第４のシンボルグループから前記第５のシンボルグループへの周波数ホッピング方向と反対である、請求項１３又は１４に記載の通信デバイス。
【請求項１６】
前記ランダムアクセス設定情報は、前記ランダムアクセスプリアンブルの反復数Ｗを含み、前記Ｗ回の反復において、前記ランダムアクセスプリアンブルに含まれる６＊Ｗのシンボルグループは、時系列において、０、１、．．．．、ｉ、．．．、６Ｗ−２、及び６Ｗ−１と番号付けされ、Ｗは正の整数であり、前記事前設定ルールは、第１の式及び第２の式を含み、
前記処理ユニットは、
前記通信デバイスによって、前記ランダムアクセス設定情報に基づいて、番号が０のシンボルグループの周波数位置を決定し、前記第１の式及びシンボルグループＰの番号ｉに基づいて、前記シンボルグループＰの周波数位置を決定し、前記第２の式及びシンボルグループＱの番号ｉに基づいて、前記シンボルグループＱの周波数位置を決定するように構成されており、
前記シンボルグループＰは、６＊Ｗのシンボルグループにおいて、番号がｉ＞０、及びｉｍｏｄ６＝０を満たすシンボルグループであり、前記シンボルグループＱは、６＊Ｗのシンボルグループにおいて、番号がｉ＞０、及びｉｍｏｄ６≠０を満たすシンボルグループであり、ｍｏｄは、モジュロ演算を表す、請求項１３〜１５のいずれかに一項に通信デバイス。
【請求項１７】
前記第１の式は、番号が０の前記シンボルグループの前記周波数位置、及び番号ｉと疑似ランダム系列に基づいて決定される関数に関連するか、又は、前記第１の式は、番号がｉ−６のシンボルグループの周波数位置、及び番号ｉと疑似ランダム系列に基づいて決定される関数に関連し、
前記番号ｉは、前記シンボルグループＰの番号である、及び／又は
前記第２の式は、番号がｉ−１のシンボルグループの周波数位置、及び番号がｉ−１のシンボルグループに対する番号がｉのシンボルグループの周波数位置間隔と周波数ホッピング方向に関連し、前記番号ｉは、前記シンボルグループＱの番号である、請求項１６に記載の通信デバイス。
【請求項１８】
前記事前設定ルールは、式１又は式２を含み、
前記式１は、
【数１７】
2021513790.tif 000230
であり、
前記式２は、
【数１８】
2021513790.tif 000231
であり、
【数１９】
2021513790.tif 000232
は、番号がｉの前記シンボルグループの周波数位置であり、ｆ（ｉ／６）は、前記シンボルグループの前記番号ｉ、
【数２０】
2021513790.tif 000233
及び疑似ランダム系列に基づいて決定される関数であり、
【数２１】
2021513790.tif 000234
は、ランダムアクセスプリアンブルの送信制限であり、
【数２２】
2021513790.tif 000235
は、切り下げを表し、
【数２３】
2021513790.tif 000236
であり、
【数２４】
2021513790.tif 000237
である、請求項１６又は１７のいずれか一項に記載の通信デバイス。
【請求項１９】
ネットワークデバイスであって、
ランダムアクセス設定情報を決定し、前記ネットワークデバイスの送信ユニットを使用して前記ランダムアクセス設定情報を端末デバイスに送信するように構成されている処理ユニットであって、前記ランダムアクセス設定情報は、前記端末デバイスがランダムアクセスプリアンブルを決定することを示すために使用され、前記ランダムアクセスプリアンブルは、６つのシンボルグループを含み、前記６つのシンボルグループは、第１のシンボルグループ、第２のシンボルグループ、第３のシンボルグループ、第４のシンボルグループ、第５のシンボルグループ、及び第６のシンボルグループを含む、処理ユニットと、
前記端末デバイスからの前記ランダムアクセスプリアンブルを受信するように構成されている受信ユニットであって、前記ランダムアクセスプリアンブルは、前記ランダムアクセス設定情報に基づいて決定され、決定された周波数位置に基づいて送信され、前記周波数位置は、前記ランダムアクセス設定情報及び事前設定ルールに基づいて決定され、前記６つのシンボルグループにおける全ての２つの隣接するシンボルグループの間の周波数間隔は、周波数ホッピング間隔であり、前記第１のシンボルグループと前記第２のシンボルグループとの間の周波数ホッピング間隔、及び前記第５のシンボルグループと前記第６のシンボルグループとの間の周波数ホッピング間隔は等しく、両方とも第１の間隔であり、前記第２のシンボルグループと前記第３のシンボルグループとの間の周波数ホッピング間隔、及び前記第４のシンボルグループと前記第５のシンボルグループとの間の周波数ホッピング間隔は等しく、両方とも第２の間隔であり、前記第３のシンボルグループと前記第４のシンボルグループとの間の周波数ホッピング間隔は第３の間隔であり、前記第１の間隔、前記第２の間隔、及び前記第３の間隔は等しくなく、ゼロと等しくない、受信ユニットと、を含むネットワークデバイス。
【請求項２０】
前記第１の間隔が１．２５ｋＨｚであり、前記第２の間隔が３．７５ｋＨｚであり、前記第３の間隔が２２．５ｋＨｚである、請求項１９に記載のネットワークデバイス。
【請求項２１】
前記第１のシンボルグループから前記第２のシンボルグループへの周波数ホッピング方向は、前記第５のシンボルグループから前記第６のシンボルグループへの周波数ホッピング方向と反対であり、前記第２のシンボルグループから前記第３のシンボルグループへの周波数ホッピング方向は、前記第４のシンボルグループから前記第５のシンボルグループへの周波数ホッピング方向と反対である、請求項１９又は２０に記載のネットワークデバイス。
【請求項２２】
前記ランダムアクセス設定情報は、前記ランダムアクセスプリアンブルの反復数Ｗを含み、前記Ｗ回の反復において、前記ランダムアクセスプリアンブルに含まれる６＊Ｗのシンボルグループは、時系列において、０、１、．．．．、ｉ、．．．、６Ｗ−２、及び６Ｗ−１と番号付けされ、Ｗは正の整数であり、前記ランダムアクセス設定情報は、番号が０のシンボルグループの周波数位置を決定するためにさらに使用され、
前記事前設定ルールは、第１の式及び第２の式を含み、前記第１の式及びシンボルグループＰの番号ｉは、前記シンボルグループＰの周波数位置を決定するために使用され、前記第２の式及びシンボルグループＱの番号ｉは、前記シンボルグループＱの周波数位置を決定するために使用され、前記シンボルグループＰは、６＊Ｗのシンボルグループにおいて、番号がｉ＞０、及びｉｍｏｄ６＝０を満たすシンボルグループであり、前記シンボルグループＱは、６＊Ｗのシンボルグループにおいて、番号がｉ＞０、及びｉｍｏｄ６≠０を満たすシンボルグループであり、ｍｏｄは、モジュロ演算を表す、請求項１９又は２０に記載のネットワークデバイス。
【請求項２３】
前記第１の式は、番号が０の前記シンボルグループの前記周波数位置、及び番号ｉと疑似ランダム系列に基づいて決定される関数に関連するか、又は、前記第１の式は、番号がｉ−６のシンボルグループの周波数位置、及び番号ｉと疑似ランダム系列に基づいて決定される関数に関連し、
前記番号ｉは、前記シンボルグループＰの番号である、及び／又は
前記第２の式は、番号がｉ−１のシンボルグループの周波数位置、及び番号がｉ−１のシンボルグループに対する番号がｉのシンボルグループの周波数位置間隔と周波数ホッピング方向に関連し、前記番号ｉは、前記シンボルグループＱの番号である、請求項２２に記載のネットワークデバイス。
【請求項２４】
前記事前設定ルールは、式１又は式２を含み、
前記式１は、
【数２５】
2021513790.tif 000238
であり、
前記式２は、
【数２６】
2021513790.tif 000239
であり、
【数２７】
2021513790.tif 000240
は、番号がｉの前記シンボルグループの周波数位置であり、ｆ（ｉ／６）は、前記シンボルグループの前記番号ｉ、
【数２８】
2021513790.tif 000241
及び疑似ランダム系列に基づいて決定される関数であり、
【数２９】
2021513790.tif 000242
は、ランダムアクセスプリアンブルの送信制限であり、
【数３０】
2021513790.tif 000243
は、切り下げを表し、
【数３１】
2021513790.tif 000244
であり、
【数３２】
2021513790.tif 000245
である、請求項２２又は２３に記載のネットワークデバイス。
【請求項２５】
コンピュータ上で動作するときに、請求項１〜１２のいずれか一項による方法を実行するように適合されたプログラムコードを記憶する、コンピュータ可読媒体。
【手続補正１３】
【補正対象書類名】図面
【補正対象項目名】図３
【補正方法】変更
【補正の内容】
【図３】
2021513790.tif 000246
【国際調査報告】
2021513790.tif 000247
2021513790.tif 000248
2021513790.tif 000249
2021513790.tif 000250